(57)【要約】通信ネットワークを介して接続される機器の電力消費を効率化する省電力システムは、通信ネットワークを介して互いに接続される第１の機器と第２の機器とを少なくとも備え、第１の機器と第２の機器とはそれぞれ、通信ネットワークを介して他の機器を制御するための制御コマンドを互いに送受信する送受信部と、制御コマンドに基づき、動作状態を切り換える動作状態切換部とを備え、第１の機器と第２の機器とはそれぞれ、消費電力の異なる動作状態として、電源オフの動作状態であるが一部には電源が供給されている第１のオフ動作モードと第１のオフ動作モードより消費電力の低い第２のオフ動作モードとを持ち、第２の機器では、その第２の機器が前記第１のオフ動作モードである場合に、送受信部が第１の機器から動作状態の切り換えを指示する制御コマンドを受信すると、動作状態切換部は、第１のオフ動作モードから第２のオフ動作モードに動作状態を切り換える。
2009101804.tif 000002
【特許請求の範囲】
【請求項１】
通信ネットワークを介して互いに接続される第１の機器と第２の機器とを少なくとも備える省電力システムであって、
前記第１の機器と前記第２の機器とはそれぞれ、
前記通信ネットワークを介して他の機器を制御するための制御コマンドを互いに送受信する送受信部と、
前記制御コマンドに基づいて、動作状態を切り換える動作状態切換部とを備え、
前記第１の機器と前記第２の機器とはそれぞれ、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記第２の機器では、
当該第２の機器が前記第１のオフ動作モードである場合に、前記送受信部が前記第１の機器から動作状態の切り換えを指示する制御コマンドを受信すると、前記動作状態切換部は、前記第１のオフ動作モードから前記第２のオフ動作モードに動作状態を切り換える
ことを特徴とする省電力システム。
【請求項２】
前記第２の機器は、さらに、
予め定められた時間の経過をカウントするタイマー部を備え、
前記第２の機器では、
当該第２の機器が前記第１のオフ動作モードであった時間が前記予め定められた時間経過したことを前記タイマー部がカウントするとき、前記動作状態切換部は、前記第１のオフ動作モードから前記第２のオフ動作モードに動作状態を切り換える
ことを特徴とする請求項１記載の省電力システム。
【請求項３】
前記第２の機器は、さらに、
前記送受信部が送受信した当該制御コマンドにより前記第１の機器の動作状態を判定する判定部とを備え、
前記第１の機器では、
前記送受信部が、前記制御コマンドとして当該第１の機器の動作状態を含む制御コマンドを前記第２の機器に送信し、
前記第２の機器では、
当該第２の機器が前記第１のオフ動作モードである場合に、前記判定部が前記第１の機器が前記第１のオフ動作モード及び前記第２のオフ動作モードを含む電源オフの動作状態であると判定すると、前記動作状態切換部は、前記第１のオフ動作モードから前記第２のオフ動作モードに動作状態を切り換える
ことを特徴とする請求項１記載の省電力システム。
【請求項４】
前記第１の機器は、さらに、
前記第１の機器及び前記第２の機器がそれぞれ持つ動作状態の組み合わせを示す状態表を保持する保持部と、
前記状態表を利用者に表示する表示部と、
前記表示が表示した前記状態表の中から所望する組み合わせを前記利用者に選択させる入力部とを備え、
前記第１の機器では、
選択された当該所望する組み合わせに従って、動作状態の切り換えを指示する制御コマンドを前記第２の機器に送信する
ことを特徴とする請求項１記載の省電力システム。
【請求項５】
通信ネットワークを介して少なくとも第１の機器と接続される第２の機器であって、
前記通信ネットワークを介して他の機器を制御するための制御コマンドを前記第１の機器と送受信する送受信部と、
前記制御コマンドに基づいて、動作状態を切り換える動作状態切換部とを備え、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記動作状態切換部は、当該第２の機器が前記第１のオフ動作モードである場合に、前記送受信部が前記第１の機器から動作状態の切り換えを指示する制御コマンドを受信すると、前記第１のオフ動作モードから前記第２のオフ動作モードに動作状態を切り換える
ことを特徴とする第２の機器。
【請求項６】
通信ネットワークを介して接続される少なくとも映像表示機器と映像録画機器とを備える省電力システムであって、
前記映像表示機器と映像録画機器とはそれぞれ、
前記通信ネットワークを介して他の機器を制御するための制御コマンドを互いに送受信する送受信部と、
前記制御コマンドに基づいて、動作状態を切り換える動作状態切換部とを備え、
前記映像表示機器と前記映像録画機器とはそれぞれ、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記映像録画機器では、
当該映像録画機器が前記第１のオフ動作モードである場合に、前記送受信部が前記映像表示機器から動作状態の切り換えを指示する制御コマンドを受信するとき、前記動作状態切換部は、前記第１のオフ動作モードから前記第２のオフ動作モードに動作状態を切り換える
ことを特徴とする省電力システム。
【請求項７】
通信ネットワークを介して接続される少なくとも第１の機器と第２の機器との省電力の方法であって、
前記通信ネットワークを介して他の機器を制御するための制御コマンドを互いに送受信する送受信部と、前記制御コマンドに基づいて動作状態を切り換える動作状態切換部とをそれぞれ備える前記第１の機器と前記第２の機器とは、消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記第２の機器では、
当該第２の機器が前記第１のオフ動作モードである場合に、前記送受信部が前記第１の機器から動作状態の切り換えを指示する制御コマンドを受信するステップと、前記動作状態切換部が前記第１のオフ動作モードから前記第２のオフ動作モードに動作状態を切り換えるステップとを含む
ことを特徴とする方法。
【発明の詳細な説明】
【技術分野】
【０００１】
本発明は、省電力システムに関し、特に、通信ネットワークで接続された機器の動作モードの切換を行い、システムの消費電力を制御するＡＶシステム及びＡＶ機器制御方法に関する。
【背景技術】
【０００２】
従来、テレビジョン受信機（以下「テレビ」という。）にＤＶＤ（Ｄｉｇｉｔａｌ  Ｖｅｒｓａｔｉｌｅ  Ｄｉｓｃ）レコーダのような映像録画再生機器を接続するＡＶ（Ａｕｄｉｏ／Ｖｉｓｕａｌ）システムがある。ＡＶシステムでは、映像及び音声を視聴したり、さらに外部ＡＶアンプと外部スピーカとを接続して音声を外部スピーカより出力して視聴したりすることがある。このようなＡＶシステムにおいて、それぞれの機器を視聴・操作するために、機器ごとに対応するリモートコントローラ（以下、「リモコン」という。）を持ち替えて入力切換や再生操作を行う必要があり、煩雑であった。【０００３】
この問題を解決する一つの方法として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格を用いる方法がある。ＨＤＭＩではＣＥＣ（Ｃｏｎｓｕｍｅｒ  Ｅｌｅｃｔｒｏｎｉｃｓ  Ｃｏｎｔｒｏｌ）という機能が定義されている（非特許文献１）。ＣＥＣの機能は、テレビ及び種々のＡＶ機器をＨＤＭＩケーブルで接続し、ＨＤＭＩケーブルに含まれているＣＥＣバスを介して、双方向に制御コマンドを送受信可能なＣＥＣコマンドを利用して、ＡＶ機器を制御する機能である。【０００４】
ＨＤＭＩ規格は、また、ＤＶＤレコーダなどの再生機器が、接続先の機器の再生能力情報を読み取って映像・音声データの出力形式を合わせたり、映像・音声データを暗号化したりして伝送することができるという特徴を持っている。【０００５】
例えば再生能力情報は、テレビやＡＶアンプなどのＨＤＭＩ入力部を備えた機器（「ＨＤＭＩ入力機器」とする）から接続相手機器（「ＨＤＭＩ出力機器」とする）に、一方向接続であるＤＤＣ（Ｄｉｓｐｌａｙ  Ｄａｔａ  Ｃｈａｎｎｅｌ）バスを利用し、伝達される。ここで、「ＤＤＣ」とは、ディスプレイのプラグ＆プレイを実現するために、ＨＤＭＩ出力機器にディスプレイの機種情報などを伝える機能として定めたＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）の規格である。ＤＤＣによって伝達される情報としては、ＨＤＭＩ入力機器の機種情報や再生可能な画像・音声フォーマット、ＨＤＭＩ機器に付与する物理アドレス（Ｐｈｙｓｉｃａｌ  Ａｄｄｒｅｓｓ）などがある。【０００６】
また、ＨＤＭＩ規格では、ＣＥＣコマンドによる通信のために、各機器に対して、論理アドレス（Ｌｏｇｉｃａｌ  Ａｄｄｒｅｓｓ、以下ＬＡ）と物理アドレス（Ｐｈｙｓｉｃａｌ  Ａｄｄｒｅｓｓ、以下ＰＡ）を定義している。【０００７】
ＰＡは、ＨＤＭＩ出力機器の接続トポロジを反映して決定されるアドレスであり、ＨＤＭＩ入力機器からＨＤＭＩ出力機器へ一方向に伝送される。また、ＰＡは、自機器が取得したＰＡに、ＨＤＭＩ入力部毎に異なる値を加えて決定される。【０００８】
例えばＡＶアンプのようなＨＤＭＩ入力部とＨＤＭＩ出力部の両方を備える機器は、ＨＤＭＩ出力部が接続された機器からＡＶアンプ自身のＰＡを取得し、当該ＰＡにＨＤＭＩ入力部毎の値を加えて、ＡＶアンプにさらに接続されたＨＤＭＩ出力機器のＰＡを決定する。従って、ＨＤＭＩ入力部を備え、ルートとなる機器（以下、ルート機器）のＰＡは、「０．０．０．０」として、階層的に決定される。【０００９】
また、例えば、ＨＤＭＩ出力部をもたず、ＨＤＭＩ入力部のみ備えるテレビは、ルート機器として、常にＰＡ「０．０．０．０」を持つ。ルート機器に接続された機器では、例えば当該機器の第一のＨＤＭＩ入力部に接続された機器に「１．０．０．０」、第二のＨＤＭＩ入力部に接続された機器に「２．０．０．０」のように与えられる。【００１０】
また、入力部と出力部との両方を備えた機器は、自身のＰＡからさらに入力部毎にＰＡを決定する。例えば、ＰＡが「１．０．０．０」の機器の入力部に接続された機器のＰＡでは、第一の入力部が「１．１．０．０」となり、第二の入力部が「１．２．０．０」となる。【００１１】
一方、ＬＡは、ＨＤＭＩ接続されたＣＥＣ対応機器に与えられ、ＣＥＣコマンドの送受信を行うための宛先アドレスとして用いられる。【００１２】
ＣＥＣでは、コマンドの相手先を指定して送信するコマンドと、ＨＤＭＩで接続されたすべてのＣＥＣ対応機器にコマンドを通知するブロードキャストコマンドとが定義されている。ＣＥＣでは、これらを組み合わせて通信が行われる。【００１３】
なお、ＣＥＣコマンドは、送信元機器のＬＡと、宛先機器のＬＡと、オペコードと、オペランドから構成される。【００１４】
また、ＨＤＭＩでは、さらに、入力切換を行う＜Ａｃｔｉｖｅ  Ｓｏｕｒｃｅ＞、機器の電源オフを行う＜Ｓｔａｎｄｂｙ＞、機器の電源状態の問い合わせを行う＜Ｇｉｖｅ  Ｐｏｗｅｒ  Ｓｔａｔｕｓ＞、宛先ＬＡの機器が通信ネットワークに存在しているかを確認することができる＜Ｐｏｌｌｉｎｇ  Ｍｅｓｓａｇｅ＞及び各メーカーが独自に機器の動作を定義できる＜Ｖｅｎｄｏｒ  Ｃｏｍｍａｎｄ＞などの制御コマンドが定義されている。ＨＤＭＩでは、ＨＤＭＩ接続されたＣＥＣ対応機器同士でこれらの制御コマンドを組み合わせて送受信することで、種々の連携動作を実現することができる。
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ
【発明の開示】
【発明が解決しようとする課題】
【００１５】
ところで、ＣＥＣでは、接続機器の電源をオフするコマンドとして、＜Ｓｔａｎｄｂｙ＞コマンドが定義されている。また、ＤＶＤレコーダなどの機器においては、例えば電源オフの動作状態においても、複数の動作状態をもつ。これら複数の動作状態はそれぞれ、消費電力が異なっている。【００１６】
しかしながら、従来技術では、接続された機器における複数の動作状態を制御することができない。そのため、ユーザが機器を使用していないときでも、その機器には通電している状態の機能があるなど電力消費の効率が悪い。また、ユーザの操作で電力消費を効率化するために、接続された機器の動作状態を各々の機器のボタンまたはリモコンを操作して切り換える必要があり、ユーザにとって操作が煩雑である。【００１７】
さらに、ユーザは、その機器の消費電力量を確認するために、例えば積算電力計を新たに接続して計測を行う必要があるなど、電力消費を効率化するための操作は煩雑である。【００１８】
そこで、本発明は、上記課題点に鑑みてなされたものであり、通信ネットワークを介して接続される機器の電力消費を効率化する省電力システムを実現することを目的とする。
【課題を解決するための手段】
【００１９】
上記課題を解決するため、本発明に係る省電力システムは、通信ネットワークを介して互いに接続される第１の機器と第２の機器とを少なくとも備える省電力システムであって、前記第１の機器と前記第２の機器とはそれぞれ、前記通信ネットワークを介して他の機器を制御するための制御コマンドを互いに送受信する送受信部と、前記制御コマンドに基づいて、動作状態を切り換える動作状態切換部とを備え、前記第１の機器と前記第２の機器とはそれぞれ、消費電力の異なる動作状態として、電源オフの動作状態であるが一部には電源が供給されている第１のオフ動作モードと前記第１のオフ動作モードより消費電力の低い第２のオフ動作モードとを少なくとも持ち、前記第２の機器では、当該第２の機器が前記第１のオフ動作モードである場合に、前記送受信部が前記第１の機器から動作状態の切り換えを指示する制御コマンドを受信すると、前記動作状態切換部は、前記第１のオフ動作モードから前記第２のオフ動作モードに動作状態を切り換えることを特徴とする。【００２０】
このように、他の機器の制御コマンド等により、接続されている機器の動作状態を切り換えることができる。そのため、例えばＨＤＭＩなどの通信ネットワークを介して接続され、それぞれ消費電力の異なる複数の動作状態を持つ複数の機器に対して、消費電力が効率化するように、動作状態を制御することができる。それにより、通信ネットワークを介して接続される機器の電力消費を効率化する省電力システムを実現することができる。【００２１】
また、好ましくは、前記第２の機器は、さらに、予め定められた時間の経過をカウントするタイマー部を備え、前記第２の機器では、当該第２の機器が前記第１のオフ動作モードであった時間が前記予め定められた時間経過したことを前記タイマー部がカウントするとき、前記動作状態切換部は、前記第１のオフ動作モードから前記第２のオフ動作モードに動作状態を切り換える。ここで、前記第２の機器は、さらに、前記送受信部が送受信した当該制御コマンドにより前記第１の機器の動作状態を判定する判定部とを備え、前記第１の機器では、前記送受信部が、前記制御コマンドとして当該第１の機器の動作状態を含む制御コマンドを前記第２の機器に送信し、前記第２の機器では、当該第２の機器が前記第１のオフ動作モードである場合に、前記判定部が前記第１の機器が前記第１のオフ動作モード及び前記第２のオフ動作モードを含む電源オフの動作状態であると判定すると、前記動作状態切換部は、前記第１のオフ動作モードから前記第２のオフ動作モードに動作状態を切り換えてもよい。【００２２】
このように、他の機器の制御コマンドだけでなく、自機器に設定された時間の経過または相手機器の状態をトリガーとして、自機器の動作状態を切り換えることができる。【００２３】
また、上記課題を解決するため、本発明に係る省電力システムは、通信ネットワークを介して接続される少なくとも映像表示機器と映像録画機器とを備える省電力システムであって、前記映像表示機器と映像録画機器とはそれぞれ、前記通信ネットワークを介して他の機器を制御するための制御コマンドを互いに送受信する送受信部と、前記制御コマンドに基づいて、動作状態を切り換える動作状態切換部とを備え、前記映像表示機器と前記映像録画機器とはそれぞれ、消費電力の異なる動作状態として、電源オフの動作状態であるが一部には電源が供給されている第１のオフ動作モードと前記第１のオフ動作モードより消費電力の低い第２のオフ動作モードとを少なくとも持ち、前記映像録画機器では、当該映像録画機器が前記第１のオフ動作モードである場合に、前記送受信部が前記映像表示機器から動作状態の切り換えを指示する制御コマンドを受信するとき、前記動作状態切換部は、前記第１のオフ動作モードから前記第２のオフ動作モードに動作状態を切り換えることを特徴とする。【００２４】
なお、本発明は、システムとして実現するだけでなく、このようなシステムが備える処理手段を備える装置または集積回路として実現したり、そのシステムを構成する処理手段をステップとする方法として実現したりすることもできる。
【発明の効果】
【００２５】
本発明により、接続された機器の電力消費を効率化する省電力システムを実現することができる。【００２６】
具体的には、ユーザの簡便な操作等で接続された機器の動作状態を切り換え、使用していない機能を通電しないことで、通信ネットワークを介して接続される機器の電力消費を効率化する省電力システムを実現することができる。【００２７】
また、新たな機器を接続することなく消費電力量を計測し、ユーザは確認することができる効果も有する。
【図面の簡単な説明】
【００２８】
【図１】図１は、本発明の実施の形態１に係るＡＶシステムの構成図である。
【図２】図２は、本発明の実施の形態１に係るテレビ１０の機能ブロック図である。
【図３】図３は、本発明の実施の形態１に係るＤＶＤレコーダ２０の機能ブロック図である。
【図４】図４は、本発明の実施の形態１に係るセットトップボックス３０の機能ブロック図である。
【図５Ａ】図５Ａは、本発明の実施の形態１に係るＤＶＤレコーダ２０における動作モードと機能の対応表である。
【図５Ｂ】図５Ｂは、本発明の実施の形態１に係るセットトップボックス３０における動作モードと機能の対応表である。
【図５Ｃ】図５Ｃは、本発明の実施の形態１に係るテレビ１０における動作モードと機能の対応表である。
【図６】図６は、本発明の実施の形態１に係るＤＶＤレコーダ２０における動作モードと機能を設定するメニューの一例である。
【図７】図７は、本発明の実施の形態１に係るテレビ１０におけるＯＳＤメニュー表示による動作モード切換時刻設定方法の一例である。
【図８】図８は、本発明の実施の形態１に係る動作テレビ１０におけるモード切換時刻設定表の一例である。
【図９】図９は、本発明の実施の形態１に係るユーザの操作に対応してＤＶＤレコーダ２０及びセットトップボックス３０が動作するときにおけるＣＥＣコマンド送受信の流れの一例である。
【図１０】図１０は、本発明の実施の形態１に係るＤＶＤレコーダ２０の動作状態と消費電力の組み合わせの一例である。
【図１１】図１１は、本発明の実施の形態１に係るＤＶＤレコーダ２０の動作と、消費電力の変化の一例である。
【図１２】図１２は、本発明の実施の形態１に係るテレビ１０におけるＡＶシステムの各機器の動作状態及び、消費電力量の合計を表示する一例である。
【図１３】図１３は、本発明の実施の形態２に係るＡＶシステムの構成図である。
【図１４】図１４は、本発明の実施の形態２に係るテレビ５０の機能ブロック図である。
【図１５】図１５は、本発明の実施の形態２に係るＤＶＤレコーダ６０の機能ブロック図である。
【図１６】図１６は、本発明の実施の形態２に係るセットトップボックス７０の機能ブロックである。
【図１７】図１７は、本発明の実施の形態２に係るテレビ５０において、動作モード３で動作する機能を設定すると共に、動作モード３に切り換える動作を行うＯＳＤメニューの一例である。
【図１８】図１８は、本発明の実施の形態２に係るユーザの操作に対応してＤＶＤレコーダ６０及び、セットトップボックス７０が動作するときにおけるＣＥＣコマンドの送受信の流れの一例である。
【図１９】図１９は、本発明の実施の形態２に係るテレビ５０においてユーザに電源オフしたことを通知するＯＳＤ表示の一例である。
【図２０】図２０は、本発明の実施の形態２に係るテレビ５０においてユーザに消費電力節約量を通知するＯＳＤ表示の一例である。
【図２１】図２１は、ＡＶアンプ６５を含むＡＶシステムの構成図である。
【図２２】図２２は、ＡＶアンプ６５における動作モードと機能の対応表の一例である。
【符号の説明】
【００２９】
１０、５０    テレビ
２０、６０    ＤＶＤレコーダ
３０、７０    セットトップボックス
４０    リモコン
６５    ＡＶアンプ
１０１、２０１、３０１、５０１    動作モード切換タイマー
１０２、２０２、３０２、５０２    消費電力量記憶部
１０３、２０３、３０３、５０３    消費電力節約量記憶部
１０４、２０４、３０４    消費電力記憶部
１０５、２０５、３０５    リモコン受信部
１０６    映像出力部
１０７    音声出力部
１０８    アクティブソース機器記憶部
２０８、３０８    アクティブソース状態記憶部
１０９    接続機器一覧記憶部
１１０、２１０、３１０、５１０、６１０、７１０    マイコン
１１１、２１１、３１１、５１１、６１１、７１１    ＣＥＣ通信部
１１２    ＴＭＤＳデコード部
２１２、３１２    デコード部
１１３    ＴＭＤＳ入力部
１１４、１１５    ＨＤＭＩ入力部
２１４、３１４    ＨＤＭＩ出力部
１２０、２２０、３２０    チューナ
１２１、２２１、３２１    動作機能設定記憶部
１２２、２２２、３２２    動作状態記憶部
２１６、３１６    ＴＶ電源状態判定部
２１７    録画タイマー
２１８    ＩＰ通信部
２１９    録画部
【発明を実施するための最良の形態】
【００３０】
以下、本発明に係るＡＶシステム及びＡＶ機器制御方法の実施の形態について、図面を参照しながら詳細に説明する。【００３１】
（実施の形態１）
＜構成＞
図１は、実施の形態１に係るＡＶシステムの概略構成を示す図である。図２は、実施の形態１に係るテレビ１０の機能ブロック図である。図３は、実施の形態１に係るＤＶＤレコーダ２０の機能ブロック図である。図４は、実施の形態１に係るセットトップボックス３０の機能ブロック図である。【００３２】
なお、テレビ１０は、実施の形態１における本発明に係る第一の機器の一例であり、実施の形態１におけるＤＶＤレコーダ２０及びセットトップボックス３０は、本発明に係る第二の機器の一例である。  【００３３】
図１に示すように、実施の形態１に係るＡＶシステムは、テレビ１０とＤＶＤレコーダ２０とセットトップボックス３０とから構成されている。また、ＡＶシステムは、例えばリモコン４０を備える。【００３４】
ＡＶシステムにおいて、ＤＶＤレコーダ２０とセットトップボックス３０とは、ＨＤＭＩケーブルでテレビ１０と接続されている。また、ＨＤＭＩにおけるＣＥＣラインは、テレビ１０のＣＥＣ通信部１１１内で接続されている。テレビ１０とＤＶＤレコーダ２０とセットトップボックス３０とは、制御コマンドとしてＣＥＣコマンドを相互に送受信することができる。【００３５】
テレビ１０は、ＨＤＭＩケーブルを介して接続された機器から出力される映像・音声と、アンテナ（図示せず）を介して受信した放送信号とを出力する機器である。【００３６】
テレビ１０は、動作モード切換タイマー１０１、消費電力量記憶部１０２、消費電力節約量記憶部１０３、消費電力記憶部１０４、リモコン受信部１０５、映像出力部１０６、音声出力部１０７、アクティブソース機器記憶部１０８、接続機器一覧記憶部１０９、マイコン１１０、ＣＥＣ通信部１１１、ＴＭＤＳデコード部１１２、ＴＭＤＳ入力部１１３、ＨＤＭＩ入力部１１４及び１１５、チューナ１２０、動作機能設定記憶部１２１並びに動作状態記憶部１２２から構成される。【００３７】
動作モード切換タイマー１０１は、タイマーと、動作モード切換時刻記憶部とから構成される。【００３８】
動作モード切換タイマー１０１は、マイコン１１０を介して、動作モード１へ切り換える時刻１と動作モード２へ切り換える時刻２とを記憶し、時刻１または時刻２になると、それぞれ設定した時刻になったことをマイコン１１０へ通知する。【００３９】
消費電力量記憶部１０２は、当日分の消費電力量を一時的に記憶する当日分記憶部と、過去一定期間の消費電力量を記憶するログ記録部とから構成される。なお、消費電力量記憶部１０２のログ記憶部は、不揮発性記憶装置から構成される。【００４０】
消費電力節約量記憶部１０３は、当日分の消費電力節約量を一時的に記憶する当日分記憶部と、過去一定期間の消費電力量を記憶するログ記録部とから構成される。なお、消費電力節約量記憶部１０３のログ記憶部は、不揮発性記憶装置から構成される。【００４１】
消費電力記憶部１０４は、テレビ１０の複数の動作状態において、各動作状態における消費電力を記憶する。【００４２】
リモコン受信部１０５は、リモコン４０から発信される信号を受信し、マイコン１１０に通知する。ここで、リモコン４０は、入力手段として、電源ボタン、メニュー表示ボタン及び上下左右ボタンなどの複数のボタンと、リモコン信号送信部とから構成される。【００４３】
映像出力部１０６は、ディスプレイ部であり、ＴＭＤＳデコード部１１２、チューナ１２０から出力される映像を表示する。また、映像出力部１０６は、マイコン１１０からの通知に応じて、メッセージ及びメニューを入力映像に重畳してＯＳＤ（Ｏｎ  Ｓｃｒｅｅｎ  Ｄｉｓｐｌａｙ）表示する。【００４４】
音声出力部１０７は、スピーカ部であり、ＴＭＤＳデコード部１１２またはチューナ１２０から出力される音声を出力する。【００４５】
アクティブソース機器記憶部１０８は、ＣＥＣ通信部１１１が＜Ａｃｔｉｖｅ  Ｓｏｕｒｃｅ＞コマンドを他の機器から受信した場合には、当該コマンドの送信元の機器のＬＡ及びＰＡを記憶する。アクティブソース機器記憶部１０８は、ＣＥＣ通信部１１１が＜Ａｃｔｉｖｅ  Ｓｏｕｒｃｅ＞コマンドを送信した場合には、テレビ１０がアクティブソースであることを記憶する。【００４６】
接続機器一覧記憶部１０９は、ＣＥＣ通信部１１１が＜Ｐｏｌｌｉｎｇ  Ｍｅｓｓａｇｅ＞コマンドを送信したときの応答や、他の機器からのコマンドを受信し、通信ネットワークに接続されている機器の一覧を記憶する。【００４７】
マイコン１１０は、プログラムを実行する装置である。マイコン１１０は、動作モード切換タイマー１０１、リモコン受信部１０５及びＣＥＣ通信部１１１からの通知を受ける。マイコン１１０は、その通知を受けて、消費電力量記憶部１０２、消費電力節約量記憶部１０３、消費電力記憶部１０４、アクティブソース機器記憶部１０８、接続機器一覧記憶部１０９及び動作機能設定記憶部１２１、動作モード切換タイマー１０１の各記憶部に対して情報を書き込み・読み出ししつつ、ＣＥＣ通信部１１１、チューナ１２０、映像出力部１０６等を制御する。また、マイコン１１０は、図示しないテレビ１０が具備する各種機能の制御も行う。【００４８】
ＣＥＣ通信部１１１は、通信ネットワークを介して制御コマンドを送受信する装置の一例であって、ＣＥＣコマンドの送受信を行う。【００４９】
ＨＤＭＩ入力部１１４は、ＨＤＭＩ入力ポートであり、本実施の形態では、ＤＶＤレコーダ２０とＨＤＭＩ接続され、映像音声データの受信や制御メッセージの双方向通信を行う。ＨＤＭＩ入力部１１４は、ＨＰＤ信号１１４＿１、ＤＤＣ信号１１４＿２、ＴＭＤＳ信号１１４＿３及びＣＥＣ信号１１４＿４の伝送に使用される。【００５０】
ＨＤＭＩ入力部１１５は、ＨＤＭＩ入力ポートであり、本実施の形態では、セットトップボックス３０とＨＤＭＩ接続され、映像音声データの受信や制御メッセージの双方向通信を行う。ＨＤＭＩ入力部１１５は、ＨＰＤ信号１１５＿１、ＤＤＣ信号１１５＿２、ＴＭＤＳ信号１１５＿３及びＣＥＣ信号１１５＿４の伝送に使用される。【００５１】
ここで、ＨＤＭＩ入力部１１４及びＨＤＭＩ入力部１１５は、ＨＤＭＩに限定されない。例えば、ＨＤＭＩ入力部１１４及びＨＤＭＩ入力部１１５は、有線・無線を問わず、同等の機能を提供する、例えば適応した通信方式に応じたインターフェースであってもよい。【００５２】
ＴＭＤＳ入力部１１３は、ＴＭＤＳデータが、ＨＤＭＩ入力部１１４、１１５のＴＭＤＳ信号１１４＿３、１１５＿３を用いて入力され、ＴＭＤＳデコード部１１２に出力する。【００５３】
ＴＭＤＳデコード部１１２は、ＴＭＤＳデータをＴＭＤＳデコードし、デコードした映像データを映像出力部１０６に、デコードした音声データを音声出力部１０７に出力する。【００５４】
チューナ１２０は、アンテナ（図示せず）より入力された放送信号を、デコードする。チューナ１２０は、デコードした映像データを映像出力部１０６に、デコードした音声データを音声出力部１０７に出力する。【００５５】
動作機能設定記憶部１２１は、図５Ｃに示すようなテレビ１０の各種動作状態と各種機能との対応を示すテーブルを記憶している。なお、図５Ｃに示すテレビ１０の機能は一例であって、これらの機能に限定されない。テレビ１０が備える全ての機能について、動作状態と対応付けられていればよい。【００５６】
動作状態記憶部１２２は、記憶装置であって、テレビ１０の動作状態が変化したとき、当該動作状態を開始した時刻及び、当該動作状態を示す情報を記憶する。また、動作状態記憶部１２２は、当該動作状態が、動作モード切換タイマー１０１による状態変化であるか、否か示すフラグを記憶する。また、動作状態記憶部１２２は、一定時間ごとに動作状態を継続したことを動作継続時刻記憶部に記憶する。【００５７】
ＤＶＤレコーダ２０は、アンテナ（図示せず）を介して受信した放送信号を録画し、録画した映像・音声信号を、ＨＤＭＩケーブルを介して出力する機器である。ＤＶＤレコーダ２０は、図３に示すように、動作モード切換タイマー２０１、消費電力量記憶部２０２、消費電力節約量記憶部２０３、消費電力記憶部２０４、リモコン受信部２０５、アクティブソース状態記憶部２０８、マイコン２１０、ＣＥＣ通信部２１１、デコード部２１２、ＴＭＤＳ出力部２１３、ＨＤＭＩ出力部２１４、ＴＶ電源状態判定部２１６、録画タイマー２１７、ＩＰ通信部２１８、録画部２１９、チューナ２２０、動作機能設定記憶部２２１及び動作状態記憶部２２２から構成される。【００５８】
動作モード切換タイマー２０１は、タイマーと動作モード切換時刻記憶部とから構成される。動作モード切換タイマー２０１は、マイコン２１０を介して、動作モード１へ切り換える時刻１及び、動作モード２へ切り換える時刻２を記憶し、時刻１または、時刻２になると、それぞれ設定した時刻になったことをマイコン２１０へ通知する。【００５９】
消費電力量記憶部２０２は、当日分の消費電力量を一時的に記憶する当日分記憶部と、過去一定期間の消費電力量を記憶するログ記録部とから構成される。なお、消費電力量記憶部２０２のログ記憶部は、不揮発性記憶装置から構成される。【００６０】
消費電力節約量記憶部２０３は、当日分の消費電力節約量を一時的に記憶する当日分記憶部と、過去一定期間の消費電力量を記憶するログ記録部とから構成される。なお、消費電力節約量記憶部２０３のログ記憶部は、不揮発性記憶装置から構成される。【００６１】
消費電力記憶部２０４は、ＤＶＤレコーダ２０の複数の動作状態において、各動作状態における消費電力を記憶する。【００６２】
リモコン受信部２０５は、ＤＶＤレコーダ２０に対応するリモコン４０（図示せず）から発信される信号を受信し、マイコン２１０に通知する。ここで、リモコン４０は、上述したように、入力手段として、電源ボタン、メニュー表示ボタン及び上下左右ボタンなどの複数のボタンと、リモコン信号送信部とから構成されている。【００６３】
アクティブソース状態記憶部２０８は、ＣＥＣ通信部２１１が＜Ａｃｔｉｖｅ  Ｓｏｕｒｃｅ＞コマンドを送信した場合には、ＤＶＤレコーダ２０がアクティブソースであることを記憶する。アクティブソース状態記憶部２０８は、ＣＥＣ通信部２１１が＜Ａｃｔｉｖｅ  Ｓｏｕｒｃｅ＞コマンドを他の機器から受信した場合には、ＤＶＤレコーダ２０がアクティブソース状態であることを消去する。【００６４】
マイコン２１０は、プログラムを実行する装置である。マイコン２１０は、動作モード切換タイマー２０１、リモコン受信部２０５、ＣＥＣ通信部２１１、ＴＶ電源状態判定部２１６及び録画タイマー２１７からの通知を受ける。マイコン２１０は、その通知を受けて、消費電力記憶部２０４、消費電力量記憶部２０２、消費電力節約量記憶部２０３、アクティブソース状態記憶部２０８及び動作機能設定記憶部２２１の各記憶部に対して情報を書き込み・読み出ししつつ、ＣＥＣ通信部２１１、デコード部２１２、ＩＰ通信部２１８、録画部２１９及びチューナ２２０等を制御する。また、マイコン２１０は、ＤＶＤレコーダ２０が具備する図示しないその他の各種機能の制御も行う。【００６５】
例えば、他の機器との通信を行うためのＩＰ通信部（ＩＰ通信機能）、現在時刻の表示や受信中のチャンネル情報などを表示するＬＥＤ時計表示部（ＬＥＤ時計表示機能）を制御する。もちろん、マイコン２１０は、チューナから出力された放送信号（映像・音声データが含まれる）を録画する録画部２１９（録画機能）も制御する。これらの各部については、個別に電源オンや電源オフの制御をマイコン２１０により制御することができる。【００６６】
ＣＥＣ通信部２１１は、通信ネットワークを介して制御コマンドを送受信する装置の一例であって、ＣＥＣコマンドの送受信を行う。【００６７】
なお、制御コマンドを送受信する通信ネットワークは、ＣＥＣに限らず、ＩＰなど有線または無線を利用したものでもよい。【００６８】
デコード部２１２は、チューナ２２０または録画部２１９から入力された映像・音声データを適切にデコードして、デコードした映像データ及び音声データをＴＭＤＳ出力部に出力する。【００６９】
ＴＭＤＳ出力部２１３は、映像データ及び、音声データをＴＭＤＳデータの信号として、ＨＤＭＩ出力部２１４のＴＭＤＳ２１４＿３を介して出力する。【００７０】
ＨＤＭＩ出力部２１４は、ＴＭＤＳ出力部２１３より入力されたＴＭＤＳデータを、ＴＭＤＳ信号２１４＿３を用いて出力する。【００７１】
ＴＶ電源状態判定部２１６は、ＣＥＣ通信部２１１を介して、テレビ１０が送信するＣＥＣコマンドの受信をし、テレビ１０への電源状態問い合わせによって、テレビ１０が電源オンであるのか電源オフであるのか判定する。ＴＶ電源状態判定部２１６は、その判定結果をマイコン２１０に通知する。【００７２】
録画タイマー２１７は、予約されている放送録画を開始するためのタイマーであり、設定された時刻になると、録画開始を録画部２１９と、マイコン２１０とに通知する。【００７３】
ＩＰ通信部２１８は、ＤＶＤレコーダ２０が備える機能の一例であって、ＩＰ通信によって、接続された機器（図示せず）との情報の送受信を行う。【００７４】
録画部２１９は、チューナ２２０が出力する放送信号をハードディスク等の記録装置に記録する装置である。【００７５】
チューナ２２０は、アンテナ（図示せず）より入力された放送信号を、録画部２１９または、デコード部２１２に出力する。【００７６】
動作機能設定記憶部２２１は、図５Ａに示すようなＤＶＤレコーダ２０の各種動作状態と各種機能との対応を示すテーブルを記憶している。【００７７】
なお、図５Ａに示すＤＶＤレコーダ２０の機能は一例であって、これらの機能に限定されない。ＤＶＤレコーダ２０が備える全ての機能について、動作状態と対応付けられている。【００７８】
動作状態記憶部２２２は、記憶装置であって、ＤＶＤレコーダ２０の動作状態が変化したとき、当該動作状態を開始した時刻及び、当該動作状態を示す情報を記憶する。また、動作状態記憶部２２２は、当該動作状態が、動作モード切換タイマー２０１による状態変化であるか否かを示すフラグを記憶する。また、動作状態記憶部２２２は、一定時間ごとに動作状態を継続したことを動作継続時刻記憶部に記憶する。【００７９】
セットトップボックス３０は、放送信号ケーブル（図示せず）を介して受信した放送信号をデコードし、映像・音声信号を、ＨＤＭＩケーブルを介して出力する機器である。【００８０】
セットトップボックス３０は、図４に示すように、動作モード切換タイマー３０１、消費電力量記憶部３０２、消費電力節約量記憶部３０３、消費電力記憶部３０４、リモコン受信部３０５、アクティブソース状態記憶部３０８、マイコン３１０、ＣＥＣ通信部３１１、デコード部３１２、ＴＭＤＳ出力部３１３、ＨＤＭＩ出力部３１４、ＴＶ電源状態判定部３１６、チューナ３２０、動作機能設定記憶部３２１及び動作状態記憶部３２２から構成される。【００８１】
動作モード切換タイマー３０１は、タイマーと、動作モード切換時刻記憶部とから構成される。動作モード切換タイマー３０１は、マイコン３１０を介して、動作モード１へ切り換える時刻１と動作モード２へ切り換える時刻２とを記憶し、時刻１または時刻２になると、それぞれ設定した時刻になったことをマイコン３１０へ通知する。【００８２】
消費電力量記憶部３０２は、当日分の消費電力量を一時的に記憶する当日分記憶部と、過去一定期間の消費電力量を記憶するログ記録部とから構成される。なお、消費電力量記憶部３０２のログ記憶部は、不揮発性記憶装置から構成される。【００８３】
消費電力節約量記憶部３０３は、当日分の消費電力節約量を一時的に記憶する当日分記憶部と、過去一定期間の消費電力量を記憶するログ記録部とから構成される。なお、消費電力節約量記憶部３０３のログ記憶部は、不揮発性記憶装置から構成される。【００８４】
消費電力記憶部３０４は、セットトップボックス３０の複数の動作状態において、各動作状態における消費電力を記憶する。【００８５】
リモコン受信部３０５は、ＤＶＤレコーダ２０に対応するリモコン４０（図示せず）から発信される信号を受信し、マイコン３１０に通知する。ここで、リモコン４０は、上述したように、入力手段として、電源ボタン、メニュー表示ボタン、上下左右ボタンなどの複数のボタンと、リモコン信号送信部から構成される。【００８６】
アクティブソース状態記憶部３０８は、ＣＥＣ通信部３１１が＜Ａｃｔｉｖｅ  Ｓｏｕｒｃｅ＞コマンドを送信した場合には、セットトップボックス３０がアクティブソースであることを記憶する。アクティブソース状態記憶部３０８は、ＣＥＣ通信部３１１が＜Ａｃｔｉｖｅ  Ｓｏｕｒｃｅ＞コマンドを他の機器から受信した場合には、セットトップボックス３０がアクティブソース状態であることを消去する。【００８７】
マイコン３１０は、プログラムを実行する装置である。マイコン３１０は、動作モード切換タイマー３０１、リモコン受信部３０５、ＣＥＣ通信部３１１及びＴＶ電源状態判定部３１６からの通知を受ける。マイコン３１０は、その通知を受けて、消費電力記憶部３０４、消費電力量記憶部３０２、消費電力節約量記憶部３０３、アクティブソース状態記憶部３０８及び動作機能設定記憶部３２１の各記憶部に対して情報を書き込み・読み出ししつつ、ＣＥＣ通信部３１１、デコード部３１２及びチューナ３２０等を制御する。また、マイコン３１０は、セットトップボックス３０が具備する図示しない各種機能の制御も行う。【００８８】
ＣＥＣ通信部３１１は、通信ネットワークを介して制御コマンドを送受信する装置の一例であって、ＣＥＣコマンドの送受信を行う。【００８９】
なお、制御コマンドを送受信する通信ネットワークは、ＣＥＣに限らず、ＩＰなど有線または無線を利用したものでもよい。【００９０】
デコード部３１２は、チューナ３２０から入力された映像・音声データを適切にデコードして、映像データ及び、音声データをＴＭＤＳ出力部に出力する。【００９１】
ＴＭＤＳ出力部３１３は、映像データ及び、音声データをＴＭＤＳデータの信号として、ＨＤＭＩ出力部３１４のＴＭＤＳ３１４＿３を介して出力する。【００９２】
ＨＤＭＩ出力部３１４は、ＴＭＤＳ出力部３１３より入力されたＴＭＤＳデータを、ＴＭＤＳ信号３１４＿３を用いて出力する。【００９３】
ＴＶ電源状態判定部３１６は、ＣＥＣ通信部３１１を介して、テレビ１０が送信するＣＥＣコマンドの受信をし、テレビ１０への電源状態問い合わせによって、テレビ１０が電源オンであるのか電源オフであるのか判定する。ＴＶ電源状態判定部３１６は、その判定結果を、マイコン３１０に通知する。【００９４】
チューナ３２０は、アンテナ（図示せず）より入力された放送信号を、録画部２１９または、デコード部２１２に出力する。【００９５】
動作状態記憶部３２２は、記憶装置であって、セットトップボックス３０の動作状態が変化したとき、当該動作状態を開始した時刻及び、当該動作状態を示す情報を記憶する。【００９６】
また、動作状態記憶部３２２は、当該動作状態が、動作モード切換タイマー３０１による状態変化であるか、否か示すフラグを記憶する。また、動作状態記憶部３２２は、一定時間ごとに動作状態を継続したことを動作継続時刻記憶部に記憶する。【００９７】
動作機能設定記憶部３２１は、図５Ｂに示すようなセットトップボックス３０の各種動作状態と各種機能との対応を示すテーブルを記憶している。【００９８】
なお、図５Ｂに示すセットトップボックス３０の機能は一例であって、これらの機能に限定されない。セットトップボックス３０が備える全ての機能について、動作状態と対応付けられていればよい。【００９９】
＜動作＞
（ユーザによる動作モードと動作する機能の組み合わせの設定）
通信ネットワークに接続された、テレビ１０、ＤＶＤレコーダ２０及びセットトップボックス３０は、それぞれの動作機能設定記憶部１２１、２２１及び３２１に、各動作モードにおいて動作する機能を示す動作モードと機能との対応表を記憶している。【０１００】
図５Ａ、図５Ｂ及び図５Ｃは、それぞれＤＶＤレコーダ２０、セットトップボックス３０、テレビ１０における動作モードと機能との対応表の一例である。図５Ａ、図５Ｂ及び図５Ｃは、ＤＶＤレコーダ２０、セットトップボックス３０、テレビ１０の機器それぞれが複数の動作モードを持ち、動作モードそれぞれにおいて通電して機能を動作する場合、通電せずに機能を動作しない場合を示している。【０１０１】
例えば、図５Ａは、ＤＶＤレコーダ２０において、ＤＶＤレコーダ２０の動作モードが電源オフ動作モード２であり、かつ、ＴＶ電源状態判定部２１６によってＴＶ電源オフと判定されているときは、録画機能は動作し、ＩＰ通信機能、ＬＥＤ時計表示機能及びＨＤＭＩ映像・音声出力機能は動作しないことを示している。【０１０２】
また、図５Ａに示すように、ＤＶＤレコーダ２０は、電源オフの状態において、少なくとも消費電力が異なる電源オフ動作モード１及び電源オフ動作モード２を持つことを示している。すなわち、ＤＶＤレコーダ２０は、例えば電源オフ動作モード１、電源オフ動作モード２を持つ。このうち、電源オフ動作モード１は、ＨＤＭＩ映像・音声出力は通電しないが、録画機能とＩＰ通信機能及びＬＥＤ時計表示といったメインマイコンには通電している状態であるなどといった、電源オフ状態であるものの一部には電源が供給されている状態である。また、電源オフ動作モード２は、ＨＤＭＩ映像・音声出力とメインマイコンには通電せず、録画機能のみ通電している状態であるなどといった、電源オフ状態であるものの電源オフ動作モード１よりも動作する機能を少なくした状態である。このため、電源オフ動作モード２では、電源オフ動作モード１よりも、通電している機能が少ないため消費電力が低くなる。【０１０３】
また、図５Ａでは、ＤＶＤレコーダ２０は、ＨＤＭＩ映像・音声出力と録画機能とＩＰ通信機能及びＬＥＤ時計表示のメインマイコンにも通電しない動作モード３（完全オフモード）を持つことを示している。【０１０４】
なお、セットトップボックス３０、テレビ１０も同様のため、説明は省略する。【０１０５】
ただし、リモコン受信機能などの動作モードに関係なく動作しつづける機能もあるが、本実施例では図示しない。また、図５Ａ、図５Ｂ及び図５Ｃに示す機能は、それぞれの機器における機能の一部を例示するものであって、動作モードと対応付けられる機能はこれらに限定されるものではない。【０１０６】
また、ユーザは、テレビ１０、ＤＶＤレコーダ２０及びセットトップボックス３０のリモコン４０を利用して、前記動作モードと機能との対応表を変更することができる。【０１０７】
図６は、本発明の実施の形態１に係るＤＶＤレコーダ２０における動作モードと機能とを設定するメニューの一例である。メニュー１６００は、ＤＶＤレコーダ２０において動作モードと機能との対応を変更するＯＳＤ（Ｏｎ  Ｓｃｒｅｅｎ  Ｄｉｓｐｌａｙ）メニュー表示の一例である。図６において、メニュー項目１６０２〜１６０４は、動作モード切換後に動作する機能の組み合わせを示しており、カーソル１６０１は選択中のメニュー項目を示している。【０１０８】
ユーザが、ＤＶＤレコーダ２０のリモコン４０（図示せず）等の入力手段によって、カーソル１６０１を動かして所望のメニュー項目を選択すると、マイコン２１０は、選択されたメニュー項目に対応する値になるように、動作機能設定記憶部２２１の動作モードと機能との対応表の書き換えを行う。【０１０９】
テレビ１０、セットトップボックス３０も同様のＯＳＤメニュー表示機能を具備し、ユーザはそれぞれの機器において、各種動作モードで所望の機能のみ動作するように設定することで、動作機能設定記憶部１２１及び３２１の書き換えを行うことができる。【０１１０】
（各機器のタイマーで時間に応じて動作モードの設定を行う）
図７は、本発明の実施の形態１に係るテレビ１０におけるＯＳＤメニュー表示による動作モード切換時刻設定方法の一例である。【０１１１】
まず、ユーザは、テレビ１０が備える入力手段によって電源オン動作モード１及び電源オフ動作モード１で動作開始する時刻１と、電源オン動作モード２及び電源オフ動作モード２で動作開始する時刻２とを予め指定する。【０１１２】
ここで、時刻１及び時刻２の設定は、例えば、テレビ１０の映像出力部１０６にＯＳＤメニュー２１００に示すようなメニューを表示し、ユーザはテレビ１０のリモコン４０の入力手段であるボタンを押すことで、メニューから動作モード１及び動作モード２の開始時刻を所望の時刻に変更して、時刻１及び時刻２を設定する。【０１１３】
ユーザの操作により、時刻１及び時刻２が決定されると、テレビ１０では、ユーザが指定した時刻１及び時刻２をパラメタとして動作モード切換時刻設定コマンドを、ＣＥＣ通信部１１１によって、接続されたＤＶＤレコーダ２０及びセットトップボックス３０に送信する。また、テレビ１０は、動作モード切換タイマー１０１に時刻１及び時刻２をセットする。【０１１４】
次に、ＤＶＤレコーダ２０及びセットトップボックス３０は、当該動作モード切換時刻設定コマンドを受信し、当該コマンドのパラメタに指定された時刻１及び時刻２を、各機器の動作モード切換タイマー２０１及び３０１にセットする。【０１１５】
次に、ＤＶＤレコーダ２０の動作モード切換タイマー２０１は、時刻２になると、時刻２になったことをマイコン２１０に通知する。【０１１６】
マイコン２１０は、当該通知を受信し、ＤＶＤレコーダ２０の動作モードが電源オン動作モード１であった場合は、電源オン動作モード２へ切り換える。マイコン２１０は、当該通知を受信し、自身の動作モードが電源オフ動作モード１であった場合には、電源オフ動作モード２へ切り換えて、動作開始する。【０１１７】
また、ＤＶＤレコーダ２０は、動作モードを切り換える際に、ＤＶＤレコーダ２０の動作機能設定記憶部２２１を参照する。ＤＶＤレコーダ２０は、切り換え後の動作モードにおいて動作しないように設定されている機能についてプログラムを終了させるかまたは通電しないようにし、切り換え後の動作モードにおいて動作するように設定されている機能についてプログラムを開始させるか通電開始する。【０１１８】
例えば、ＤＶＤレコーダ２０は、電源オフ動作モード２において、ＤＶＤレコーダ２０のＩＰ通信部２１８が動作しないように設定されている場合には、ＩＰ通信部２１８のプログラムを終了させ、当該ＩＰ通信部２１８に通電しないようにする。【０１１９】
セットトップボックス３０の動作モード切換タイマー３０１も同様に、時刻２になると、時刻２になったことを、マイコン３１０に通知する。【０１２０】
そして、マイコン３１０は、当該通知を受信し、セットトップボックス３０の動作モードが電源オン動作モード１であった場合は、電源オン動作モード２へ切り換える。マイコン３１０は、当該通知を受信し、自身の動作モードが電源オフ動作モード１であった場合には、電源オフ動作モード２へ切り換えて、動作開始する。【０１２１】
また、セットトップボックス３０は、ＤＶＤレコーダ２０と同様に動作モードを切り換える際に、セットトップボックス３０の動作機能設定記憶部３２１を参照する。セットトップボックス３０は、切り換え後の動作モードにおいて動作しないように設定されている機能についてプログラムを終了させるかまたは通電しないようにし、切り換え後の動作モードにおいて動作するように設定されている機能についてプログラムを開始させるか通電開始する。【０１２２】
また、テレビ１０の動作モード切換タイマー１０１も同様に、時刻２になると時刻２になったことを、マイコン１１０に通知する。【０１２３】
そして、マイコン１１０は、当該通知を受信し、電源オン動作モード１であった場合には、電源オン動作モード２へ切り換える。マイコン１１０は、当該通知を受信し、自身の動作モードが電源オフ動作モード１であった場合には、電源オフ動作モード２へ切り換えて動作開始する。【０１２４】
また、テレビ１０、ＤＶＤレコーダ２０、セットトップボックス３０は、時刻１になった場合も同様に、各々の機器の動作モード切換タイマー（１０１、２０１及び３０１）によって動作モードを切り換える。【０１２５】
ＤＶＤレコーダ２０の動作モード切換タイマー２０１は、時刻１になると、時刻１になったことをマイコン２１０に通知する。【０１２６】
そして、マイコン２１０は、当該通知を受信し、ＤＶＤレコーダ２０の動作モードが電源オン動作モード２であった場合は、電源オン動作モード１へ切り換える。マイコン２１０は、当該通知を受信し、自身の動作モードが電源オフ動作モード２であった場合には、電源オフ動作モード１へ切り換えて、動作開始する。【０１２７】
また、セットトップボックス３０の動作モード切換タイマー３０１も同様に、時刻１になると、時刻１になったことを、マイコン３１０に通知する。【０１２８】
そして、マイコン３１０は、当該通知を受信し、ＤＶＤレコーダ２０の動作モードが電源オン動作モード２であった場合は、電源オン動作モード１へ切り換える。マイコン３１０は、当該通知を受信し、自身の動作モードが電源オフ動作モード２であった場合には、電源オフ動作モード１へ切り換えて、動作開始する。【０１２９】
また、テレビ１０の動作モード切換タイマー１０１も同様に、時刻１になると時刻１になったことを、マイコン１１０に通知する。【０１３０】
そして、マイコン１１０は、当該通知を受信し、電源オン動作モード２であった場合には、電源オン動作モード１へ切り換える。マイコン１１０は、当該通知を受信し、自身の動作モードが電源オフ動作モード２であった場合には、電源オフ動作モード１へ切り換えて動作開始する。【０１３１】
以上のように、テレビ１０でユーザによりＤＶＤレコーダ２０またはセットトップボックス３０の動作モードを切り換える時刻が指定された場合に、テレビ１０により送信された制御コマンドに基づいて、ＤＶＤレコーダ２０またはセットトップボックス３０は、指定された時刻を各機器の動作モード切換タイマー２０１または３０１にセットする。そして、指定された時刻になると、ユーザにより指定された動作モードに切り換える。このように、各機器のタイマーで時間に応じて動作モードを切り換える。【０１３２】
なお、動作モードを切り換える時刻の設定は、２つに限るものではなく、例えば、図８のように時間帯及び、曜日で動作モードを指定しても良い。また、動作モードも２つに限らず３つ以上の動作モードを切り換えてもよい。【０１３３】
また、動作モードを切り換えるタイミングは、時刻に限らず、経過時間としてもよい。すなわち、例えば、ある動作モードが所定の経過時間維持されたとき、その時間が経過したタイミングで他の動作モードに切り換えてもよい。【０１３４】
（電源オン／オフに連動して動作モードを切り換える動作）
ＤＶＤレコーダ２０及びセットトップボックス３０は、動作モード１及び動作モード２への切換を、動作モード切換タイマー２０１及び３０１によらないでテレビ１０の動作に連動させることもできる。以下に、ＤＶＤレコーダ２０及びセットトップボックス３０が、動作モード切換タイマー２０１及び３０１によらないでテレビ１０の電源状態に連動して、動作モード１または動作モード２への切換を行う動作について説明する。【０１３５】
ＤＶＤレコーダ２０とセットトップボックス３０とにおけるＴＶ電源状態判定部２１６及び３１６は、各々のＣＥＣ通信部２１１及び３１１を利用して、テレビ１０の電源状態の変化の検出とテレビ１０の電源状態の判定を行う。【０１３６】
ＴＶ電源状態判定部２１６及び３１６は、テレビ１０の電源状態を判定するために、一定時間ごとに、テレビ１０に対して電源状態を問い合わせるために＜Ｇｉｖｅ  Ｐｏｗｅｒ  Ｓｔａｔｕｓ＞コマンドを送信する。【０１３７】
テレビ１０は、＜Ｇｉｖｅ  Ｐｏｗｅｒ  Ｓｔａｔｕｓ＞コマンドを受信し、電源オンまたは電源オフの電源状態を＜Ｒｅｐｏｒｔ  Ｐｏｗｅｒ  Ｓｔａｔｕｓ＞コマンドのパラメタとして、＜Ｇｉｖｅ  Ｐｏｗｅｒ  Ｓｔａｔｕｓ＞コマンドの送信元の機器に対して送信する。【０１３８】
ＴＶ電源状態判定部２１６及び３１６は、一定時間ごとに当該＜Ｇｉｖｅ  Ｐｏｗｅｒ  Ｓｔａｔｕｓ＞コマンドを受信することでテレビ１０の電源状態の変化を検出し、テレビ１０の電源状態を判定することができる。【０１３９】
テレビ１０が電源オンするとき、または電源オフするときにそれぞれ特定のＣＥＣコマンドを送信する場合、ＴＶ電源状態判定部２１６及び３１６は、前記特定のＣＥＣコマンドを受信したときに、テレビ１０が電源オンしたのか、または、電源オフしたのかいずれであるのかを判定することができる。【０１４０】
例えば、テレビ１０が電源オフするときに＜Ｓｔａｎｄｂｙ＞コマンドを送信する場合には、ＤＶＤレコーダ２０または、セットトップボックス３０のＴＶ電源状態判定部２１６及び３１６は、テレビ１０からの＜Ｓｔａｎｄｂｙ＞コマンドを受信したときに、テレビ１０が電源オフしたと判定することができる。【０１４１】
次に、ユーザが、テレビ１０のリモコン４０またはテレビ１０の筺体に備える電源ボタン（図示せず）を押して、テレビ１０を電源オンする場合の動作の流れを以下に説明する。【０１４２】
まず、ＤＶＤレコーダ２０及びセットトップボックス３０におけるＴＶ電源状態判定部２１６及び３１６は、テレビ１０が電源オンしたことを検出し、マイコン２１０、３１０に通知する。【０１４３】
次に、ＤＶＤレコーダ２０及びセットトップボックス３０におけるマイコン２１０及び３１０は、当該通知によりテレビ１０が電源オンしたことを検出すると、各々の機器の動作モードを、電源オン動作モード１または電源オフ動作モード１へ切り換えて動作開始する。【０１４４】
また、テレビ１０が電源オン状態で動作中に、ユーザが、テレビ１０のリモコン４０またはテレビ１０の筺体に備える電源ボタン（図示せず）を押して、テレビ１０を電源オフすると、テレビ１０は、接続された機器の電源をオフする＜Ｓｔａｎｄｂｙ＞コマンドを送信する。【０１４５】
次に、ＤＶＤレコーダ２０及びセットトップボックス３０におけるＴＶ電源状態判定部２１６及び３１６は、当該＜Ｓｔａｎｄｂｙ＞コマンドを受信し、テレビ１０が電源オフしたと判定する。そして、その判定結果をマイコン２１０及び３１０にそれぞれ通知する。【０１４６】
ＤＶＤレコーダ２０及びセットトップボックス３０におけるマイコン２１０及び３１０は、当該通知によりテレビ１０が電源オフしたことを検出し、かつ、＜Ｓｔａｎｄｂｙ＞コマンドを受信しているため、それぞれ機器の動作モードを電源オフ動作モード２へ切り換えて動作開始する。【０１４７】
以上により、ＤＶＤレコーダ２０及びセットトップボックス３０は、動作モード切換タイマー２０１及び３０１によらないで動作モード１及び動作モード２への切換を行うことができる。すなわち、ＤＶＤレコーダ２０及びセットトップボックス３０は、テレビ１０の電源オンまたは電源オフの状態を判定することにより、テレビ１０が電源オンまたは電源オフになる際に連動して、動作モードを切り換える。【０１４８】
なお、ＴＶ電源状態判定部２１６及び３１６がテレビ１０の電源状態を判定する方法は、上述の方法に限定されない。例えば、ＤＶＤレコーダ２０及びセットトップボックス３０は、テレビ１０が電源オフであることをパラメタとした＜Ｒｅｐｏｒｔ  Ｐｏｗｅｒ  Ｓｔａｔｕｓ＞コマンドを受信し、テレビ１０が電源オフしたことを検出するとしてもよい。【０１４９】
（ユーザの視聴操作に対応して、ＤＶＤレコーダ２０及び、セットトップボックス３０が電源オフする動作）
ＤＶＤレコーダ２０は、動作モード１または動作モード２であるとき、例えばテレビ１０で視聴する映像・音声データをＤＶＤレコーダ２０からセットトップボックス３０に入力切換を行うとする。【０１５０】
そして、セットトップボックス３０からの映像・音声をユーザがテレビ１０で視聴している場合、ＤＶＤレコーダ２０が出力する映像・音声データをテレビ１０では視聴することができない。そのため、その場合にはＤＶＤレコーダ２０は、電源オフする。セットトップボックス３０も同様である。すなわち、テレビ１０の入力がＤＶＤレコーダ２０である場合は、セットトップボックス３０が出力する映像・音声データを、テレビ１０では視聴できないため、セットトップボックス３０は電源オフする。【０１５１】
図９は、ユーザの操作に対応してＤＶＤレコーダ２０及びセットトップボックス３０が動作するときにおけるＣＥＣコマンド送受信の流れの一例である。以下、図９を参照しつつ、ユーザによるテレビ１０の視聴操作に対応して、ＤＶＤレコーダ２０及びセットトップボックス３０が電源オフする動作について説明する。【０１５２】
まず、ユーザがテレビ１０のリモコン４０等の入力装置を操作することで電源オンする（ステップＳ１０１）。【０１５３】
次に、テレビ１０が電源オン後にテレビ１０に内蔵するチューナ１２０からの映像・音声を再生する場合には、テレビ１０は、＜Ａｃｔｉｖｅ  Ｓｏｕｒｃｅ＞コマンドをＤＶＤレコーダ２０及びセットトップボックス３０に向けてブロードキャストする。このとき、ＤＶＤレコーダ２０及びセットトップボックス３０ともに電源オン状態ではないため、当該＜Ａｃｔｉｖｅ  Ｓｏｕｒｃｅ＞コマンドに対してなにも動作しない（ステップＳ１０２、ステップＳ１０３）。【０１５４】
ただし、ＤＶＤレコーダ２０及びセットトップボックス３０におけるＴＶ電源状態判定部２１６及び３１６は、テレビ１０が電源オンするときに送信するＣＥＣコマンドを検出することによって、テレビ１０が電源オン状態になったと判定して、マイコン２１０及び３１０に通知する。【０１５５】
そして、通知を受けたマイコン２１０は、動作機能設定記憶部２２１を参照して、機器が動作モード１であった場合には、電源オフ動作モード１で、かつ、ＴＶ電源オンのときに動作する機能を起動する。一方、機器が動作モード２であった場合には、電源オフ動作モード２で、かつ、ＴＶ電源オンのときに動作する機能を起動する。【０１５６】
また、セットトップボックス３０のマイコン３１０も同様に、動作機能設定記憶部３２１を参照して、機器が動作モード１であった場合には、電源オフ動作モード１で、かつ、ＴＶ電源オンのときに動作する機能を起動する。一方、機器が動作モード２であった場合には、電源オフ動作モード２で、かつ、ＴＶ電源オンのときに動作する機能を起動する。【０１５７】
次に、ユーザは、セットトップボックス３０の視聴を開始するため、テレビ１０が表示するＯＳＤメニューを選択または、テレビ１０のリモコン４０のボタンを押して選択する（ステップＳ１０４）。【０１５８】
そして、テレビ１０は、セットトップボックス３０に対して、電源オンコマンドを送信する（ステップＳ１０５）。【０１５９】
次に、セットトップボックス３０は、当該電源オンコマンドを受信し、動作モード１または動作モード２の電源オン状態に遷移して、映像・音声の出力を開始する（ステップＳ１０６）。また、セットトップボックス３０は、映像・音声の出力を開始するときに＜Ａｃｔｉｖｅ  Ｓｏｕｒｃｅ＞コマンドをテレビ１０及びＤＶＤレコーダ２０に送信し、セットトップボックス３０のアクティブソース状態記憶部３０８に、セットトップボックス３０がアクティブソース状態であることを記録する。【０１６０】
次に、ユーザは、ＤＶＤレコーダ２０の視聴を開始するため、テレビ１０が表示するメニューの選択または、テレビ１０のリモコン４０のボタンを押して選択する（ステップＳ１０７）。【０１６１】
そして、テレビ１０は、ＤＶＤレコーダ２０に対して、電源オンコマンドを送信する（ステップＳ１０８）。【０１６２】
次に、ＤＶＤレコーダ２０は、当該電源オンコマンドを受信し、動作機能設定記憶部２２１を参照する。そして、現在の動作モードに対応する機能を動作させて電源オン状態に遷移する。また、ＤＶＤレコーダ２０は、さらに、映像・音声の出力を開始するとともに、映像・音声の出力を開始するときに＜Ａｃｔｉｖｅ  Ｓｏｕｒｃｅ＞コマンドをテレビ１０及びセットトップボックス３０に送信する（ステップＳ１０９）。また、それと同時に、アクティブソース状態記憶部２０８に自機器がアクティブソース状態であることを記憶する。【０１６３】
次に、セットトップボックス３０は、ステップＳ１０９で送信された＜Ａｃｔｉｖｅ  Ｓｏｕｒｃｅ＞コマンドを受信すると、他の機器がアクティブソース状態であると判断してアクティブソース状態記憶部３０８でのアクティブソース状態であることの記録を消去して、電源オフ状態に遷移する（ステップＳ１１０）。【０１６４】
このとき、ステップＳ１１０において、セットトップボックス３０のマイコン３１０は、動作機能設定記憶部３２１を参照して、機器（セットトップボックス３０）が動作モード１であった場合には、電源オフ動作モード１でＴＶ電源オンのときに動作する機能のみ動作するように不要な機能を終了させる。一方、マイコン３１０は、機器が動作モード２であった場合には、電源オフ動作モード２でＴＶ電源オンのときに動作する機能を動作するようにして、不要な機能を終了する。【０１６５】
また、ＤＶＤレコーダ２０も同様に、ＤＶＤレコーダ２０以外の機器からの＜Ａｃｔｉｖｅ  Ｓｏｕｒｃｅ＞コマンドを受信した場合には、他の機器がアクティブソース状態であると判断してアクティブソース状態記憶部２０８でのアクティブソース状態であることの記録を消去して、電源オフ状態に遷移する（ステップＳ１１４）。【０１６６】
ステップＳ１１４において、ＤＶＤレコーダ２０のマイコン２１０は、動作機能設定記憶部２２１を参照して、機器（ＤＶＤレコーダ２０）が動作モード１であった場合には、電源オフ動作モード１で、ＴＶ電源オンのときに動作する機能のみ動作するように不要な機能を終了する。一方、マイコン２１０は、機器が動作モード２であった場合には、電源オフ動作モード２でＴＶ電源オンのときに動作する機能を動作するようにして、不要な機能を終了する。【０１６７】
ところで、ユーザがテレビ１０の入力切換ボタンを押したとき、テレビ１０は指定された入力に接続されている機器のＰＡをパラメタとして、＜Ｓｅｔ  Ｓｔｒｅａｍ  Ｐａｔｈ＞コマンドを送信する。【０１６８】
そのため、ＤＶＤレコーダ２０またはセットトップボックス３０は、＜Ｓｅｔ  Ｓｔｒｅａｍ  Ｐａｔｈ＞コマンドのパラメタに示されるＰＡが、当該機器のＰＡと同じである場合には、電源オンして、＜Ａｃｔｉｖｅ  Ｓｏｕｒｃｅ＞コマンドを送信する。そして、ＤＶＤレコーダ２０またはセットトップボックス３０は、映像・音声データの送出を開始するとともに、自機器のアクティブソース状態記憶部２０８または３０８にアクティブソース状態であることを記憶する。【０１６９】
なお、ＤＶＤレコーダ２０またはセットトップボックス３０が、＜Ａｃｔｉｖｅ  Ｓｏｕｒｃｅ＞コマンドを受信して、電源オフした後に、一定時間、当該機器に対する、リモコン４０、セットトップボックス３０の筺体に具備されるボタン、ＣＥＣ等による操作がなかった場合には、ユーザによる自機器への操作は発生しないと見なしてもよい。その場合、ＤＶＤレコーダ２０またはセットトップボックス３０は、動作機能設定記憶部２２１及び３２１を参照して、動作モード１または動作モード２の各動作モードでテレビ１０電源オフのときに動作する機能のみを残して、さらに不要な機能を終了する電源オフの状態に遷移する。これについて、図９を用いて以下説明する。【０１７０】
例えば、図９に示すように、ステップＳ１１４の後、ユーザは、テレビ１０のチューナ１２０で放送を視聴するために、テレビ１０が表示するＯＳＤメニューを選択または、テレビ１０のリモコン４０のボタンを押して選択するとする（ステップＳ１１５）。【０１７１】
その場合、テレビ１０は、＜Ａｃｔｉｖｅ  Ｓｏｕｒｃｅ＞コマンドをＤＶＤレコーダ２０及びセットトップボックス３０に送信する（ステップＳ１１６、ステップＳ１１７）。【０１７２】
次に、セットトップボックス３０は、ステップＳ１１６で送信された＜Ａｃｔｉｖｅ  Ｓｏｕｒｃｅ＞コマンドを受信すると、他の機器がアクティブソース状態であると判断してアクティブソース状態記憶部３０８でのアクティブソース状態であることの記録を消去して、電源オフ状態（電源オフ動作モード１）に遷移する。【０１７３】
ここで、ＤＶＤレコーダ２０は、ステップＳ１１６で送信された＜Ａｃｔｉｖｅ  Ｓｏｕｒｃｅ＞コマンドを受信するが、ステップＳ１１４ですでに電源オフ状態（電源オフ動作モード１）に遷移にしているため、このコマンドに対してはなにもしない。【０１７４】
そして、ユーザがテレビ１０のチューナ１２０で放送を視聴しつづけている場合に、ＤＶＤレコーダ２０及びセットトップボックス３０が電源オフした後、一定時間経過してもこれら機器に対する操作がなかったときには、ＤＶＤレコーダ２０及びセットトップボックス３０は、電源がオフの状態における動作モードを動作モード１（電源オフ動作モード１）から動作モード２（電源オフ動作モード２）に切り換える。【０１７５】
ここで、ＤＶＤレコーダ２０及びセットトップボックス３０では、電源がオフの状態において、少なくとも消費電力が異なる２つの動作モードである電源オフ動作モード１及び電源オフ動作モード２がある。そして、図５で示すように、電源オフ動作モード２は、電源オフ動作モード１よりも動作する機能が少ないため消費電力が低い。【０１７６】
これにより、ＤＶＤレコーダ２０及びセットトップボックス３０において、テレビ１０が電源オンであるときに動作する機能に比べて、テレビ１０が電源オフであるときに動作する機能が少なくすることができる。また、ＤＶＤレコーダ２０及びセットトップボックス３０は、電源オフ状態に、さらに一定時間経過しても、操作がされなかった場合に、すぐに電源オンする必要がない状態であると見なして、さらに消費電力が少ない電源オフの状態に切り換えてもよい。そうすると、さらに消費電力をより少なくできるので、その結果消費電力を減らすことができる。【０１７７】
なお、上述のように一定時間経過しても操作がない場合に、すぐに電源オンする必要がないと見なすのは、ＤＶＤレコーダ２０及びセットトップボックス３０の対するマスター機器となるテレビ１０であってもよい。例えばユーザがテレビ１０のチューナ１２０で放送の視聴継続しており、テレビ１０に対して一定時間経過しても操作がないとき、テレビ１０が他の機器を制御するための制御コマンドをＤＶＤレコーダ２０及びセットトップボックス３０に送信すればよい。その場合、ＤＶＤレコーダ２０及びセットトップボックス３０は、受信した制御コマンドに基づいて、さらに消費電力が少ない電源オフの状態に切り換えればよい。【０１７８】
また、ＤＶＤレコーダ２０及びセットトップボックス３０が＜Ａｃｔｉｖｅ  Ｓｏｕｒｃｅ＞コマンドを受信した際に、電源オフする動作は直ちに動作する必要はなく、一定時間操作がなかったときに電源オフするようにしてもよい。【０１７９】
以上の動作により、ユーザの視聴操作に対応して、ＤＶＤレコーダ２０及び、セットトップボックス３０が電源オフすることができ、機器を視聴していないときに不要な機能を終了することで、消費電力を削減することができる。【０１８０】
（消費電力量を記録する）
テレビ１０、ＤＶＤレコーダ２０及びセットトップボックス３０は、それぞれの機器が消費した消費電力量と、前記動作モード切り換えタイマーの動作とによって動作状態が変化したことによる効果である消費電力節約量を記録する。【０１８１】
また、テレビ１０、ＤＶＤレコーダ２０及びセットトップボックス３０のそれぞれにおいて、各動作状態とその状態における機器の消費電力との組み合わせの表を消費電力記憶部（１０４、２０４及び３０４）に予め記憶しておく。ただし、複数の機能の動作の組み合わせに対して、消費電力が大きく変わらない場合は、ひとつの状態としてまとめてもよい。【０１８２】
以下、ＤＶＤレコーダ２０の動作を例に、消費電力量及び、消費電力節約量をテレビ１０が得る動作について説明する。【０１８３】
図１０は、ＤＶＤレコーダ２０の動作状態と消費電力との組み合わせの表の一例を示す図である。図１０では、ＤＶＤレコーダ２０の動作状態と消費電力の組み合わせを動作状態Ｅ１のとき４０Ｗ、動作状態Ｅ２のとき１０Ｗ、動作状態Ｅ３のとき０．５Ｗであるということを示している。【０１８４】
ＤＶＤレコーダ２０は、ユーザによる入力手段（図示せず）による操作、ＣＥＣコマンドの受信、または、録画タイマー２１７や動作モード切換タイマー２０１を含むＤＶＤレコーダ２０に具備するタイマーの動作により、機器の動作状態が変化したとき、当該動作状態を開始した時刻、及び、当該動作状態を示す情報を動作状態記憶部２２２に記憶する。【０１８５】
また、ＤＶＤレコーダ２０は、動作状態の変化が、動作モード切換タイマー２０１によって発生した場合は、動作モード切換タイマー２０１による状態変化であることを示すフラグを、動作状態記憶部２２２に記憶する。【０１８６】
次に、ＤＶＤレコーダ２０の動作状態が変化したとき、変化前の動作状態における消費電力量及び、消費電力節約量を計算する。以下詳細に説明する。【０１８７】
まず、ＤＶＤレコーダ２０は、動作状態記憶部２２２を参照し、動作状態を開始した時刻と現在の時刻との差を、動作状態を継続した時間として求める。【０１８８】
次に、動作状態記憶部２２２から、変化前の動作状態を参照し、当該動作状態における消費電力を、消費電力記憶部２０４を参照して取得する。【０１８９】
次に、取得した動作状態を継続した時間と該動作状態における消費電力との積を、該動作状態による消費電力量として求め、消費電力量記憶部２０２の当日分記憶部に記憶されている値に当該消費電力量を加算して記憶する。同時に、現在の時刻及び、動作状態変化後の動作状態を動作状態記憶部２２２に記憶する。【０１９０】
再び動作状態が変化したときも同様に、動作状態を継続した時間と、消費電力との積から、消費電力量を計算し、消費電力量記憶部２０２の当日分記憶部に記憶されている値に当該消費電力量を加算して記憶する。以上の一連の動作を繰り返す。【０１９１】
また、動作状態記憶部２２２を参照して、動作モード切換タイマー２０１による状態変化であった場合には、消費電力節約量を計算する。消費電力節約量は、次の手順で求める。【０１９２】
すなわち、動作状態記憶部２２２に記憶されている動作状態における消費電力と、通常の状態における消費電力の差を求め、該消費電力の差と動作状態を継続した時間との積を消費電力節約量とする。【０１９３】
ここで、通常の状態における消費電力とは、動作モード切換タイマー２０１をセットしなかった場合の動作状態における消費電力であって、消費電力節約量は動作モード切換タイマー２０１の動作によって減らした消費電力量を示している。当該消費電力節約量も、消費電力量と同様に、消費電力節約量記憶部２０３の当日分記憶部の値に加算して記憶する。【０１９４】
また、消費電力量記憶部２０２は、一定時間、例えば２４時間ごとに、当日分の値と、記録する日付及び時刻とを、対にして、消費電力量記憶部２０２のログ記録部に格納し、消費電力量記憶部２０２の当日分記憶部の値を消去して０にする。【０１９５】
消費電力節約量記憶部２０３も同様に、一定時間、例えば２４時間ごとに、当日分の値と、記録する日付及び時刻とを、対にして、消費電力節約量記憶部２０３のログ記録部に格納し、消費電力節約量記憶部２０３の当日分記憶部の値を消去して０にする。【０１９６】
なお、消費電力量及び、消費電力節約量のログを記録する間隔は、２４時間に限らず、一定の時間ごとであればよい。【０１９７】
また、各ログ記録部は、例えば３０日分のみ記録し、３０日を越える場合は、古い値から削除するように記録する。【０１９８】
また、ＤＶＤレコーダ２０は、上記の動作に加えて、予め設定した一定時間ごとに、ＤＶＤレコーダ２０の動作状態に変化がなかったことを、現在時刻とともに、動作状態記憶部２２２の動作継続時刻記憶部に記録する。【０１９９】
ところで、ユーザが、ＤＶＤレコーダ２０の電源ケーブルをコンセントから外すなど、ＤＶＤレコーダ２０への電源供給が途絶えて停止することがある。その場合、ＤＶＤレコーダ２０は、ＤＶＤレコーダ２０が再び電源供給を受けて、動作開始するとともに、動作状態記憶部２２２を参照して、動作状態と、動作状態を開始した時刻と、動作状態を継続した時刻を取得する。ＤＶＤレコーダ２０は、さらに、該動作状態を開始した時刻及び動作状態を継続した時刻の間の時間と、該動作状態における消費電力との積を、消費電力量記憶部２０２の当日分記憶部に加算して記憶する。【０２００】
図１１は、ＤＶＤレコーダ２０の動作と、消費電力の変化の一例である。以下、図１１を用いて消費電力量と、消費電力節約量とを記録する例を示す。なお、図１１は、横軸が時刻を示し、縦軸に時刻における消費電力を示す。【０２０１】
まず、０時にＤＶＤレコーダ２０のコンセント（図示せず）を接続し、動作状態Ｅ３で動作を開始すると、動作状態記憶部２２２には、動作状態Ｅ３を０時から開始したことが記憶される。【０２０２】
次に、１時にユーザが電源オンすると（図１１で電源オンＡ）、動作状態Ｅ３を０時から１時までの１時間継続したため、動作状態Ｅ３の消費電力０．５Ｗ×１時間＝０．５Ｗｈが消費電力量記憶部２０２の当日分記憶部に記憶される。また、動作状態Ｅ１になったため、動作状態記憶部２２２には動作状態Ｅ１が１時から開始したことが記憶される。【０２０３】
次に、２時にユーザがＤＶＤレコーダ２０を電源オフ（図１１で電源オフ）すると、動作状態Ｅ１を１時から２時までの１時間継続したため、動作状態Ｅ１の消費電力４０Ｗ×１時間＝４０Ｗｈを消費電力記憶部２０４の当日分記憶部に加算する。その結果、当日分の消費電力量は４０．５Ｗｈとなる。そして、動作状態記憶部２２２では動作状態Ｅ２を２時から開始したことが記憶される。【０２０４】
次に、３時に動作モード切換タイマー２０１が働いて、動作状態Ｅ３に変化する（図１１で動作状態切り換えタイマー）と、動作状態Ｅ２を２時から３時までの１時間継続したため、動作状態Ｅ２の消費電力１０Ｗ×１時間＝１０Ｗｈを消費電力量記憶部２０２の当日分記憶部に加算する。その結果、当日分の消費電力量は５０．５Ｗｈとなる。そして、動作状態記憶部２２２には動作状態Ｅ３を３時から開始したことと、動作モード切換タイマー２０１によって動作状態が変化したことが記憶される。【０２０５】
次に、６時にユーザがＤＶＤレコーダ２０を電源オンすると、動作状態Ｅ１に変化する。動作状態Ｅ３が３時から６時まで継続したため、動作状態Ｅ３の消費電力０．５Ｗ×３時間＝１．５Ｗｈを消費電力記憶部２０４の当日分記憶部に加算する。その結果、当日分の消費電力量は５２Ｗｈとなる。【０２０６】
また、動作モード切換タイマー２０１によって動作状態Ｅ３になっているため、消費電力節約量の計算を行う。ユーザが電源オフしたときの通常の動作状態である動作状態Ｅ２に対して、動作モード切換タイマー２０１の動作によって動作状態Ｅ３になっている。そのため、動作状態Ｅ２の消費電力と動作状態Ｅ３の消費電力の差９．５Ｗ×３時間＝２８．５Ｗｈを消費電力節約量記憶部２０３の当日分記憶部に記憶される。そして、動作状態記憶部２２２には、動作状態Ｅ１を６時から開始したことが記憶される。【０２０７】
以上の動作により、ＤＶＤレコーダ２０は消費電力量及び消費電力節約量を計算することができる。【０２０８】
また、テレビ１０及びセットトップボックス３０も同様に、動作状態記憶部１２２及び３２２と、消費電力記憶部１０４及び３０４と、消費電力量記憶部１０２及び３０２と、消費電力節約量記憶部１０３及び３０３とによって、消費電力量と消費電力節約量とを取得することができる。【０２０９】
（テレビ１０が消費電力量を表示する）
次に、ユーザがテレビ１０のリモコン４０または、テレビ１０が備えるメニューを操作して、消費電力量及び消費電力節約量の表示を開始する場合について説明する。【０２１０】
まず、テレビ１０は、接続されている機器に対して、消費電力量の情報を要求する消費電力量要求コマンドと、消費電力節約量の情報を要求する消費電力節約量要求コマンドとを送信する。【０２１１】
次に、ＤＶＤレコーダ２０及びセットトップボックス３０は、当該消費電力量要求コマンドをそれぞれ受信し、それぞれ消費電力量記憶部２０２及び３０２のログ記録部のなかの情報を参照して、テレビ１０に対して記録した日付・時刻と消費電力量との対をパラメタとして、消費電力量通知コマンドを送信する。【０２１２】
また、ＤＶＤレコーダ２０及びセットトップボックス３０は、当該消費電力節約量要求コマンドを受信し、それぞれ消費電力節約量記憶部２０３及び３０３のログ記録部のなかの情報を参照して、テレビ１０に対して記録した日付・時刻と消費電力節約量との対をパラメタとして、消費電力節約量通知コマンドを送信する。【０２１３】
次に、テレビ１０は、当該消費電力量通知コマンドを受信したら、各機器の消費電力量を合計し、１日ごとの消費電力量を表示する。【０２１４】
図１２は、本発明の実施の形態１に係るテレビ１０におけるＡＶシステムの各機器の動作状態及び、消費電力量の合計を表示する一例である。【０２１５】
例えば、図１２のＯＳＤ表示２００２に示すように横軸に時間、縦軸に消費電力量として、３０日前から１日前までの消費電力量を表示することができる。【０２１６】
また、テレビ１０が、当該消費電力節約量通知コマンドを受信した場合も同様に、１日ごとの消費電力節約量の合計を計算し、映像出力部１０６に表示することができる。さらに、消費電力量及び消費電力節約量の表示は、テレビ１０の消費電力量記憶部１０２及び、消費電力節約量記憶部１０３に記録されている値を加えて表示することもできる。【０２１７】
なお、消費電力量及び、消費電力節約量の表示は、それぞれの電力量に比例した数のアイコンを表示してもよい。【０２１８】
また、消費電力量または消費電力節約量の表示は、ユーザがテレビ１０を電源オンして、テレビ１０が映像の出画を開始したときに、ＯＳＤ表示するとしてもよい。【０２１９】
以上の動作により、テレビ１０、ＤＶＤレコーダ２０及びセットトップボックス３０の消費電力量及び消費電力節約量をユーザに表示することができる。【０２２０】
以上のように、実施の形態１によれば、マスターとなる機器（ここではテレビ１０）が他の機器を制御するための制御コマンドを他の機器に送信することにより、他の機器は、受信した制御コマンドに基づいて、動作状態を切り換えることができる。そのため、ＡＶシステムにおける電力消費を効率化することができる。【０２２１】
それにより、ＨＤＭＩなどの通信ネットワークを介して接続され、それぞれ消費電力の異なる複数の動作状態を持つ複数の機器に対して、ＡＶシステムにおける消費電力が効率化するように、複数の機器における複数の動作状態を制御することができる。【０２２２】
（実施の形態２）
なお、実施の形態２は、上述の実施の形態１の構成及び機能をそのまま備えるものであり、図面において実施の形態１と同様の構成には同一の符号を付し、その説明を省略する。【０２２３】
＜構成＞
図１３は、実施の形態２に係るＡＶシステムの概略構成を示す図である。図１４は、実施の形態２に係るテレビ５０の機能ブロック図である。図１５は、実施の形態２に係るＤＶＤレコーダ６０の機能ブロック図である。図１６は、実施の形態２に係るセットトップボックス７０の機能ブロック図である。なお、図１４、図１５及び図１６において、図２、図３及び図５と同様の要素には同一の符号を付しており、以下で詳細な説明は省略する。【０２２４】
テレビ５０は、実施の形態２における本発明に係る第一の機器の一例であり、実施の形態２におけるＤＶＤレコーダ６０及び、セットトップボックス７０は本発明に係る第二の機器の一例である。【０２２５】
図１３に示すように、実施の形態２に係るＡＶシステムは、テレビ５０と、ＤＶＤレコーダ６０と、セットトップボックス７０とから構成されている。また、ＡＶシステムは、例えばリモコン４０を備える。【０２２６】
ＡＶシステムにおいて、ＤＶＤレコーダ６０と、セットトップボックス７０は、ＨＤＭＩケーブルで、テレビ５０と接続されている。また、ＨＤＭＩにおけるＣＥＣラインは、テレビ５０のＣＥＣ通信部５１１内で接続されている。テレビ５０と、ＤＶＤレコーダ６０と、セットトップボックス７０とは、前記制御コマンドとして、ＣＥＣコマンドを相互に送受信することができる。【０２２７】
テレビ５０は、ＨＤＭＩケーブルを介して接続された機器から出力される映像・音声とアンテナ（図示せず）を介して受信した放送信号とを出力する機器である。【０２２８】
テレビ５０は、動作モード切換タイマー５０１、消費電力量記憶部５０２、消費電力節約量記憶部５０３、消費電力記憶部１０４、リモコン受信部１０５、映像出力部１０６、音声出力部１０７、アクティブソース機器記憶部１０８、接続機器一覧記憶部１０９、マイコン５１０、ＣＥＣ通信部５１１、ＴＭＤＳデコード部１１２、ＴＭＤＳ入力部１１３、ＨＤＭＩ入力部１１４及び１１５、チューナ１２０並びに動作機能設定記憶部１２１から構成される。【０２２９】
動作モード切換タイマー５０１は、タイマーと、動作モード切換時刻記憶部とから構成される。【０２３０】
動作モード切換タイマー５０１は、マイコン５１０を介して、動作モード１へ切り換える時刻１と動作モード２へ切り換える時刻２とを記憶し、時刻１または、時刻２になると、それぞれ設定した時刻になったことをマイコン５１０へ通知する。【０２３１】
消費電力量記憶部５０２、当日分の消費電力量を一時的に記憶する当日分記憶部と、過去一定期間の消費電力量を記憶するログ記録部とから構成される。消費電力量記憶部５０２において、当日分記憶部と、ログ記録部は、ＣＥＣで接続され、ＬＡ及びＰＡが異なる機器ごとに記録される。なお、消費電力量記憶部５０２のログ記憶部は、不揮発性記憶装置から構成される。【０２３２】
消費電力節約量記憶部５０３、当日分の消費電力節約量を一時的に記憶する当日分記憶部と、過去一定期間の消費電力量を記憶するログ記録部とから構成される。消費電力節約量記憶部５０３において、当日分記憶部とログ記録部とは、ＣＥＣで接続され、ＬＡ及びＰＡが異なる機器ごとに記録される。なお、消費電力節約量記憶部５０３のログ記憶部は、不揮発性記憶装置から構成される。【０２３３】
ＤＶＤレコーダ６０は、アンテナ（図示せず）を介して受信した放送信号を録画し、録画した映像・音声信号を、ＨＤＭＩケーブルを介して出力する機器である。ＤＶＤレコーダ６０は、図１５に示すように、消費電力記憶部２０４、リモコン受信部２０５、マイコン６１０、ＣＥＣ通信部６１１、デコード部２１２、ＴＭＤＳ出力部２１３、ＨＤＭＩ出力部２１４、録画タイマー２１７、ＩＰ通信部２１８、録画部２１９、チューナ２２０及び動作機能設定記憶部２２１から構成される。【０２３４】
セットトップボックス７０は、放送信号ケーブル（図示せず）を介して受信した放送信号をデコードし、映像・音声信号を、ＨＤＭＩケーブルを介して出力する機器である。セットトップボックス７０は、図１６に示すように、消費電力記憶部３０４、リモコン受信部３０５、マイコン７１０、ＣＥＣ通信部７１１、デコード部３１２、ＴＭＤＳ出力部３１３、ＨＤＭＩ出力部３１４、チューナ３２０及び動作機能設定記憶部３２１から構成される。【０２３５】
＜動作＞
実施の形態２に係るテレビ５０、ＤＶＤレコーダ６０及びセットトップボックス７０の動作を詳細に説明する。【０２３６】
（時間に応じた動作モードの切り換え）
まず、ユーザは、テレビ５０が備える入力手段によって電源オン動作モード１及び電源オフ動作モード１で動作開始する時刻１と、電源オン動作モード２及び電源オフ動作モード２で動作開始する時刻２とを予め指定する。これをテレビ５０が記憶する。【０２３７】
次に、テレビ５０の動作モード切換タイマー５０１は、ユーザが予め指定した時刻２になると、時刻２になったことをマイコン５１０に通知する。【０２３８】
次に、マイコン５１０は、この通知を受信し、ＣＥＣ通信部５１１によって、動作モード１から動作モード２への切換の指示を意味する動作モード切換コマンド２を送信する。【０２３９】
次に、ＤＶＤレコーダ６０、及び、セットトップボックス７０は、当該動作モード切換コマンドを受信し、自身の動作モードが電源オン動作モード１であった場合は、動作モードを電源オン動作モード２へ切り換える。一方、ＤＶＤレコーダ６０、及び、セットトップボックス７０が、当該動作モード切換コマンドを受信し、自身の動作モードが電源オフ動作モード１であった場合には、動作モードを電源オフ動作モード２へ切り換える。【０２４０】
ＤＶＤレコーダ６０は、動作モードを切り換える際に、ＤＶＤレコーダ６０の動作機能設定記憶部２２１を参照する。ＤＶＤレコーダ６０は、さらに、切り換え後の動作モードにおいて動作しないように設定されている機能についてプログラムを終了させるかまたは通電しないようにし、切り換え後の動作モードにおいて動作するように設定されている機能についてプログラムを開始させるか通電開始する。【０２４１】
セットトップボックス７０は、ＤＶＤレコーダ６０と同様に、動作モードを切り換える際に、セットトップボックス７０の動作機能設定記憶部３２１を参照する。セットトップボックス７０はさらに、切り換え後の動作モードにおいて動作しないように設定されている機能についてプログラムを終了させるかまたは通電しないようにする。また、セットトップボックス７０は、切り換え後の動作モードにおいて動作するように設定されている機能についてプログラムを開始させるか通電開始する。【０２４２】
また、テレビ５０は、自身の動作モードが電源オン動作モード１であった場合には、自身の動作モードを電源オン動作モード２へ切り換える。一方、テレビ５０は、自身の動作モードが電源オフ動作モード１であった場合には、自身の動作モードを電源オフ動作モード２へ切り換えて動作開始する。【０２４３】
次に、テレビ５０の動作モード切換タイマー５０１は、指定した時刻１になると、指定した時刻１になったことをマイコン５１０に通知する。この通知を受信したマイコン５１０は、ＣＥＣ通信部５１１に対して、動作モード２から１への切換の指示を意味する動作モード切換コマンド１を送信するように制御する。【０２４４】
次に、ＤＶＤレコーダ６０、及び、セットトップボックス７０は、当該動作モード切換コマンドを受信し、自身の動作モードが電源オン動作モード２であった場合は、自身の動作モードを電源オン動作モード１へ切り換える。また、ＤＶＤレコーダ６０、及び、セットトップボックス７０は、当該動作モード切換コマンドを受信し、自身の動作モードが電源オフ動作モード２であった場合には、自身の動作モードを電源オフ動作モード１へ切り換えて、動作開始する。【０２４５】
ＤＶＤレコーダ６０は、動作モードを切り換える際に、ＤＶＤレコーダ６０の動作機能設定記憶部２２１を参照する。ＤＶＤレコーダ６０は、さらに、切り換え後の動作モードで動作しないように設定されている機能についてプログラムを終了させるかまたは通電しないようにする。そして、ＤＶＤレコーダ６０は、切り換え後の動作モードにおいて動作するように設定されている機能についてプログラムを開始させるか通電開始する。【０２４６】
セットトップボックス７０は、ＤＶＤレコーダ６０と同様に、動作モードを切り換える際に、セットトップボックス７０の動作機能設定記憶部３２１を参照する。セットトップボックス７０は、さらに、切り換え後の動作モードにおいて動作しないように設定されている機能についてプログラムを終了させるかまたは通電しないようにする。そしてセットトップボックス７０は、切り換え後の動作モードにおいて動作するように設定されている機能についてプログラムを開始させるか通電開始する。【０２４７】
また、テレビ５０も自身の動作モードを、電源オン動作モード２であった場合には、電源オン動作モード１へ切り換え、自身の動作モードが電源オフ動作モード２であった場合には、動作モードを電源オフ動作モード１へ切り換える。【０２４８】
なお、テレビ５０が電源オンである場合には、前記動作モード切換コマンドを送信しなくても良い。ただし、テレビ５０が電源オフする際に、動作モード２で動作するように設定されている時刻、即ち、時刻２と翌時刻１の間であった場合、テレビ５０は＜Ｓｔａｎｄｂｙ＞コマンドを送信して電源オフするとともに、前記動作モード切換コマンド２を送信する。【０２４９】
また、ＤＶＤレコーダ６０またはセットトップボックス７０において、例えば番組を録画中であるなど、優先度が高い機能が動作中である場合には、前記動作モード切換コマンドをＣＥＣ通信部６１１または７１１にバッファリングし、当該動作中の機能が終了するとともに、該動作モード切換コマンドに対応する動作を行う。【０２５０】
以上のように、テレビ５０、ＤＶＤレコーダ６０及びセットトップボックス７０は、動作モード切換タイマー５０１によって、ユーザが予め指定した時刻または時間に応じて、動作モードの切り換えを行うことができる。【０２５１】
（電源オン／オフに連動した動作モードの切り換え）
テレビ５０、ＤＶＤレコーダ６０及びセットトップボックス７０は、動作モード１と動作モード２との切換を、上述した動作モード切換タイマー５０１によらないでユーザのテレビ５０に対する操作に連動させることもできる。以下、それについて説明する。【０２５２】
まず、ユーザは、テレビ５０が前記動作モード２で動作中にテレビ５０のリモコン４０またはテレビ５０の筺体に備える動作モード切換ボタン（図示せず）を押す。すると、テレビ５０のマイコン５１０は、ＤＶＤレコーダ６０及びセットトップボックス７０に対して動作モード１へ切り換わるように指示する動作モード切換コマンド３を、ＣＥＣ通信部５１１に対して送信するように制御する。【０２５３】
次に、ＤＶＤレコーダ６０及びセットトップボックス７０は、当該動作モード切換コマンド３を受信し、それぞれ機器の動作モードを、電源オン動作モード１または電源オフ動作モード１へ切り換えて動作開始する。【０２５４】
また、ユーザは、テレビ５０が前記動作モード１で動作中に、テレビ５０のリモコン４０またはテレビ５０の筺体に備える動作モード切換ボタン（図示せず）を押すとする。すると、テレビ５０のマイコン５１０は、接続されたＤＶＤレコーダ６０、及び、セットトップボックス７０機器に対して動作モード２へ切り換わるように指示する動作モード切換コマンド４を、ＣＥＣ通信部５１１に対して、送信するように制御する。【０２５５】
なお、テレビ５０が動作モード１から動作モード２へ切り換わる際に、テレビ５０が電源オフするとともに、ＣＥＣにおける接続された機器の電源をオフする＜Ｓｔａｎｄｂｙ＞コマンドを、動作モード切換コマンド４とともに送信しても良い。【０２５６】
次に、ＤＶＤレコーダ６０及び、セットトップボックス７０は、当該動作モード切換コマンド４を受信し、それぞれ機器の動作モードを、電源オン動作モード２か、電源オフ動作モード２へ切り換えて動作開始する。【０２５７】
なお、テレビ５０により＜Ｓｔａｎｄｂｙ＞コマンドが動作モード切換コマンド４とともに送信された場合は、ＤＶＤレコーダ６０及びセットトップボックス７０は、電源オフして、電源オフ動作モード２へ切り換わる。【０２５８】
以上のように、テレビ５０、ＤＶＤレコーダ６０及びセットトップボックス７０は、動作モード切換タイマー５０１によらないで動作モード１及び動作モード２への切換を行うことができる。【０２５９】
なお、テレビ５０が動作モード切換コマンド３、または、動作モード切換コマンド４を送信して動作モードの切換を行うためにユーザが行う操作は、テレビ５０のリモコン４０の動作モード切換専用ボタンに限らない。具体的には、テレビ５０のメニューに動作モードの切換を行うためのメニュー項目が設けられ、ユーザが該メニュー項目を選択する操作を行った際に動作モードの切換を行うとしてもよい。【０２６０】
また、テレビ５０は、所定の時間が経過してもユーザによる操作がなかった場合に、電源オフするとともに、動作モード切換コマンドを送信してもよい。さらに、テレビ５０がユーザが操作した時間帯の傾向を学習し、ユーザの操作が少ない時間帯においては、電源オフするまでの時間を短くなどしてもよい。そのようにすると、より省電力化が可能となる。【０２６１】
（ユーザの操作による動作モードの切り換え）
また、テレビ５０、ＤＶＤレコーダ６０及びセットトップボックス７０の動作モードの切換を、動作モード切換タイマー５０１によらないでユーザのテレビ５０に対する操作に連動させることもできる。また、動作モード３は、前記動作モード切換タイマー５０１がセットされていても、タイマーによる動作モード切換を行わずにユーザの操作にのみ連動して切り換えるとすることができる。【０２６２】
以下に動作モード１または動作モード２から動作モード３への切り換え、及び、動作モード３から動作モード１または動作モード２への切り換えの動作について説明する。【０２６３】
まず、ユーザは、テレビ５０が動作モード１または動作モード２で動作中にテレビ５０のリモコン４０またはテレビ５０の筺体に備える動作モード切換ボタン（図示せず）を押す。すると、テレビ５０のマイコン５１０は、接続されたＤＶＤレコーダ６０、及び、セットトップボックス７０機器に対して、動作モード３へ切り換わるように指示する動作モード切換コマンド５を、ＣＥＣ通信部５１１に対して送信するように制御する。【０２６４】
なお、テレビ５０が動作モード１または、動作モード２から動作モード３へ切り換わる際に、テレビ５０が電源オフするとともに、ＣＥＣにおける接続された機器の電源をオフする＜Ｓｔａｎｄｂｙ＞コマンドを、動作モード切換コマンド５とともに送信しても良い。【０２６５】
次に、ＤＶＤレコーダ６０及び、セットトップボックス７０は、当該動作モード切換コマンド５を受信し、それぞれ機器の動作モードを、電源オフ動作モード３へ切り換える。【０２６６】
なお、テレビ５０が前記＜Ｓｔａｎｄｂｙ＞コマンドを動作モード切換コマンド５とともに送信した場合は、ＤＶＤレコーダ６０及び、セットトップボックス７０は電源オフして、動作モード３へ切り換わる。【０２６７】
また、ユーザは、テレビ５０が動作モード３で動作中に、テレビ５０のリモコン４０またはテレビ５０の筺体に備える動作モード切換ボタン（図示せず）を押すとする。すると、テレビ５０のマイコン５１０は、ＣＥＣ通信部５１１を制御して、接続されたＤＶＤレコーダ６０、及び、セットトップボックス７０機器に対して、動作モード３を解除するように指示する動作モード切換コマンド６を送信する。【０２６８】
テレビ５０は、当該動作モード切換コマンド６に動作モード３を解除後に、動作モード１か、動作モード２かいずれかの動作モードになるようにパラメタを付加して送信する。例えば、動作モード切換コマンド６を送信する時刻が、時刻１から時刻２の間であった場合には、動作モード１になるようにパラメタを付加し、時刻２から翌時刻１の間であった場合には、動作モード２になるようにパラメタを付加する。【０２６９】
ＤＶＤレコーダ６０及び、セットトップボックス７０は、当該動作モード切換コマンド６を受信し、それぞれ機器の動作モードを、電源オン動作モード２か、電源オフ動作モード２へ切り換えて動作開始する。【０２７０】
以上のように、テレビ５０、ＤＶＤレコーダ６０及び、セットトップボックス７０は、動作モード切換タイマー５０１によらず、受信した制御コマンドに基づいて動作モード１または動作モード２から、動作モード３への切換を行うことができる。【０２７１】
なお、テレビ５０が、動作モード切換コマンド５、または、動作モード切換コマンド６を送信して、動作モードの切換を行うためにユーザが行う操作は、テレビ５０のリモコン４０の動作モード切換ボタンを押すことに限らない。リモコン４０の電源ボタンを押した際に動作モードの切換を行うとしてもよい。また、ユーザの操作により、テレビ５０のメニューに動作モードの切換を行うためのメニュー項目を設けて、ユーザがメニュー項目を選択した際に動作モードの切換を行うとしてもよい。また、ユーザがテレビ５０を電源オフした後に、例えば２４時間の所定の時間内に、ユーザによる操作がなかった場合に、前記動作モード３への切り換えされるとしてもよい。さらに、テレビ５０においてユーザが操作した時間帯の傾向を学習し、ユーザの操作が少ない時間帯においては、前記動作モード３へ切り換えるまでの時間を短くするとしてもよい。【０２７２】
図１７は、本発明に係るテレビ５０において、動作モード３で動作する機能を設定するとともに、動作モード３に切り換える動作を行うＯＳＤメニューの一例である。【０２７３】
例えば、テレビ５０は、図１７のＯＳＤメニュー３１００に示すような、メニューを表示する。そして、ユーザが所望のメニュー項目を選択する。すると、メニュー項目に対応する機能の組み合わせを、動作モード３において動作する機能とする情報を含む動作機能設定更新コマンドを、テレビ５０のＣＥＣ通信部５１１を利用してＤＶＤレコーダ６０及びセットトップボックス７０に対して送信する。それとともに、動作モード３への切り換えを行う指示を含む動作モード切換コマンド５を、ＤＶＤレコーダ６０及びセットトップボックス７０に対して送信する。そして、ＤＶＤレコーダ６０及びセットトップボックス７０は、当該動作機能設定更新コマンドを受信すると、各機器における動作機能設定記憶部２２１及び３２１の動作モード３において動作する機能を、当該動作機能設定更新コマンドに示す機能の組み合わせと一致するように更新する。【０２７４】
また、ＤＶＤレコーダ６０及び、セットトップボックス７０は、該動作モード切換コマンド５を受信し、動作モード３へ切り換えて、動作モード３で動作開始する。【０２７５】
以上のように、テレビ５０、ＤＶＤレコーダ６０及びセットトップボックス７０を、ユーザの操作に連動して、動作モードの切り換えを行うことができる。【０２７６】
（テレビ５０電源オンの時のＤＶＤレコーダ６０及びセットトップボックス７０の動作）
ＤＶＤレコーダ６０は、動作モード１または動作モード２の場合、例えばテレビ５０でセットトップボックス７０からの映像・音声を視聴中の場合、かつ、ＤＶＤレコーダ６０が出力する映像・音声データを、テレビ５０で再生することができない場合には、ＤＶＤレコーダ６０を電源オフする。【０２７７】
また、セットトップボックス７０も同様に、テレビ５０の入力がＤＶＤレコーダ６０であった場合など、セットトップボックス７０が出力する映像・音声データを、テレビ５０で再生できない場合には、セットトップボックス７０を電源オフする。【０２７８】
図１８は、本発明の実施の形態２に係るユーザの操作に対応してＤＶＤレコーダ６０及び、セットトップボックス７０が動作するときにおけるＣＥＣコマンドの送受信の流れの一例である。以下、図１８を参照しつつ、ユーザのテレビ５０の視聴操作に対応して、ＤＶＤレコーダ６０及び、セットトップボックス７０が電源オフする動作について説明する。【０２７９】
まず、ユーザがテレビ５０のリモコン４０等の入力手段より入力操作をすることで電源オンする（ステップＳ２０１）。【０２８０】
次に、テレビ５０が電源オン後に、テレビ５０に内蔵するチューナ１２０からの映像・音声を再生する場合には、テレビ５０は、＜Ａｃｔｉｖｅ  Ｓｏｕｒｃｅ＞コマンドをＤＶＤレコーダ６０及びセットトップボックス７０に向けてブロードキャストする。【０２８１】
また、テレビ５０は、ＤＶＤレコーダ６０及びセットトップボックス７０に対して、起動通知コマンドをＣＥＣ通信部５１１より送信する。【０２８２】
次に、ＤＶＤレコーダ６０及びセットトップボックス７０は、起動通知コマンドをＣＥＣ通信部６１１及び７１１より受信すると、各機器マイコン（６１０及び７１０）は、それぞれ動作機能設定記憶部２２１及び３２１を参照する。そして、ＤＶＤレコーダ６０及びセットトップボックス７０は、機器が動作モード１のときは電源オフ動作モード１でＴＶ電源オンのときに動作する機能を起動し、機器が動作モード２のときは電源オフ動作モード２でＴＶ電源オンのときに動作する機能を起動する。【０２８３】
次に、ユーザは、セットトップボックス７０の視聴を開始するため、テレビ５０が表示するメニューの選択または、テレビ５０のリモコン４０上のボタンを押して選択する（ステップＳ２０４）。【０２８４】
その場合には、テレビ５０は、セットトップボックス７０に対して、電源オンコマンドを送信する（ステップＳ２０５）。【０２８５】
次に、セットトップボックス７０は、その電源オンコマンドを受信して、電源オン状態に遷移し、映像・音声の出力を開始する。また、セットトップボックス７０は、映像・音声の出力を開始するときに＜Ａｃｔｉｖｅ  Ｓｏｕｒｃｅ＞コマンドをテレビ５０及びＤＶＤレコーダ６０に送信する。【０２８６】
次に、テレビ５０は、＜Ａｃｉｔｖｅ  Ｓｏｕｒｃｅ＞コマンドを受信すると、テレビ５０のアクティブソース機器記憶部１０８に、当該コマンドの送信元ＬＡ及びＰＡを記憶する。【０２８７】
次に、ユーザは、ＤＶＤレコーダ６０の視聴を開始するために、テレビ５０が表示するメニューの選択または、テレビ５０のリモコン４０上のボタンを押して選択するとする（ステップＳ２０７）。【０２８８】
その場合には、テレビ５０は、ＤＶＤレコーダ６０に対して、電源オンコマンドを送信する（ステップＳ２０８）。【０２８９】
次に、ＤＶＤレコーダ６０は、電源オンコマンドを受信して、電源オン状態に遷移し、映像・音声の出力を開始する。このとき、ＤＶＤレコーダ６０は映像・音声の出力を開始するときに＜Ａｃｔｉｖｅ  Ｓｏｕｒｃｅ＞コマンドをテレビ５０及びセットトップボックス７０に送信する。【０２９０】
次に、テレビ５０は、＜Ａｃｔｉｖｅ  Ｓｏｕｒｃｅ＞コマンドを受信して、テレビ５０のアクティブソース機器記憶部１０８を参照する。そして、テレビ５０は、当該受信したコマンドの送信元ＰＡとアクティブソース機器記憶部１０８のＰＡとが一致しない場合には、アクティブソースが変化したと判断する。テレビ５０は、アクティブソース機器記憶部１０８のＬＡ、本例ではセットトップボックス７０を宛先として、電源オフコマンドを送信する（ステップＳ２０９）。【０２９１】
また、このときテレビ５０は、＜Ａｃｔｉｖｅ  Ｓｏｕｒｃｅ＞コマンドの送信元のＬＡ及びＰＡをアクティブソース機器記憶部１０８に記録する。【０２９２】
次に、セットトップボックス７０は、電源オフコマンドを受信して、電源オフ状態に遷移する。ここで、ステップＳ２０９において、セットトップボックス７０のマイコン７１０は、動作機能設定記憶部３２１を参照している。【０２９３】
そして、マイコン７１０は、機器が動作モード１のとき、電源オフ動作モード１でＴＶ電源オンのときに動作する機能のみ動作するように不要な機能を終了する。マイコン７１０は、機器が動作モード２のとき、電源オフ動作モード２でＴＶ電源オンのときに動作する機能動作するように不要な機能を終了する。【０２９４】
次に、ユーザがセットトップボックス７０のリモコン４０を操作して映像・音声の出力を開始するとする。すると、セットトップボックス７０は＜Ａｃｔｉｖｅ  Ｓｏｕｒｃｅ＞コマンドをＣＥＣ通信部７１１よりテレビ５０及びＤＶＤレコーダ６０に送信する（ステップＳ２１３）。【０２９５】
次に、テレビ５０は、セットトップボックス７０からの＜Ａｃｔｉｖｅ  Ｓｏｕｒｃｅ＞コマンドを受信した場合、テレビ５０は、アクティブソース機器記憶部１０８を参照する。そして、テレビ５０は、アクティブソースが変化した場合には、アクティブソース機器記憶部１０８のＬＡ即ちＤＶＤレコーダ６０を宛先として電源オフコマンドを送信する（ステップＳ２１４）。【０２９６】
次に、ＤＶＤレコーダ６０は、当該電源オフコマンドを受信して、電源オフ状態に遷移する。【０２９７】
ここで、ＤＶＤレコーダ６０のマイコン６１０は、動作機能設定記憶部２２１を参照する。そして、マイコン６１０は、ＤＶＤレコーダ６０が動作モード１のとき、電源オフ動作モード１で、ＴＶ電源オンのときに動作する機能のみ動作するように不要な機能を終了する。一方、機器が動作モード２のとき、電源オフ動作モード２でＴＶ電源オンのときに動作する機能のみ動作するように不要な機能を終了する。【０２９８】
なお、テレビ５０は、電源オフコマンドを送信する際に、ユーザに対して、接続機器の電源をオフしたことを通知することができる。例えば、ＤＶＤレコーダ６０を視聴中に、ユーザがセットトップボックス７０に切り換える操作を行ったときには、ＤＶＤレコーダ６０に対して電源オフコマンドを送信するとともに、図１９のＯＳＤ表示３２０１のような表示を映像出力装置で行うことによって、ユーザに電源オフしたことを通知する。【０２９９】
ところで、ユーザがテレビ５０の入力切換ボタンを押したとき、テレビ５０は指定された入力に接続されている機器のＰＡをパラメタとして、＜Ｓｅｔ  Ｓｔｒｅａｍ  Ｐａｔｈ＞コマンドを送信する。【０３００】
そのため、ＤＶＤレコーダ６０またはセットトップボックス７０は、＜Ｓｅｔ  Ｓｔｒｅａｍ  Ｐａｔｈ＞コマンドのパラメタに示されるＰＡが、当該機器のＰＡと同じである場合には、電源オンして、＜Ａｃｔｉｖｅ  Ｓｏｕｒｃｅ＞コマンドを送信し、映像・音声データの送出を開始する。【０３０１】
なお、ＤＶＤレコーダ６０またはセットトップボックス７０は、例えば番組を録画中であるなど、優先度が高い機能が動作中である場合には、電源オフコマンドをＣＥＣ通信部６１１または７１１にバッファし、当該動作中の機能が終了するとともに、電源オフコマンドに対応する動作を行う。【０３０２】
以上の動作により、ユーザのテレビ５０の視聴操作に対応して、ＤＶＤレコーダ６０及び、セットトップボックス７０が電源オフすることができ、機器を視聴していないときに不要な機能を終了することで、消費電力を削減することができる。【０３０３】
（消費電力量を記録する）
テレビ５０、ＤＶＤレコーダ６０及びセットトップボックス７０は、それぞれの機器が消費した消費電力量と、前記動作モード切り換えタイマーの動作とによって動作状態が変化したことによる効果である消費電力節約量を記録する。【０３０４】
また、テレビ５０、ＤＶＤレコーダ６０及びセットトップボックス７０のそれぞれにおいて、各動作状態とその状態における機器の消費電力との組み合わせの表を消費電力記憶部（１０４、２０４及び３０４）に予め記憶しておく。ただし、複数の機能の動作の組み合わせに対して、消費電力が大きく変わらない場合は、ひとつの状態としてまとめてもよい。【０３０５】
以下、テレビ５０がＤＶＤレコーダ６０における、消費電力量及び消費電力節約量をテレビ５０が得る動作について説明する。なお、ＤＶＤレコーダ６０の動作状態と消費電力の組み合わせは、実施の形態１におけるＤＶＤレコーダ２０と同様である。【０３０６】
まず、テレビ５０は、例えば１時間ごとのような一定時間ごとにＤＶＤレコーダ６０に対して、動作状態消費電力要求コマンドを送信する。【０３０７】
次に、ＤＶＤレコーダ６０は、当該動作状態消費電力要求コマンドを受信すると、消費電力記憶部２０４を参照して現在の動作状態における消費電力を取得する。そして、ＤＶＤレコーダ６０は、現在の動作状態を示す情報及び現在の消費電力をパラメタとして、動作状態消費電力通知コマンドをテレビ５０に送信する。【０３０８】
次に、テレビ５０は、該動作状態消費電力通知コマンドを受信して、当該動作状態消費電力通知コマンドのパラメタに記載のＤＶＤレコーダ６０の消費電力と、前記動作状態消費電力要求コマンド送信の時間間隔との積を消費電力量記憶部５０２に記憶されている値にさらに加算する。それにより、消費電力量記憶部５０２には、ＤＶＤレコーダ６０の消費電力量が記憶される。【０３０９】
また、テレビ５０は、例えば１時間ごとのような一定時間ごとにＤＶＤレコーダ６０に対して、動作状態節約電力要求コマンドを送信する。【０３１０】
そして、ＤＶＤレコーダ６０は、当該動作状態節約電力要求コマンドを受信すると、現在の動作状態が、前記動作モード切換によって動作している状態であれば、通常の動作状態における消費電力と現在の動作状態における消費電力の差をパラメタとして、動作状態節約電力通知コマンドをテレビ５０に送信する。【０３１１】
次に、テレビ５０は、該動作状態節約電力通知コマンドを受信して、当該コマンドのパラメタに記載の電力と、前記動作状態節約電力要求コマンド送信の時間間隔との積を消費電力節約量記憶部５０３に記憶されている値にさらに加算する。それにより、消費電力節約量記憶部５０３には、ＤＶＤレコーダ６０の節約電力が記憶される。【０３１２】
また、テレビ５０は、動作状態消費電力通知コマンド及び、動作状態節約電力通知コマンドを受信して、当該コマンドの送信元の機器の現在の動作状態を、例えば図２０のＯＳＤ表示３３０１のように、テレビ５０の画面上に表示する。【０３１３】
また、テレビ５０の消費電力量記憶部５０２は、一定時間、例えば２４時間ごとに、当日分の値と記録する日付及び時刻とを対にして、消費電力量記憶部５０２のログ記録部に格納する。そして、消費電力量記憶部５０２は、一定時間毎の消費電力量と記録した時刻とを対にして記憶装置に記憶し、消費電力量記憶部５０２の当日分記憶部の値を消去して０にする。【０３１４】
なお、消費電力量及び、消費電力節約量のログを記録する間隔は、２４時間に限らず、一定の時間ごとであればよい。また、ログ記録部は、例えば３０日分のみ記録し、３０日を越える場合は、古い値から削除するように記録する。【０３１５】
また、テレビ５０が動作状態消費電力通知コマンド及び、動作状態節約電力通知コマンドを受信した際には、機器の動作状態だけでなく、現在の消費電力を表示することもできる。【０３１６】
なお、消費電力または節約電力の表示は、電力の数値で表示しても良いし、その機器における最大消費電力に対する比で表示しても良いし、これらを電力または電力の比に比例して変化するアイコンで表示してもよい。【０３１７】
以上の動作により、テレビ５０は、ＤＶＤレコーダ６０は消費電力量及び、消費電力節約量を取得することができる。【０３１８】
また、テレビ５０は、セットトップボックス７０に対しても同様に、動作状態消費電力通知コマンドと、動作状態節約電力量通知コマンドを送信することで、消費電力量及び、消費電力節約量を取得することができる。【０３１９】
（テレビ５０が消費電力量を表示する）
次に、ユーザがテレビ５０のリモコン４０または、テレビ５０が備えるメニューを操作して、消費電力量及び、消費電力節約量の表示を開始する場合について説明する。【０３２０】
まず、テレビ５０は、テレビ５０の消費電力量記憶部５０２と、消費電力節約量記憶部５０３とを参照する。そして、テレビ５０は、消費電力節約量の情報と、消費電力節約量とを取得して各機器の消費電力量を合計することで１日ごとの消費電力量を表示する。例えば、テレビ５０は、図１２のＯＳＤ表示２００２に示すように横軸に時間、縦軸に消費電力量として、３０日前から１日前までの消費電力量を表示する。消費電力節約量も同様に１日ごとの消費電力節約量の合計を計算し、それを画面に表示する。【０３２１】
また、消費電力量及び、消費電力節約量の表示は、テレビ５０の消費電力量記憶部５０２及び、消費電力節約量記憶部５０３に記録されている値を加えて表示することもできる。【０３２２】
また、消費電力量または、消費電力節約量の表示は、ユーザがテレビ５０を電源オンして、テレビ５０が映像の出画を開始したときに、ＯＳＤ表示することもできる。【０３２３】
以上の動作により、テレビ５０、ＤＶＤレコーダ６０及びセットトップボックス７０の消費電力量及び消費電力節約量をユーザに表示することができる。【０３２４】
なお、各部の電源制御は上記実施の形態で示したマイコンなどに限定されず、別に電源制御のみを担う電源制御部により行うように構成しても構わない。【０３２５】
また、実施の形態１及び２において、テレビをＡＶシステムのマスター機器として、ＤＶＤレコーダ及びセットトップボックスに制御コマンドを送信することで、ＤＶＤレコーダ及びセットトップボックスの動作モードを切り換える例について説明したが、それに限らない。ＡＶシステムのマスターをＤＶＤレコーダまたはセットトップボックスとしてもよい。【０３２６】
また、ＡＶシステムとして、テレビ、ＤＶＤレコーダ及びセットトップボックスが接続された場合について説明したが、それに限らない。例えば、図２１に示すように、ＡＶシステムとしてテレビ５０、ＡＶアンプ６５及びセットトップボックス７０が接続されるＡＶシステムであってもよい。その場合、例えば、ＡＶアンプ６５は、図２２に示すような複数の動作モードを持ち、電源オフの状態において、少なくとも電源オフ動作モード１及び電源オフ動作モード２を持てばよい。なお、構成及び動きについては、実施の形態１及び実施の形態２の場合と同様のため説明を省略する。【０３２７】
以上のように、ＨＤＭＩなどの通信ネットワークを介して接続され、それぞれ消費電力の異なる複数の動作状態を持つ複数の機器に対して、ＡＶシステムの消費電力が効率化するように動作状態を制御することができる。すなわち、例えば、ある機器が、電源オフ状態でも一部には電源が供給されている電源オフ動作モード１と電源オフ動作モード１よりも動作する機能が少ないため消費電力が低い電源オフ動作モード２を持つとする。そして、例えば電源オフ動作モード１である機器が、マスター機器から受信した制御コマンド等に基づいて、さらに省電力である電源オフ動作モード２の動作状態に切り換える。このような制御により、その機器の電力消費を効率化することができる。【０３２８】
以上のように、本発明によれば、他の機器の制御コマンド等により接続された機器の動作状態を切り換えて電力消費を効率化することができるので、通信ネットワークを介して接続される機器の電力消費を効率化する省電力システムを実現することができる。【０３２９】
なお、上記のＡＶシステムにおけるテレビは、映像が表示できる機器である映像表示機器の一態様であり、映像表示機器は、本発明に係る第一の機器の具体的態様の一つである。また、同様に、ＤＶＤレコーダ及びセットトップボックスは、映像を録画再生できる映像録画機器の一態様であり、映像録画機器は、本発明に係る第二の機器の具体的態様の一つである。【０３３０】
以上、本発明の省電力システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０３３１】
本発明は、省電力システムに利用でき、特に、例えばＡＶシステムなど通信ネットワークで接続された機器の間で、相互に制御コマンドの送受信を行い動作モードの切換を行う省電力システムに利用できる。
【図１】
2009101804.tif 000003
【図２】
2009101804.tif 000004
【図３】
2009101804.tif 000005
【図４】
2009101804.tif 000006
【図５Ａ】
2009101804.tif 000007
【図５Ｂ】
2009101804.tif 000008
【図５Ｃ】
2009101804.tif 000009
【図６】
2009101804.tif 000010
【図７】
2009101804.tif 000011
【図８】
2009101804.tif 000012
【図９】
2009101804.tif 000013
【図１０】
2009101804.tif 000014
【図１１】
2009101804.tif 000015
【図１２】
2009101804.tif 000016
【図１３】
2009101804.tif 000017
【図１４】
2009101804.tif 000018
【図１５】
2009101804.tif 000019
【図１６】
2009101804.tif 000020
【図１７】
2009101804.tif 000021
【図１８】
2009101804.tif 000022
【図１９】
2009101804.tif 000023
【図２０】
2009101804.tif 000024
【図２１】
2009101804.tif 000025
【図２２】
2009101804.tif 000026
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
通信ネットワークを介して互いに接続される第１の機器と第２の機器と第３の機器とを少なくとも備え、前記第２の機器及び前記第３の機器から前記第１の機器に対して映像音声信号を送信する省電力システムであって、
前記第１の機器と前記第２の機器と前記第３の機器とはそれぞれ、
前記通信ネットワークを介して他の機器を制御するための制御コマンドを互いに送受信する送受信部と、
前記制御コマンドに基づいて、動作状態を切り換える動作状態切換部とを備え、
前記第１の機器と前記第２の機器と前記第３の機器とはそれぞれ、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記第２の機器では、
当該第２の機器が前記第１のオフ動作モードである場合に、前記第２の機器における前記送受信部が前記第１の機器から動作状態の切り換えを指示する制御コマンドまたは前記第３の機器から当該第３の機器が前記第１の機器へ映像を出力することを示す制御コマンドを受信すると、当該第２の機器における前記動作状態切換部は、前記第１のオフ動作モードから前記第２のオフ動作モードに動作状態を切り換え、
前記第３の機器では、
当該第３の機器が前記第１のオフ動作モードである場合に、前記第３の機器における前記送受信部が前記第１の機器から動作状態の切り換えを指示する制御コマンドまたは前記第２の機器から当該第２の機器が前記第１の機器へ映像を出力することを示す制御コマンドを受信すると、当該第３の機器における前記動作状態切換部は、前記第１のオフ動作モードから前記第２のオフ動作モードに動作状態を切り換え、
前記第１の機器では、
当該第１の機器における前記送受信部が前記第２の機器または前記第３の機器に対して動作状態の切り換えを指示する制御コマンドを送信する
ことを特徴とする省電力システム。
【請求項２】
前記第２の機器または前記第３の機器は、さらに、
予め定められた時間の経過をカウントするタイマー部を備え、
前記第２の機器では、
当該第２の機器が前記第１のオフ動作モードであった時間が前記予め定められた時間経過したことを当該第２の機器の前記タイマー部がカウントするとき、当該第２の機器の前記動作状態切換部は、前記第１のオフ動作モードから前記第２のオフ動作モードに動作状態を切り換え、
前記第３の機器では、
当該第３の機器が前記第１のオフ動作モードであった時間が前記予め定められた時間経過したことを当該第３の機器の前記タイマー部がカウントするとき、当該第３の機器の前記動作状態切換部は、前記第１のオフ動作モードから前記第２のオフ動作モードに動作状態を切り換える
ことを特徴とする請求項１記載の省電力システム。
【請求項３】
（削除）
【請求項４】
前記第１の機器は、さらに、
前記第１の機器と前記第２の機器と前記第３の機器とがそれぞれ持つ動作状態の組み合わせを示す状態表を保持する保持部と、
前記状態表を利用者に表示する表示部と、
前記表示が表示した前記状態表の中から所望する組み合わせを前記利用者に選択させる入力部とを備え、
前記第１の機器は、
選択された当該所望する組み合わせに従って、動作状態の切り換えを指示する制御コマンドを前記第２の機器及び前記第３の機器に対して送信する
ことを特徴とする請求項１記載の省電力システム。
【請求項５】
（削除）
【請求項６】
通信ネットワークを介して接続される少なくとも映像表示機器と映像録画機器と映像再生機器とを備え、前記映像録画機器及び前記映像再生機器から前記映像表示機器に対して映像音声信号を送信する省電力システムであって、
前記映像表示機器と前記映像録画機器と前記映像再生機器とはそれぞれ、
前記通信ネットワークを介して他の機器を制御するための制御コマンドを互いに送受信する送受信部と、
前記制御コマンドに基づいて、動作状態を切り換える動作状態切換部とを備え、
前記映像表示機器と前記映像録画機器と前記映像再生機器とはそれぞれ、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記映像録画機器では、
当該映像録画機器が前記第１のオフ動作モードである場合に、当該映像録画機器における前記送受信部が前記映像表示機器から動作状態の切り換えを指示する制御コマンドまたは前記映像再生機器から当該映像再生機器が前記映像表示機器へ映像を出力することを示す制御コマンドを受信するとき、当該映像録画機器における前記動作状態切換部は、前記第１のオフ動作モードから前記第２のオフ動作モードに動作状態を切り換え、
前記映像再生機器では、
当該映像再生機器が前記第１のオフ動作モードである場合に、当該映像再生機器における前記送受信部が前記第１の機器から動作状態の切り換えを指示する制御コマンドまたは前記映像録画機器から当該映像録画機器が前記映像表示機器へ映像を出力することを示す制御コマンドを受信すると、当該映像再生機器における前記動作状態切換部は、前記第１のオフ動作モードから前記第２のオフ動作モードに動作状態を切り換え、
前記映像表示機器における前記送受信部は、
前記映像録画機器と前記映像再生機器とに対し、前記動作状態の切り換えを指示する制御コマンドを同時に送信する
ことを特徴とする省電力システム。
【請求項７】
通信ネットワークを介して接続される少なくとも第１の機器と第２の機器と第３の機器との省電力の方法であって、
前記通信ネットワークを介して他の機器を制御するための制御コマンドを互いに送受信する送受信部と、前記制御コマンドに基づいて動作状態を切り換える動作状態切換部とをそれぞれ備える前記第１の機器と前記第２の機器と第３の機器とは、消費電力の異なる動作状態として、電源オフの動作状態であるが一部には電源が供給されている第１のオフ動作モードと前記第１のオフ動作モードより消費電力の低い第２のオフ動作モードとを少なくとも持ち、
当該第２の機器が前記第１のオフ動作モードである場合に、当該第２の機器の前記送受信部が前記第１の機器から動作状態の切り換えを指示する制御コマンドを受信するステップと、当該第２の機器の前記動作状態切換部が前記第１のオフ動作モードから前記第２のオフ動作モードに動作状態を切り換えるステップと、
当該第３の機器が前記第１のオフ動作モードである場合に、当該第３の機器の前記送受信部が前記第１の機器から動作状態の切り換えを指示する制御コマンドを受信するステップと、当該第３の機器の前記動作状態切換部が前記第１のオフ動作モードから前記第２のオフ動作モードに動作状態を切り換えるステップと、
前記第１の機器の前記送受信部が動作状態の切り換えを指示する制御コマンドを前記第２の機器と前記第３の機器とに対し、同時に送信するステップとを含む
ことを特徴とする方法。
【請求項８】
通信ネットワークを介して互いに接続される第１の機器と第２の機器と第３の機器とを少なくとも備え、前記第２の機器及び前記第３の機器から前記第１の機器に対して映像音声信号を送信する省電力システムであって、
前記第１の機器と前記第２の機器と前記第３の機器とはそれぞれ、
前記通信ネットワークを介して他の機器を制御するための制御コマンドを互いに送受信する送受信部と、
前記制御コマンドに基づいて、動作状態を切り換える動作状態切換部とを備え、
前記第２の機器と前記第３の機器とはそれぞれ、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記第２の機器では、
当該第２の機器が前記第１のオフ動作モードである場合に、前記第２の機器における前記送受信部が前記第１の機器から動作状態の切り換えを指示する制御コマンドを受信すると、当該第２の機器における前記動作状態切換部は、前記第１のオフ動作モードから前記第２のオフ動作モードに動作状態を切り換え、
前記第３の機器では、
当該第３の機器が前記第１のオフ動作モードである場合に、前記第３の機器における前記送受信部が前記第１の機器から動作状態の切り換えを指示する制御コマンドを受信すると、前記第３の機器における前記動作状態切換部は、前記第１のオフ動作モードから前記第２のオフ動作モードに動作状態を切り換え、
前記第１の機器では、
前記第２の機器または前記第３の機器のいずれか一方から映像音声信号を送信することを示す制御コマンドを受信した場合には、前記第２の機器または前記第３の機器の他方に対して動作状態の切り換えを指示する制御コマンドを送信する
ことを特徴とする省電力システム。
【手続補正書】
【提出日】平成22年8月10日(2010.8.10)
【手続補正１】
【補正対象書類名】明細書
【補正対象項目名】全文
【補正方法】変更
【補正の内容】
【発明の詳細な説明】
【技術分野】
【０００１】
本発明は、省電力システムに関し、特に、通信ネットワークで接続された機器の動作モードの切換を行い、システムの消費電力を制御するＡＶシステム及びＡＶ機器制御方法に関する。
【背景技術】
【０００２】
従来、テレビジョン受信機（以下「テレビ」という。）にＤＶＤ（Ｄｉｇｉｔａｌ  Ｖｅｒｓａｔｉｌｅ  Ｄｉｓｃ）レコーダのような映像録画再生機器を接続するＡＶ（Ａｕｄｉｏ／Ｖｉｓｕａｌ）システムがある。ＡＶシステムでは、映像及び音声を視聴したり、さらに外部ＡＶアンプと外部スピーカとを接続して音声を外部スピーカより出力して視聴したりすることがある。このようなＡＶシステムにおいて、それぞれの機器を視聴・操作するために、機器ごとに対応するリモートコントローラ（以下、「リモコン」という。）を持ち替えて入力切換や再生操作を行う必要があり、煩雑であった。
【０００３】
この問題を解決する一つの方法として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格を用いる方法がある。ＨＤＭＩではＣＥＣ（Ｃｏｎｓｕｍｅｒ  Ｅｌｅｃｔｒｏｎｉｃｓ  Ｃｏｎｔｒｏｌ）という機能が定義されている（非特許文献１）。ＣＥＣの機能は、テレビ及び種々のＡＶ機器をＨＤＭＩケーブルで接続し、ＨＤＭＩケーブルに含まれているＣＥＣバスを介して、双方向に制御コマンドを送受信可能なＣＥＣコマンドを利用して、ＡＶ機器を制御する機能である。
【０００４】
ＨＤＭＩ規格は、また、ＤＶＤレコーダなどの再生機器が、接続先の機器の再生能力情報を読み取って映像・音声データの出力形式を合わせたり、映像・音声データを暗号化したりして伝送することができるという特徴を持っている。
【０００５】
例えば再生能力情報は、テレビやＡＶアンプなどのＨＤＭＩ入力部を備えた機器（「ＨＤＭＩ入力機器」とする）から接続相手機器（「ＨＤＭＩ出力機器」とする）に、一方向接続であるＤＤＣ（Ｄｉｓｐｌａｙ  Ｄａｔａ  Ｃｈａｎｎｅｌ）バスを利用し、伝達される。ここで、「ＤＤＣ」とは、ディスプレイのプラグ＆プレイを実現するために、ＨＤＭＩ出力機器にディスプレイの機種情報などを伝える機能として定めたＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）の規格である。ＤＤＣによって伝達される情報としては、ＨＤＭＩ入力機器の機種情報や再生可能な画像・音声フォーマット、ＨＤＭＩ機器に付与する物理アドレス（Ｐｈｙｓｉｃａｌ  Ａｄｄｒｅｓｓ）などがある。
【０００６】
また、ＨＤＭＩ規格では、ＣＥＣコマンドによる通信のために、各機器に対して、論理アドレス（Ｌｏｇｉｃａｌ  Ａｄｄｒｅｓｓ、以下ＬＡ）と物理アドレス（Ｐｈｙｓｉｃａｌ  Ａｄｄｒｅｓｓ、以下ＰＡ）を定義している。
【０００７】
ＰＡは、ＨＤＭＩ出力機器の接続トポロジを反映して決定されるアドレスであり、ＨＤＭＩ入力機器からＨＤＭＩ出力機器へ一方向に伝送される。また、ＰＡは、自機器が取得したＰＡに、ＨＤＭＩ入力部毎に異なる値を加えて決定される。
【０００８】
例えばＡＶアンプのようなＨＤＭＩ入力部とＨＤＭＩ出力部の両方を備える機器は、ＨＤＭＩ出力部が接続された機器からＡＶアンプ自身のＰＡを取得し、当該ＰＡにＨＤＭＩ入力部毎の値を加えて、ＡＶアンプにさらに接続されたＨＤＭＩ出力機器のＰＡを決定する。従って、ＨＤＭＩ入力部を備え、ルートとなる機器（以下、ルート機器）のＰＡは、「０．０．０．０」として、階層的に決定される。
【０００９】
また、例えば、ＨＤＭＩ出力部をもたず、ＨＤＭＩ入力部のみ備えるテレビは、ルート機器として、常にＰＡ「０．０．０．０」を持つ。ルート機器に接続された機器では、例えば当該機器の第一のＨＤＭＩ入力部に接続された機器に「１．０．０．０」、第二のＨＤＭＩ入力部に接続された機器に「２．０．０．０」のように与えられる。
【００１０】
また、入力部と出力部との両方を備えた機器は、自身のＰＡからさらに入力部毎にＰＡを決定する。例えば、ＰＡが「１．０．０．０」の機器の入力部に接続された機器のＰＡでは、第一の入力部が「１．１．０．０」となり、第二の入力部が「１．２．０．０」となる。
【００１１】
一方、ＬＡは、ＨＤＭＩ接続されたＣＥＣ対応機器に与えられ、ＣＥＣコマンドの送受信を行うための宛先アドレスとして用いられる。
【００１２】
ＣＥＣでは、コマンドの相手先を指定して送信するコマンドと、ＨＤＭＩで接続されたすべてのＣＥＣ対応機器にコマンドを通知するブロードキャストコマンドとが定義されている。ＣＥＣでは、これらを組み合わせて通信が行われる。
【００１３】
なお、ＣＥＣコマンドは、送信元機器のＬＡと、宛先機器のＬＡと、オペコードと、オペランドから構成される。
【００１４】
また、ＨＤＭＩでは、さらに、入力切換を行う＜Ａｃｔｉｖｅ  Ｓｏｕｒｃｅ＞、機器の電源オフを行う＜Ｓｔａｎｄｂｙ＞、機器の電源状態の問い合わせを行う＜Ｇｉｖｅ  Ｐｏｗｅｒ  Ｓｔａｔｕｓ＞、宛先ＬＡの機器が通信ネットワークに存在しているかを確認することができる＜Ｐｏｌｌｉｎｇ  Ｍｅｓｓａｇｅ＞及び各メーカーが独自に機器の動作を定義できる＜Ｖｅｎｄｏｒ  Ｃｏｍｍａｎｄ＞などの制御コマンドが定義されている。ＨＤＭＩでは、ＨＤＭＩ接続されたＣＥＣ対応機器同士でこれらの制御コマンドを組み合わせて送受信することで、種々の連携動作を実現することができる。
【先行技術文献】
【非特許文献】
【００１５】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ
【発明の概要】
【発明が解決しようとする課題】
【００１６】
ところで、ＣＥＣでは、接続機器の電源をオフするコマンドとして、＜Ｓｔａｎｄｂｙ＞コマンドが定義されている。また、ＤＶＤレコーダなどの機器においては、例えば電源オフの動作状態においても、複数の動作状態をもつ。これら複数の動作状態はそれぞれ、消費電力が異なっている。
【００１７】
しかしながら、従来技術では、接続された機器における複数の動作状態を制御することができない。そのため、ユーザが機器を使用していないときでも、その機器には通電している状態の機能があるなど電力消費の効率が悪い。また、ユーザの操作で電力消費を効率化するために、接続された機器の動作状態を各々の機器のボタンまたはリモコンを操作して切り換える必要があり、ユーザにとって操作が煩雑である。
【００１８】
さらに、ユーザは、その機器の消費電力量を確認するために、例えば積算電力計を新たに接続して計測を行う必要があるなど、電力消費を効率化するための操作は煩雑である。
【００１９】
そこで、本発明は、上記課題点に鑑みてなされたものであり、通信ネットワークを介して接続される機器の電力消費を効率化する省電力システムを実現することを目的とする。
【課題を解決するための手段】
【００２０】
上記課題を解決するため、本発明に係る省電力システムは、通信ネットワークを介して互いに接続される第１の機器と第２の機器とを少なくとも備える省電力システムであって、前記第１の機器と前記第２の機器とはそれぞれ、前記通信ネットワークを介して他の機器を制御するための制御コマンドを互いに送受信する送受信部と、前記制御コマンドに基づいて、動作状態を切り換える動作状態切換部とを備え、前記第１の機器と前記第２の機器とはそれぞれ、消費電力の異なる動作状態として、電源オフの動作状態であるが一部には電源が供給されている第１のオフ動作モードと前記第１のオフ動作モードより消費電力の低い第２のオフ動作モードとを少なくとも持ち、前記第２の機器では、当該第２の機器が前記第１のオフ動作モードである場合に、前記送受信部が前記第１の機器から動作状態の切り換えを指示する制御コマンドを受信すると、前記動作状態切換部は、前記第１のオフ動作モードから前記第２のオフ動作モードに動作状態を切り換えることを特徴とする。
【００２１】
このように、他の機器の制御コマンド等により、接続されている機器の動作状態を切り換えることができる。そのため、例えばＨＤＭＩなどの通信ネットワークを介して接続され、それぞれ消費電力の異なる複数の動作状態を持つ複数の機器に対して、消費電力が効率化するように、動作状態を制御することができる。それにより、通信ネットワークを介して接続される機器の電力消費を効率化する省電力システムを実現することができる。
【００２２】
また、好ましくは、前記第２の機器は、さらに、予め定められた時間の経過をカウントするタイマー部を備え、前記第２の機器では、当該第２の機器が前記第１のオフ動作モードであった時間が前記予め定められた時間経過したことを前記タイマー部がカウントするとき、前記動作状態切換部は、前記第１のオフ動作モードから前記第２のオフ動作モードに動作状態を切り換える。ここで、前記第２の機器は、さらに、前記送受信部が送受信した当該制御コマンドにより前記第１の機器の動作状態を判定する判定部とを備え、前記第１の機器では、前記送受信部が、前記制御コマンドとして当該第１の機器の動作状態を含む制御コマンドを前記第２の機器に送信し、前記第２の機器では、当該第２の機器が前記第１のオフ動作モードである場合に、前記判定部が前記第１の機器が前記第１のオフ動作モード及び前記第２のオフ動作モードを含む電源オフの動作状態であると判定すると、前記動作状態切換部は、前記第１のオフ動作モードから前記第２のオフ動作モードに動作状態を切り換えてもよい。
【００２３】
このように、他の機器の制御コマンドだけでなく、自機器に設定された時間の経過または相手機器の状態をトリガーとして、自機器の動作状態を切り換えることができる。
【００２４】
また、上記課題を解決するため、本発明に係る省電力システムは、通信ネットワークを介して接続される少なくとも映像表示機器と映像録画機器とを備える省電力システムであって、前記映像表示機器と映像録画機器とはそれぞれ、前記通信ネットワークを介して他の機器を制御するための制御コマンドを互いに送受信する送受信部と、前記制御コマンドに基づいて、動作状態を切り換える動作状態切換部とを備え、前記映像表示機器と前記映像録画機器とはそれぞれ、消費電力の異なる動作状態として、電源オフの動作状態であるが一部には電源が供給されている第１のオフ動作モードと前記第１のオフ動作モードより消費電力の低い第２のオフ動作モードとを少なくとも持ち、前記映像録画機器では、当該映像録画機器が前記第１のオフ動作モードである場合に、前記送受信部が前記映像表示機器から動作状態の切り換えを指示する制御コマンドを受信するとき、前記動作状態切換部は、前記第１のオフ動作モードから前記第２のオフ動作モードに動作状態を切り換えることを特徴とする。
【００２５】
なお、本発明は、システムとして実現するだけでなく、このようなシステムが備える処理手段を備える装置または集積回路として実現したり、そのシステムを構成する処理手段をステップとする方法として実現したりすることもできる。
【発明の効果】
【００２６】
本発明により、接続された機器の電力消費を効率化する省電力システムを実現することができる。
【００２７】
具体的には、ユーザの簡便な操作等で接続された機器の動作状態を切り換え、使用していない機能を通電しないことで、通信ネットワークを介して接続される機器の電力消費を効率化する省電力システムを実現することができる。
【００２８】
また、新たな機器を接続することなく消費電力量を計測し、ユーザは確認することができる効果も有する。
【図面の簡単な説明】
【００２９】
【図１】図１は、本発明の実施の形態１に係るＡＶシステムの構成図である。
【図２】図２は、本発明の実施の形態１に係るテレビ１０の機能ブロック図である。
【図３】図３は、本発明の実施の形態１に係るＤＶＤレコーダ２０の機能ブロック図である。
【図４】図４は、本発明の実施の形態１に係るセットトップボックス３０の機能ブロック図である。
【図５Ａ】図５Ａは、本発明の実施の形態１に係るＤＶＤレコーダ２０における動作モードと機能の対応表である。
【図５Ｂ】図５Ｂは、本発明の実施の形態１に係るセットトップボックス３０における動作モードと機能の対応表である。
【図５Ｃ】図５Ｃは、本発明の実施の形態１に係るテレビ１０における動作モードと機能の対応表である。
【図６】図６は、本発明の実施の形態１に係るＤＶＤレコーダ２０における動作モードと機能を設定するメニューの一例である。
【図７】図７は、本発明の実施の形態１に係るテレビ１０におけるＯＳＤメニュー表示による動作モード切換時刻設定方法の一例である。
【図８】図８は、本発明の実施の形態１に係る動作テレビ１０におけるモード切換時刻設定表の一例である。
【図９】図９は、本発明の実施の形態１に係るユーザの操作に対応してＤＶＤレコーダ２０及びセットトップボックス３０が動作するときにおけるＣＥＣコマンド送受信の流れの一例である。
【図１０】図１０は、本発明の実施の形態１に係るＤＶＤレコーダ２０の動作状態と消費電力の組み合わせの一例である。
【図１１】図１１は、本発明の実施の形態１に係るＤＶＤレコーダ２０の動作と、消費電力の変化の一例である。
【図１２】図１２は、本発明の実施の形態１に係るテレビ１０におけるＡＶシステムの各機器の動作状態及び、消費電力量の合計を表示する一例である。
【図１３】図１３は、本発明の実施の形態２に係るＡＶシステムの構成図である。
【図１４】図１４は、本発明の実施の形態２に係るテレビ５０の機能ブロック図である。
【図１５】図１５は、本発明の実施の形態２に係るＤＶＤレコーダ６０の機能ブロック図である。
【図１６】図１６は、本発明の実施の形態２に係るセットトップボックス７０の機能ブロックである。
【図１７】図１７は、本発明の実施の形態２に係るテレビ５０において、動作モード３で動作する機能を設定すると共に、動作モード３に切り換える動作を行うＯＳＤメニューの一例である。
【図１８】図１８は、本発明の実施の形態２に係るユーザの操作に対応してＤＶＤレコーダ６０及び、セットトップボックス７０が動作するときにおけるＣＥＣコマンドの送受信の流れの一例である。
【図１９】図１９は、本発明の実施の形態２に係るテレビ５０においてユーザに電源オフしたことを通知するＯＳＤ表示の一例である。
【図２０】図２０は、本発明の実施の形態２に係るテレビ５０においてユーザに消費電力節約量を通知するＯＳＤ表示の一例である。
【図２１】図２１は、ＡＶアンプ６５を含むＡＶシステムの構成図である。
【図２２】図２２は、ＡＶアンプ６５における動作モードと機能の対応表の一例である。
【発明を実施するための形態】
【００３０】
以下、本発明に係るＡＶシステム及びＡＶ機器制御方法の実施の形態について、図面を参照しながら詳細に説明する。
【００３１】
（実施の形態１）
＜構成＞
図１は、実施の形態１に係るＡＶシステムの概略構成を示す図である。図２は、実施の形態１に係るテレビ１０の機能ブロック図である。図３は、実施の形態１に係るＤＶＤレコーダ２０の機能ブロック図である。図４は、実施の形態１に係るセットトップボックス３０の機能ブロック図である。
【００３２】
なお、テレビ１０は、実施の形態１における本発明に係る第一の機器の一例であり、実施の形態１におけるＤＶＤレコーダ２０及びセットトップボックス３０は、本発明に係る第二の機器の一例である。  
【００３３】
図１に示すように、実施の形態１に係るＡＶシステムは、テレビ１０とＤＶＤレコーダ２０とセットトップボックス３０とから構成されている。また、ＡＶシステムは、例えばリモコン４０を備える。
【００３４】
ＡＶシステムにおいて、ＤＶＤレコーダ２０とセットトップボックス３０とは、ＨＤＭＩケーブルでテレビ１０と接続されている。また、ＨＤＭＩにおけるＣＥＣラインは、テレビ１０のＣＥＣ通信部１１１内で接続されている。テレビ１０とＤＶＤレコーダ２０とセットトップボックス３０とは、制御コマンドとしてＣＥＣコマンドを相互に送受信することができる。
【００３５】
テレビ１０は、ＨＤＭＩケーブルを介して接続された機器から出力される映像・音声と、アンテナ（図示せず）を介して受信した放送信号とを出力する機器である。
【００３６】
テレビ１０は、動作モード切換タイマー１０１、消費電力量記憶部１０２、消費電力節約量記憶部１０３、消費電力記憶部１０４、リモコン受信部１０５、映像出力部１０６、音声出力部１０７、アクティブソース機器記憶部１０８、接続機器一覧記憶部１０９、マイコン１１０、ＣＥＣ通信部１１１、ＴＭＤＳデコード部１１２、ＴＭＤＳ入力部１１３、ＨＤＭＩ入力部１１４及び１１５、チューナ１２０、動作機能設定記憶部１２１並びに動作状態記憶部１２２から構成される。
【００３７】
動作モード切換タイマー１０１は、タイマーと、動作モード切換時刻記憶部とから構成される。
【００３８】
動作モード切換タイマー１０１は、マイコン１１０を介して、動作モード１へ切り換える時刻１と動作モード２へ切り換える時刻２とを記憶し、時刻１または時刻２になると、それぞれ設定した時刻になったことをマイコン１１０へ通知する。
【００３９】
消費電力量記憶部１０２は、当日分の消費電力量を一時的に記憶する当日分記憶部と、過去一定期間の消費電力量を記憶するログ記録部とから構成される。なお、消費電力量記憶部１０２のログ記憶部は、不揮発性記憶装置から構成される。
【００４０】
消費電力節約量記憶部１０３は、当日分の消費電力節約量を一時的に記憶する当日分記憶部と、過去一定期間の消費電力量を記憶するログ記録部とから構成される。なお、消費電力節約量記憶部１０３のログ記憶部は、不揮発性記憶装置から構成される。
【００４１】
消費電力記憶部１０４は、テレビ１０の複数の動作状態において、各動作状態における消費電力を記憶する。
【００４２】
リモコン受信部１０５は、リモコン４０から発信される信号を受信し、マイコン１１０に通知する。ここで、リモコン４０は、入力手段として、電源ボタン、メニュー表示ボタン及び上下左右ボタンなどの複数のボタンと、リモコン信号送信部とから構成される。
【００４３】
映像出力部１０６は、ディスプレイ部であり、ＴＭＤＳデコード部１１２、チューナ１２０から出力される映像を表示する。また、映像出力部１０６は、マイコン１１０からの通知に応じて、メッセージ及びメニューを入力映像に重畳してＯＳＤ（Ｏｎ  Ｓｃｒｅｅｎ  Ｄｉｓｐｌａｙ）表示する。
【００４４】
音声出力部１０７は、スピーカ部であり、ＴＭＤＳデコード部１１２またはチューナ１２０から出力される音声を出力する。
【００４５】
アクティブソース機器記憶部１０８は、ＣＥＣ通信部１１１が＜Ａｃｔｉｖｅ  Ｓｏｕｒｃｅ＞コマンドを他の機器から受信した場合には、当該コマンドの送信元の機器のＬＡ及びＰＡを記憶する。アクティブソース機器記憶部１０８は、ＣＥＣ通信部１１１が＜Ａｃｔｉｖｅ  Ｓｏｕｒｃｅ＞コマンドを送信した場合には、テレビ１０がアクティブソースであることを記憶する。
【００４６】
接続機器一覧記憶部１０９は、ＣＥＣ通信部１１１が＜Ｐｏｌｌｉｎｇ  Ｍｅｓｓａｇｅ＞コマンドを送信したときの応答や、他の機器からのコマンドを受信し、通信ネットワークに接続されている機器の一覧を記憶する。
【００４７】
マイコン１１０は、プログラムを実行する装置である。マイコン１１０は、動作モード切換タイマー１０１、リモコン受信部１０５及びＣＥＣ通信部１１１からの通知を受ける。マイコン１１０は、その通知を受けて、消費電力量記憶部１０２、消費電力節約量記憶部１０３、消費電力記憶部１０４、アクティブソース機器記憶部１０８、接続機器一覧記憶部１０９及び動作機能設定記憶部１２１、動作モード切換タイマー１０１の各記憶部に対して情報を書き込み・読み出ししつつ、ＣＥＣ通信部１１１、チューナ１２０、映像出力部１０６等を制御する。また、マイコン１１０は、図示しないテレビ１０が具備する各種機能の制御も行う。
【００４８】
ＣＥＣ通信部１１１は、通信ネットワークを介して制御コマンドを送受信する装置の一例であって、ＣＥＣコマンドの送受信を行う。
【００４９】
ＨＤＭＩ入力部１１４は、ＨＤＭＩ入力ポートであり、本実施の形態では、ＤＶＤレコーダ２０とＨＤＭＩ接続され、映像音声データの受信や制御メッセージの双方向通信を行う。ＨＤＭＩ入力部１１４は、ＨＰＤ信号１１４＿１、ＤＤＣ信号１１４＿２、ＴＭＤＳ信号１１４＿３及びＣＥＣ信号１１４＿４の伝送に使用される。
【００５０】
ＨＤＭＩ入力部１１５は、ＨＤＭＩ入力ポートであり、本実施の形態では、セットトップボックス３０とＨＤＭＩ接続され、映像音声データの受信や制御メッセージの双方向通信を行う。ＨＤＭＩ入力部１１５は、ＨＰＤ信号１１５＿１、ＤＤＣ信号１１５＿２、ＴＭＤＳ信号１１５＿３及びＣＥＣ信号１１５＿４の伝送に使用される。
【００５１】
ここで、ＨＤＭＩ入力部１１４及びＨＤＭＩ入力部１１５は、ＨＤＭＩに限定されない。例えば、ＨＤＭＩ入力部１１４及びＨＤＭＩ入力部１１５は、有線・無線を問わず、同等の機能を提供する、例えば適応した通信方式に応じたインターフェースであってもよい。
【００５２】
ＴＭＤＳ入力部１１３は、ＴＭＤＳデータが、ＨＤＭＩ入力部１１４、１１５のＴＭＤＳ信号１１４＿３、１１５＿３を用いて入力され、ＴＭＤＳデコード部１１２に出力する。
【００５３】
ＴＭＤＳデコード部１１２は、ＴＭＤＳデータをＴＭＤＳデコードし、デコードした映像データを映像出力部１０６に、デコードした音声データを音声出力部１０７に出力する。
【００５４】
チューナ１２０は、アンテナ（図示せず）より入力された放送信号を、デコードする。チューナ１２０は、デコードした映像データを映像出力部１０６に、デコードした音声データを音声出力部１０７に出力する。
【００５５】
動作機能設定記憶部１２１は、図５Ｃに示すようなテレビ１０の各種動作状態と各種機能との対応を示すテーブルを記憶している。なお、図５Ｃに示すテレビ１０の機能は一例であって、これらの機能に限定されない。テレビ１０が備える全ての機能について、動作状態と対応付けられていればよい。
【００５６】
動作状態記憶部１２２は、記憶装置であって、テレビ１０の動作状態が変化したとき、当該動作状態を開始した時刻及び、当該動作状態を示す情報を記憶する。また、動作状態記憶部１２２は、当該動作状態が、動作モード切換タイマー１０１による状態変化であるか、否か示すフラグを記憶する。また、動作状態記憶部１２２は、一定時間ごとに動作状態を継続したことを動作継続時刻記憶部に記憶する。
【００５７】
ＤＶＤレコーダ２０は、アンテナ（図示せず）を介して受信した放送信号を録画し、録画した映像・音声信号を、ＨＤＭＩケーブルを介して出力する機器である。ＤＶＤレコーダ２０は、図３に示すように、動作モード切換タイマー２０１、消費電力量記憶部２０２、消費電力節約量記憶部２０３、消費電力記憶部２０４、リモコン受信部２０５、アクティブソース状態記憶部２０８、マイコン２１０、ＣＥＣ通信部２１１、デコード部２１２、ＴＭＤＳ出力部２１３、ＨＤＭＩ出力部２１４、ＴＶ電源状態判定部２１６、録画タイマー２１７、ＩＰ通信部２１８、録画部２１９、チューナ２２０、動作機能設定記憶部２２１及び動作状態記憶部２２２から構成される。
【００５８】
動作モード切換タイマー２０１は、タイマーと動作モード切換時刻記憶部とから構成される。動作モード切換タイマー２０１は、マイコン２１０を介して、動作モード１へ切り換える時刻１及び、動作モード２へ切り換える時刻２を記憶し、時刻１または、時刻２になると、それぞれ設定した時刻になったことをマイコン２１０へ通知する。
【００５９】
消費電力量記憶部２０２は、当日分の消費電力量を一時的に記憶する当日分記憶部と、過去一定期間の消費電力量を記憶するログ記録部とから構成される。なお、消費電力量記憶部２０２のログ記憶部は、不揮発性記憶装置から構成される。
【００６０】
消費電力節約量記憶部２０３は、当日分の消費電力節約量を一時的に記憶する当日分記憶部と、過去一定期間の消費電力量を記憶するログ記録部とから構成される。なお、消費電力節約量記憶部２０３のログ記憶部は、不揮発性記憶装置から構成される。
【００６１】
消費電力記憶部２０４は、ＤＶＤレコーダ２０の複数の動作状態において、各動作状態における消費電力を記憶する。
【００６２】
リモコン受信部２０５は、ＤＶＤレコーダ２０に対応するリモコン４０（図示せず）から発信される信号を受信し、マイコン２１０に通知する。ここで、リモコン４０は、上述したように、入力手段として、電源ボタン、メニュー表示ボタン及び上下左右ボタンなどの複数のボタンと、リモコン信号送信部とから構成されている。
【００６３】
アクティブソース状態記憶部２０８は、ＣＥＣ通信部２１１が＜Ａｃｔｉｖｅ  Ｓｏｕｒｃｅ＞コマンドを送信した場合には、ＤＶＤレコーダ２０がアクティブソースであることを記憶する。アクティブソース状態記憶部２０８は、ＣＥＣ通信部２１１が＜Ａｃｔｉｖｅ  Ｓｏｕｒｃｅ＞コマンドを他の機器から受信した場合には、ＤＶＤレコーダ２０がアクティブソース状態であることを消去する。
【００６４】
マイコン２１０は、プログラムを実行する装置である。マイコン２１０は、動作モード切換タイマー２０１、リモコン受信部２０５、ＣＥＣ通信部２１１、ＴＶ電源状態判定部２１６及び録画タイマー２１７からの通知を受ける。マイコン２１０は、その通知を受けて、消費電力記憶部２０４、消費電力量記憶部２０２、消費電力節約量記憶部２０３、アクティブソース状態記憶部２０８及び動作機能設定記憶部２２１の各記憶部に対して情報を書き込み・読み出ししつつ、ＣＥＣ通信部２１１、デコード部２１２、ＩＰ通信部２１８、録画部２１９及びチューナ２２０等を制御する。また、マイコン２１０は、ＤＶＤレコーダ２０が具備する図示しないその他の各種機能の制御も行う。
【００６５】
例えば、他の機器との通信を行うためのＩＰ通信部（ＩＰ通信機能）、現在時刻の表示や受信中のチャンネル情報などを表示するＬＥＤ時計表示部（ＬＥＤ時計表示機能）を制御する。もちろん、マイコン２１０は、チューナから出力された放送信号（映像・音声データが含まれる）を録画する録画部２１９（録画機能）も制御する。これらの各部については、個別に電源オンや電源オフの制御をマイコン２１０により制御することができる。
【００６６】
ＣＥＣ通信部２１１は、通信ネットワークを介して制御コマンドを送受信する装置の一例であって、ＣＥＣコマンドの送受信を行う。
【００６７】
なお、制御コマンドを送受信する通信ネットワークは、ＣＥＣに限らず、ＩＰなど有線または無線を利用したものでもよい。
【００６８】
デコード部２１２は、チューナ２２０または録画部２１９から入力された映像・音声データを適切にデコードして、デコードした映像データ及び音声データをＴＭＤＳ出力部に出力する。
【００６９】
ＴＭＤＳ出力部２１３は、映像データ及び、音声データをＴＭＤＳデータの信号として、ＨＤＭＩ出力部２１４のＴＭＤＳ２１４＿３を介して出力する。
【００７０】
ＨＤＭＩ出力部２１４は、ＴＭＤＳ出力部２１３より入力されたＴＭＤＳデータを、ＴＭＤＳ信号２１４＿３を用いて出力する。
【００７１】
ＴＶ電源状態判定部２１６は、ＣＥＣ通信部２１１を介して、テレビ１０が送信するＣＥＣコマンドの受信をし、テレビ１０への電源状態問い合わせによって、テレビ１０が電源オンであるのか電源オフであるのか判定する。ＴＶ電源状態判定部２１６は、その判定結果をマイコン２１０に通知する。
【００７２】
録画タイマー２１７は、予約されている放送録画を開始するためのタイマーであり、設定された時刻になると、録画開始を録画部２１９と、マイコン２１０とに通知する。
【００７３】
ＩＰ通信部２１８は、ＤＶＤレコーダ２０が備える機能の一例であって、ＩＰ通信によって、接続された機器（図示せず）との情報の送受信を行う。
【００７４】
録画部２１９は、チューナ２２０が出力する放送信号をハードディスク等の記録装置に記録する装置である。
【００７５】
チューナ２２０は、アンテナ（図示せず）より入力された放送信号を、録画部２１９または、デコード部２１２に出力する。
【００７６】
動作機能設定記憶部２２１は、図５Ａに示すようなＤＶＤレコーダ２０の各種動作状態と各種機能との対応を示すテーブルを記憶している。
【００７７】
なお、図５Ａに示すＤＶＤレコーダ２０の機能は一例であって、これらの機能に限定されない。ＤＶＤレコーダ２０が備える全ての機能について、動作状態と対応付けられている。
【００７８】
動作状態記憶部２２２は、記憶装置であって、ＤＶＤレコーダ２０の動作状態が変化したとき、当該動作状態を開始した時刻及び、当該動作状態を示す情報を記憶する。また、動作状態記憶部２２２は、当該動作状態が、動作モード切換タイマー２０１による状態変化であるか否かを示すフラグを記憶する。また、動作状態記憶部２２２は、一定時間ごとに動作状態を継続したことを動作継続時刻記憶部に記憶する。
【００７９】
セットトップボックス３０は、放送信号ケーブル（図示せず）を介して受信した放送信号をデコードし、映像・音声信号を、ＨＤＭＩケーブルを介して出力する機器である。
【００８０】
セットトップボックス３０は、図４に示すように、動作モード切換タイマー３０１、消費電力量記憶部３０２、消費電力節約量記憶部３０３、消費電力記憶部３０４、リモコン受信部３０５、アクティブソース状態記憶部３０８、マイコン３１０、ＣＥＣ通信部３１１、デコード部３１２、ＴＭＤＳ出力部３１３、ＨＤＭＩ出力部３１４、ＴＶ電源状態判定部３１６、チューナ３２０、動作機能設定記憶部３２１及び動作状態記憶部３２２から構成される。
【００８１】
動作モード切換タイマー３０１は、タイマーと、動作モード切換時刻記憶部とから構成される。動作モード切換タイマー３０１は、マイコン３１０を介して、動作モード１へ切り換える時刻１と動作モード２へ切り換える時刻２とを記憶し、時刻１または時刻２になると、それぞれ設定した時刻になったことをマイコン３１０へ通知する。
【００８２】
消費電力量記憶部３０２は、当日分の消費電力量を一時的に記憶する当日分記憶部と、過去一定期間の消費電力量を記憶するログ記録部とから構成される。なお、消費電力量記憶部３０２のログ記憶部は、不揮発性記憶装置から構成される。
【００８３】
消費電力節約量記憶部３０３は、当日分の消費電力節約量を一時的に記憶する当日分記憶部と、過去一定期間の消費電力量を記憶するログ記録部とから構成される。なお、消費電力節約量記憶部３０３のログ記憶部は、不揮発性記憶装置から構成される。
【００８４】
消費電力記憶部３０４は、セットトップボックス３０の複数の動作状態において、各動作状態における消費電力を記憶する。
【００８５】
リモコン受信部３０５は、ＤＶＤレコーダ２０に対応するリモコン４０（図示せず）から発信される信号を受信し、マイコン３１０に通知する。ここで、リモコン４０は、上述したように、入力手段として、電源ボタン、メニュー表示ボタン、上下左右ボタンなどの複数のボタンと、リモコン信号送信部から構成される。
【００８６】
アクティブソース状態記憶部３０８は、ＣＥＣ通信部３１１が＜Ａｃｔｉｖｅ  Ｓｏｕｒｃｅ＞コマンドを送信した場合には、セットトップボックス３０がアクティブソースであることを記憶する。アクティブソース状態記憶部３０８は、ＣＥＣ通信部３１１が＜Ａｃｔｉｖｅ  Ｓｏｕｒｃｅ＞コマンドを他の機器から受信した場合には、セットトップボックス３０がアクティブソース状態であることを消去する。
【００８７】
マイコン３１０は、プログラムを実行する装置である。マイコン３１０は、動作モード切換タイマー３０１、リモコン受信部３０５、ＣＥＣ通信部３１１及びＴＶ電源状態判定部３１６からの通知を受ける。マイコン３１０は、その通知を受けて、消費電力記憶部３０４、消費電力量記憶部３０２、消費電力節約量記憶部３０３、アクティブソース状態記憶部３０８及び動作機能設定記憶部３２１の各記憶部に対して情報を書き込み・読み出ししつつ、ＣＥＣ通信部３１１、デコード部３１２及びチューナ３２０等を制御する。また、マイコン３１０は、セットトップボックス３０が具備する図示しない各種機能の制御も行う。
【００８８】
ＣＥＣ通信部３１１は、通信ネットワークを介して制御コマンドを送受信する装置の一例であって、ＣＥＣコマンドの送受信を行う。
【００８９】
なお、制御コマンドを送受信する通信ネットワークは、ＣＥＣに限らず、ＩＰなど有線または無線を利用したものでもよい。
【００９０】
デコード部３１２は、チューナ３２０から入力された映像・音声データを適切にデコードして、映像データ及び、音声データをＴＭＤＳ出力部に出力する。
【００９１】
ＴＭＤＳ出力部３１３は、映像データ及び、音声データをＴＭＤＳデータの信号として、ＨＤＭＩ出力部３１４のＴＭＤＳ３１４＿３を介して出力する。
【００９２】
ＨＤＭＩ出力部３１４は、ＴＭＤＳ出力部３１３より入力されたＴＭＤＳデータを、ＴＭＤＳ信号３１４＿３を用いて出力する。
【００９３】
ＴＶ電源状態判定部３１６は、ＣＥＣ通信部３１１を介して、テレビ１０が送信するＣＥＣコマンドの受信をし、テレビ１０への電源状態問い合わせによって、テレビ１０が電源オンであるのか電源オフであるのか判定する。ＴＶ電源状態判定部３１６は、その判定結果を、マイコン３１０に通知する。
【００９４】
チューナ３２０は、アンテナ（図示せず）より入力された放送信号を、録画部２１９または、デコード部２１２に出力する。
【００９５】
動作状態記憶部３２２は、記憶装置であって、セットトップボックス３０の動作状態が変化したとき、当該動作状態を開始した時刻及び、当該動作状態を示す情報を記憶する。
【００９６】
また、動作状態記憶部３２２は、当該動作状態が、動作モード切換タイマー３０１による状態変化であるか、否か示すフラグを記憶する。また、動作状態記憶部３２２は、一定時間ごとに動作状態を継続したことを動作継続時刻記憶部に記憶する。
【００９７】
動作機能設定記憶部３２１は、図５Ｂに示すようなセットトップボックス３０の各種動作状態と各種機能との対応を示すテーブルを記憶している。
【００９８】
なお、図５Ｂに示すセットトップボックス３０の機能は一例であって、これらの機能に限定されない。セットトップボックス３０が備える全ての機能について、動作状態と対応付けられていればよい。
【００９９】
＜動作＞
（ユーザによる動作モードと動作する機能の組み合わせの設定）
通信ネットワークに接続された、テレビ１０、ＤＶＤレコーダ２０及びセットトップボックス３０は、それぞれの動作機能設定記憶部１２１、２２１及び３２１に、各動作モードにおいて動作する機能を示す動作モードと機能との対応表を記憶している。
【０１００】
図５Ａ、図５Ｂ及び図５Ｃは、それぞれＤＶＤレコーダ２０、セットトップボックス３０、テレビ１０における動作モードと機能との対応表の一例である。図５Ａ、図５Ｂ及び図５Ｃは、ＤＶＤレコーダ２０、セットトップボックス３０、テレビ１０の機器それぞれが複数の動作モードを持ち、動作モードそれぞれにおいて通電して機能を動作する場合、通電せずに機能を動作しない場合を示している。
【０１０１】
例えば、図５Ａは、ＤＶＤレコーダ２０において、ＤＶＤレコーダ２０の動作モードが電源オフ動作モード２であり、かつ、ＴＶ電源状態判定部２１６によってＴＶ電源オフと判定されているときは、録画機能は動作し、ＩＰ通信機能、ＬＥＤ時計表示機能及びＨＤＭＩ映像・音声出力機能は動作しないことを示している。
【０１０２】
また、図５Ａに示すように、ＤＶＤレコーダ２０は、電源オフの状態において、少なくとも消費電力が異なる電源オフ動作モード１及び電源オフ動作モード２を持つことを示している。すなわち、ＤＶＤレコーダ２０は、例えば電源オフ動作モード１、電源オフ動作モード２を持つ。このうち、電源オフ動作モード１は、ＨＤＭＩ映像・音声出力は通電しないが、録画機能とＩＰ通信機能及びＬＥＤ時計表示といったメインマイコンには通電している状態であるなどといった、電源オフ状態であるものの一部には電源が供給されている状態である。また、電源オフ動作モード２は、ＨＤＭＩ映像・音声出力とメインマイコンには通電せず、録画機能のみ通電している状態であるなどといった、電源オフ状態であるものの電源オフ動作モード１よりも動作する機能を少なくした状態である。このため、電源オフ動作モード２では、電源オフ動作モード１よりも、通電している機能が少ないため消費電力が低くなる。
【０１０３】
また、図５Ａでは、ＤＶＤレコーダ２０は、ＨＤＭＩ映像・音声出力と録画機能とＩＰ通信機能及びＬＥＤ時計表示のメインマイコンにも通電しない動作モード３（完全オフモード）を持つことを示している。
【０１０４】
なお、セットトップボックス３０、テレビ１０も同様のため、説明は省略する。
【０１０５】
ただし、リモコン受信機能などの動作モードに関係なく動作しつづける機能もあるが、本実施例では図示しない。また、図５Ａ、図５Ｂ及び図５Ｃに示す機能は、それぞれの機器における機能の一部を例示するものであって、動作モードと対応付けられる機能はこれらに限定されるものではない。
【０１０６】
また、ユーザは、テレビ１０、ＤＶＤレコーダ２０及びセットトップボックス３０のリモコン４０を利用して、前記動作モードと機能との対応表を変更することができる。
【０１０７】
図６は、本発明の実施の形態１に係るＤＶＤレコーダ２０における動作モードと機能とを設定するメニューの一例である。メニュー１６００は、ＤＶＤレコーダ２０において動作モードと機能との対応を変更するＯＳＤ（Ｏｎ  Ｓｃｒｅｅｎ  Ｄｉｓｐｌａｙ）メニュー表示の一例である。図６において、メニュー項目１６０２〜１６０４は、動作モード切換後に動作する機能の組み合わせを示しており、カーソル１６０１は選択中のメニュー項目を示している。
【０１０８】
ユーザが、ＤＶＤレコーダ２０のリモコン４０（図示せず）等の入力手段によって、カーソル１６０１を動かして所望のメニュー項目を選択すると、マイコン２１０は、選択されたメニュー項目に対応する値になるように、動作機能設定記憶部２２１の動作モードと機能との対応表の書き換えを行う。
【０１０９】
テレビ１０、セットトップボックス３０も同様のＯＳＤメニュー表示機能を具備し、ユーザはそれぞれの機器において、各種動作モードで所望の機能のみ動作するように設定することで、動作機能設定記憶部１２１及び３２１の書き換えを行うことができる。
【０１１０】
（各機器のタイマーで時間に応じて動作モードの設定を行う）
図７は、本発明の実施の形態１に係るテレビ１０におけるＯＳＤメニュー表示による動作モード切換時刻設定方法の一例である。
【０１１１】
まず、ユーザは、テレビ１０が備える入力手段によって電源オン動作モード１及び電源オフ動作モード１で動作開始する時刻１と、電源オン動作モード２及び電源オフ動作モード２で動作開始する時刻２とを予め指定する。
【０１１２】
ここで、時刻１及び時刻２の設定は、例えば、テレビ１０の映像出力部１０６にＯＳＤメニュー２１００に示すようなメニューを表示し、ユーザはテレビ１０のリモコン４０の入力手段であるボタンを押すことで、メニューから動作モード１及び動作モード２の開始時刻を所望の時刻に変更して、時刻１及び時刻２を設定する。
【０１１３】
ユーザの操作により、時刻１及び時刻２が決定されると、テレビ１０では、ユーザが指定した時刻１及び時刻２をパラメタとして動作モード切換時刻設定コマンドを、ＣＥＣ通信部１１１によって、接続されたＤＶＤレコーダ２０及びセットトップボックス３０に送信する。また、テレビ１０は、動作モード切換タイマー１０１に時刻１及び時刻２をセットする。
【０１１４】
次に、ＤＶＤレコーダ２０及びセットトップボックス３０は、当該動作モード切換時刻設定コマンドを受信し、当該コマンドのパラメタに指定された時刻１及び時刻２を、各機器の動作モード切換タイマー２０１及び３０１にセットする。
【０１１５】
次に、ＤＶＤレコーダ２０の動作モード切換タイマー２０１は、時刻２になると、時刻２になったことをマイコン２１０に通知する。
【０１１６】
マイコン２１０は、当該通知を受信し、ＤＶＤレコーダ２０の動作モードが電源オン動作モード１であった場合は、電源オン動作モード２へ切り換える。マイコン２１０は、当該通知を受信し、自身の動作モードが電源オフ動作モード１であった場合には、電源オフ動作モード２へ切り換えて、動作開始する。
【０１１７】
また、ＤＶＤレコーダ２０は、動作モードを切り換える際に、ＤＶＤレコーダ２０の動作機能設定記憶部２２１を参照する。ＤＶＤレコーダ２０は、切り換え後の動作モードにおいて動作しないように設定されている機能についてプログラムを終了させるかまたは通電しないようにし、切り換え後の動作モードにおいて動作するように設定されている機能についてプログラムを開始させるか通電開始する。
【０１１８】
例えば、ＤＶＤレコーダ２０は、電源オフ動作モード２において、ＤＶＤレコーダ２０のＩＰ通信部２１８が動作しないように設定されている場合には、ＩＰ通信部２１８のプログラムを終了させ、当該ＩＰ通信部２１８に通電しないようにする。
【０１１９】
セットトップボックス３０の動作モード切換タイマー３０１も同様に、時刻２になると、時刻２になったことを、マイコン３１０に通知する。
【０１２０】
そして、マイコン３１０は、当該通知を受信し、セットトップボックス３０の動作モードが電源オン動作モード１であった場合は、電源オン動作モード２へ切り換える。マイコン３１０は、当該通知を受信し、自身の動作モードが電源オフ動作モード１であった場合には、電源オフ動作モード２へ切り換えて、動作開始する。
【０１２１】
また、セットトップボックス３０は、ＤＶＤレコーダ２０と同様に動作モードを切り換える際に、セットトップボックス３０の動作機能設定記憶部３２１を参照する。セットトップボックス３０は、切り換え後の動作モードにおいて動作しないように設定されている機能についてプログラムを終了させるかまたは通電しないようにし、切り換え後の動作モードにおいて動作するように設定されている機能についてプログラムを開始させるか通電開始する。
【０１２２】
また、テレビ１０の動作モード切換タイマー１０１も同様に、時刻２になると時刻２になったことを、マイコン１１０に通知する。
【０１２３】
そして、マイコン１１０は、当該通知を受信し、電源オン動作モード１であった場合には、電源オン動作モード２へ切り換える。マイコン１１０は、当該通知を受信し、自身の動作モードが電源オフ動作モード１であった場合には、電源オフ動作モード２へ切り換えて動作開始する。
【０１２４】
また、テレビ１０、ＤＶＤレコーダ２０、セットトップボックス３０は、時刻１になった場合も同様に、各々の機器の動作モード切換タイマー（１０１、２０１及び３０１）によって動作モードを切り換える。
【０１２５】
ＤＶＤレコーダ２０の動作モード切換タイマー２０１は、時刻１になると、時刻１になったことをマイコン２１０に通知する。
【０１２６】
そして、マイコン２１０は、当該通知を受信し、ＤＶＤレコーダ２０の動作モードが電源オン動作モード２であった場合は、電源オン動作モード１へ切り換える。マイコン２１０は、当該通知を受信し、自身の動作モードが電源オフ動作モード２であった場合には、電源オフ動作モード１へ切り換えて、動作開始する。
【０１２７】
また、セットトップボックス３０の動作モード切換タイマー３０１も同様に、時刻１になると、時刻１になったことを、マイコン３１０に通知する。
【０１２８】
そして、マイコン３１０は、当該通知を受信し、ＤＶＤレコーダ２０の動作モードが電源オン動作モード２であった場合は、電源オン動作モード１へ切り換える。マイコン３１０は、当該通知を受信し、自身の動作モードが電源オフ動作モード２であった場合には、電源オフ動作モード１へ切り換えて、動作開始する。
【０１２９】
また、テレビ１０の動作モード切換タイマー１０１も同様に、時刻１になると時刻１になったことを、マイコン１１０に通知する。
【０１３０】
そして、マイコン１１０は、当該通知を受信し、電源オン動作モード２であった場合には、電源オン動作モード１へ切り換える。マイコン１１０は、当該通知を受信し、自身の動作モードが電源オフ動作モード２であった場合には、電源オフ動作モード１へ切り換えて動作開始する。
【０１３１】
以上のように、テレビ１０でユーザによりＤＶＤレコーダ２０またはセットトップボックス３０の動作モードを切り換える時刻が指定された場合に、テレビ１０により送信された制御コマンドに基づいて、ＤＶＤレコーダ２０またはセットトップボックス３０は、指定された時刻を各機器の動作モード切換タイマー２０１または３０１にセットする。そして、指定された時刻になると、ユーザにより指定された動作モードに切り換える。このように、各機器のタイマーで時間に応じて動作モードを切り換える。
【０１３２】
なお、動作モードを切り換える時刻の設定は、２つに限るものではなく、例えば、図８のように時間帯及び、曜日で動作モードを指定しても良い。また、動作モードも２つに限らず３つ以上の動作モードを切り換えてもよい。
【０１３３】
また、動作モードを切り換えるタイミングは、時刻に限らず、経過時間としてもよい。すなわち、例えば、ある動作モードが所定の経過時間維持されたとき、その時間が経過したタイミングで他の動作モードに切り換えてもよい。
【０１３４】
（電源オン／オフに連動して動作モードを切り換える動作）
ＤＶＤレコーダ２０及びセットトップボックス３０は、動作モード１及び動作モード２への切換を、動作モード切換タイマー２０１及び３０１によらないでテレビ１０の動作に連動させることもできる。以下に、ＤＶＤレコーダ２０及びセットトップボックス３０が、動作モード切換タイマー２０１及び３０１によらないでテレビ１０の電源状態に連動して、動作モード１または動作モード２への切換を行う動作について説明する。
【０１３５】
ＤＶＤレコーダ２０とセットトップボックス３０とにおけるＴＶ電源状態判定部２１６及び３１６は、各々のＣＥＣ通信部２１１及び３１１を利用して、テレビ１０の電源状態の変化の検出とテレビ１０の電源状態の判定を行う。
【０１３６】
ＴＶ電源状態判定部２１６及び３１６は、テレビ１０の電源状態を判定するために、一定時間ごとに、テレビ１０に対して電源状態を問い合わせるために＜Ｇｉｖｅ  Ｐｏｗｅｒ  Ｓｔａｔｕｓ＞コマンドを送信する。
【０１３７】
テレビ１０は、＜Ｇｉｖｅ  Ｐｏｗｅｒ  Ｓｔａｔｕｓ＞コマンドを受信し、電源オンまたは電源オフの電源状態を＜Ｒｅｐｏｒｔ  Ｐｏｗｅｒ  Ｓｔａｔｕｓ＞コマンドのパラメタとして、＜Ｇｉｖｅ  Ｐｏｗｅｒ  Ｓｔａｔｕｓ＞コマンドの送信元の機器に対して送信する。
【０１３８】
ＴＶ電源状態判定部２１６及び３１６は、一定時間ごとに当該＜Ｇｉｖｅ  Ｐｏｗｅｒ  Ｓｔａｔｕｓ＞コマンドを受信することでテレビ１０の電源状態の変化を検出し、テレビ１０の電源状態を判定することができる。
【０１３９】
テレビ１０が電源オンするとき、または電源オフするときにそれぞれ特定のＣＥＣコマンドを送信する場合、ＴＶ電源状態判定部２１６及び３１６は、前記特定のＣＥＣコマンドを受信したときに、テレビ１０が電源オンしたのか、または、電源オフしたのかいずれであるのかを判定することができる。
【０１４０】
例えば、テレビ１０が電源オフするときに＜Ｓｔａｎｄｂｙ＞コマンドを送信する場合には、ＤＶＤレコーダ２０または、セットトップボックス３０のＴＶ電源状態判定部２１６及び３１６は、テレビ１０からの＜Ｓｔａｎｄｂｙ＞コマンドを受信したときに、テレビ１０が電源オフしたと判定することができる。
【０１４１】
次に、ユーザが、テレビ１０のリモコン４０またはテレビ１０の筺体に備える電源ボタン（図示せず）を押して、テレビ１０を電源オンする場合の動作の流れを以下に説明する。
【０１４２】
まず、ＤＶＤレコーダ２０及びセットトップボックス３０におけるＴＶ電源状態判定部２１６及び３１６は、テレビ１０が電源オンしたことを検出し、マイコン２１０、３１０に通知する。
【０１４３】
次に、ＤＶＤレコーダ２０及びセットトップボックス３０におけるマイコン２１０及び３１０は、当該通知によりテレビ１０が電源オンしたことを検出すると、各々の機器の動作モードを、電源オン動作モード１または電源オフ動作モード１へ切り換えて動作開始する。
【０１４４】
また、テレビ１０が電源オン状態で動作中に、ユーザが、テレビ１０のリモコン４０またはテレビ１０の筺体に備える電源ボタン（図示せず）を押して、テレビ１０を電源オフすると、テレビ１０は、接続された機器の電源をオフする＜Ｓｔａｎｄｂｙ＞コマンドを送信する。
【０１４５】
次に、ＤＶＤレコーダ２０及びセットトップボックス３０におけるＴＶ電源状態判定部２１６及び３１６は、当該＜Ｓｔａｎｄｂｙ＞コマンドを受信し、テレビ１０が電源オフしたと判定する。そして、その判定結果をマイコン２１０及び３１０にそれぞれ通知する。
【０１４６】
ＤＶＤレコーダ２０及びセットトップボックス３０におけるマイコン２１０及び３１０は、当該通知によりテレビ１０が電源オフしたことを検出し、かつ、＜Ｓｔａｎｄｂｙ＞コマンドを受信しているため、それぞれ機器の動作モードを電源オフ動作モード２へ切り換えて動作開始する。
【０１４７】
以上により、ＤＶＤレコーダ２０及びセットトップボックス３０は、動作モード切換タイマー２０１及び３０１によらないで動作モード１及び動作モード２への切換を行うことができる。すなわち、ＤＶＤレコーダ２０及びセットトップボックス３０は、テレビ１０の電源オンまたは電源オフの状態を判定することにより、テレビ１０が電源オンまたは電源オフになる際に連動して、動作モードを切り換える。
【０１４８】
なお、ＴＶ電源状態判定部２１６及び３１６がテレビ１０の電源状態を判定する方法は、上述の方法に限定されない。例えば、ＤＶＤレコーダ２０及びセットトップボックス３０は、テレビ１０が電源オフであることをパラメタとした＜Ｒｅｐｏｒｔ  Ｐｏｗｅｒ  Ｓｔａｔｕｓ＞コマンドを受信し、テレビ１０が電源オフしたことを検出するとしてもよい。
【０１４９】
（ユーザの視聴操作に対応して、ＤＶＤレコーダ２０及び、セットトップボックス３０が電源オフする動作）
ＤＶＤレコーダ２０は、動作モード１または動作モード２であるとき、例えばテレビ１０で視聴する映像・音声データをＤＶＤレコーダ２０からセットトップボックス３０に入力切換を行うとする。
【０１５０】
そして、セットトップボックス３０からの映像・音声をユーザがテレビ１０で視聴している場合、ＤＶＤレコーダ２０が出力する映像・音声データをテレビ１０では視聴することができない。そのため、その場合にはＤＶＤレコーダ２０は、電源オフする。セットトップボックス３０も同様である。すなわち、テレビ１０の入力がＤＶＤレコーダ２０である場合は、セットトップボックス３０が出力する映像・音声データを、テレビ１０では視聴できないため、セットトップボックス３０は電源オフする。
【０１５１】
図９は、ユーザの操作に対応してＤＶＤレコーダ２０及びセットトップボックス３０が動作するときにおけるＣＥＣコマンド送受信の流れの一例である。以下、図９を参照しつつ、ユーザによるテレビ１０の視聴操作に対応して、ＤＶＤレコーダ２０及びセットトップボックス３０が電源オフする動作について説明する。
【０１５２】
まず、ユーザがテレビ１０のリモコン４０等の入力装置を操作することで電源オンする（ステップＳ１０１）。
【０１５３】
次に、テレビ１０が電源オン後にテレビ１０に内蔵するチューナ１２０からの映像・音声を再生する場合には、テレビ１０は、＜Ａｃｔｉｖｅ  Ｓｏｕｒｃｅ＞コマンドをＤＶＤレコーダ２０及びセットトップボックス３０に向けてブロードキャストする。このとき、ＤＶＤレコーダ２０及びセットトップボックス３０ともに電源オン状態ではないため、当該＜Ａｃｔｉｖｅ  Ｓｏｕｒｃｅ＞コマンドに対してなにも動作しない（ステップＳ１０２、ステップＳ１０３）。
【０１５４】
ただし、ＤＶＤレコーダ２０及びセットトップボックス３０におけるＴＶ電源状態判定部２１６及び３１６は、テレビ１０が電源オンするときに送信するＣＥＣコマンドを検出することによって、テレビ１０が電源オン状態になったと判定して、マイコン２１０及び３１０に通知する。
【０１５５】
そして、通知を受けたマイコン２１０は、動作機能設定記憶部２２１を参照して、機器が動作モード１であった場合には、電源オフ動作モード１で、かつ、ＴＶ電源オンのときに動作する機能を起動する。一方、機器が動作モード２であった場合には、電源オフ動作モード２で、かつ、ＴＶ電源オンのときに動作する機能を起動する。
【０１５６】
また、セットトップボックス３０のマイコン３１０も同様に、動作機能設定記憶部３２１を参照して、機器が動作モード１であった場合には、電源オフ動作モード１で、かつ、ＴＶ電源オンのときに動作する機能を起動する。一方、機器が動作モード２であった場合には、電源オフ動作モード２で、かつ、ＴＶ電源オンのときに動作する機能を起動する。
【０１５７】
次に、ユーザは、セットトップボックス３０の視聴を開始するため、テレビ１０が表示するＯＳＤメニューを選択または、テレビ１０のリモコン４０のボタンを押して選択する（ステップＳ１０４）。
【０１５８】
そして、テレビ１０は、セットトップボックス３０に対して、電源オンコマンドを送信する（ステップＳ１０５）。
【０１５９】
次に、セットトップボックス３０は、当該電源オンコマンドを受信し、動作モード１または動作モード２の電源オン状態に遷移して、映像・音声の出力を開始する（ステップＳ１０６）。また、セットトップボックス３０は、映像・音声の出力を開始するときに＜Ａｃｔｉｖｅ  Ｓｏｕｒｃｅ＞コマンドをテレビ１０及びＤＶＤレコーダ２０に送信し、セットトップボックス３０のアクティブソース状態記憶部３０８に、セットトップボックス３０がアクティブソース状態であることを記録する。
【０１６０】
次に、ユーザは、ＤＶＤレコーダ２０の視聴を開始するため、テレビ１０が表示するメニューの選択または、テレビ１０のリモコン４０のボタンを押して選択する（ステップＳ１０７）。
【０１６１】
そして、テレビ１０は、ＤＶＤレコーダ２０に対して、電源オンコマンドを送信する（ステップＳ１０８）。
【０１６２】
次に、ＤＶＤレコーダ２０は、当該電源オンコマンドを受信し、動作機能設定記憶部２２１を参照する。そして、現在の動作モードに対応する機能を動作させて電源オン状態に遷移する。また、ＤＶＤレコーダ２０は、さらに、映像・音声の出力を開始するとともに、映像・音声の出力を開始するときに＜Ａｃｔｉｖｅ  Ｓｏｕｒｃｅ＞コマンドをテレビ１０及びセットトップボックス３０に送信する（ステップＳ１０９）。また、それと同時に、アクティブソース状態記憶部２０８に自機器がアクティブソース状態であることを記憶する。
【０１６３】
次に、セットトップボックス３０は、ステップＳ１０９で送信された＜Ａｃｔｉｖｅ  Ｓｏｕｒｃｅ＞コマンドを受信すると、他の機器がアクティブソース状態であると判断してアクティブソース状態記憶部３０８でのアクティブソース状態であることの記録を消去して、電源オフ状態に遷移する（ステップＳ１１０）。
【０１６４】
このとき、ステップＳ１１０において、セットトップボックス３０のマイコン３１０は、動作機能設定記憶部３２１を参照して、機器（セットトップボックス３０）が動作モード１であった場合には、電源オフ動作モード１でＴＶ電源オンのときに動作する機能のみ動作するように不要な機能を終了させる。一方、マイコン３１０は、機器が動作モード２であった場合には、電源オフ動作モード２でＴＶ電源オンのときに動作する機能を動作するようにして、不要な機能を終了する。
【０１６５】
また、ＤＶＤレコーダ２０も同様に、ＤＶＤレコーダ２０以外の機器からの＜Ａｃｔｉｖｅ  Ｓｏｕｒｃｅ＞コマンドを受信した場合には、他の機器がアクティブソース状態であると判断してアクティブソース状態記憶部２０８でのアクティブソース状態であることの記録を消去して、電源オフ状態に遷移する（ステップＳ１１４）。
【０１６６】
ステップＳ１１４において、ＤＶＤレコーダ２０のマイコン２１０は、動作機能設定記憶部２２１を参照して、機器（ＤＶＤレコーダ２０）が動作モード１であった場合には、電源オフ動作モード１で、ＴＶ電源オンのときに動作する機能のみ動作するように不要な機能を終了する。一方、マイコン２１０は、機器が動作モード２であった場合には、電源オフ動作モード２でＴＶ電源オンのときに動作する機能を動作するようにして、不要な機能を終了する。
【０１６７】
ところで、ユーザがテレビ１０の入力切換ボタンを押したとき、テレビ１０は指定された入力に接続されている機器のＰＡをパラメタとして、＜Ｓｅｔ  Ｓｔｒｅａｍ  Ｐａｔｈ＞コマンドを送信する。
【０１６８】
そのため、ＤＶＤレコーダ２０またはセットトップボックス３０は、＜Ｓｅｔ  Ｓｔｒｅａｍ  Ｐａｔｈ＞コマンドのパラメタに示されるＰＡが、当該機器のＰＡと同じである場合には、電源オンして、＜Ａｃｔｉｖｅ  Ｓｏｕｒｃｅ＞コマンドを送信する。そして、ＤＶＤレコーダ２０またはセットトップボックス３０は、映像・音声データの送出を開始するとともに、自機器のアクティブソース状態記憶部２０８または３０８にアクティブソース状態であることを記憶する。
【０１６９】
なお、ＤＶＤレコーダ２０またはセットトップボックス３０が、＜Ａｃｔｉｖｅ  Ｓｏｕｒｃｅ＞コマンドを受信して、電源オフした後に、一定時間、当該機器に対する、リモコン４０、セットトップボックス３０の筺体に具備されるボタン、ＣＥＣ等による操作がなかった場合には、ユーザによる自機器への操作は発生しないと見なしてもよい。その場合、ＤＶＤレコーダ２０またはセットトップボックス３０は、動作機能設定記憶部２２１及び３２１を参照して、動作モード１または動作モード２の各動作モードでテレビ１０電源オフのときに動作する機能のみを残して、さらに不要な機能を終了する電源オフの状態に遷移する。これについて、図９を用いて以下説明する。
【０１７０】
例えば、図９に示すように、ステップＳ１１４の後、ユーザは、テレビ１０のチューナ１２０で放送を視聴するために、テレビ１０が表示するＯＳＤメニューを選択または、テレビ１０のリモコン４０のボタンを押して選択するとする（ステップＳ１１５）。
【０１７１】
その場合、テレビ１０は、＜Ａｃｔｉｖｅ  Ｓｏｕｒｃｅ＞コマンドをＤＶＤレコーダ２０及びセットトップボックス３０に送信する（ステップＳ１１６、ステップＳ１１７）。
【０１７２】
次に、セットトップボックス３０は、ステップＳ１１６で送信された＜Ａｃｔｉｖｅ  Ｓｏｕｒｃｅ＞コマンドを受信すると、他の機器がアクティブソース状態であると判断してアクティブソース状態記憶部３０８でのアクティブソース状態であることの記録を消去して、電源オフ状態（電源オフ動作モード１）に遷移する。
【０１７３】
ここで、ＤＶＤレコーダ２０は、ステップＳ１１６で送信された＜Ａｃｔｉｖｅ  Ｓｏｕｒｃｅ＞コマンドを受信するが、ステップＳ１１４ですでに電源オフ状態（電源オフ動作モード１）に遷移にしているため、このコマンドに対してはなにもしない。
【０１７４】
そして、ユーザがテレビ１０のチューナ１２０で放送を視聴しつづけている場合に、ＤＶＤレコーダ２０及びセットトップボックス３０が電源オフした後、一定時間経過してもこれら機器に対する操作がなかったときには、ＤＶＤレコーダ２０及びセットトップボックス３０は、電源がオフの状態における動作モードを動作モード１（電源オフ動作モード１）から動作モード２（電源オフ動作モード２）に切り換える。
【０１７５】
ここで、ＤＶＤレコーダ２０及びセットトップボックス３０では、電源がオフの状態において、少なくとも消費電力が異なる２つの動作モードである電源オフ動作モード１及び電源オフ動作モード２がある。そして、図５で示すように、電源オフ動作モード２は、電源オフ動作モード１よりも動作する機能が少ないため消費電力が低い。
【０１７６】
これにより、ＤＶＤレコーダ２０及びセットトップボックス３０において、テレビ１０が電源オンであるときに動作する機能に比べて、テレビ１０が電源オフであるときに動作する機能が少なくすることができる。また、ＤＶＤレコーダ２０及びセットトップボックス３０は、電源オフ状態に、さらに一定時間経過しても、操作がされなかった場合に、すぐに電源オンする必要がない状態であると見なして、さらに消費電力が少ない電源オフの状態に切り換えてもよい。そうすると、さらに消費電力をより少なくできるので、その結果消費電力を減らすことができる。
【０１７７】
なお、上述のように一定時間経過しても操作がない場合に、すぐに電源オンする必要がないと見なすのは、ＤＶＤレコーダ２０及びセットトップボックス３０の対するマスター機器となるテレビ１０であってもよい。例えばユーザがテレビ１０のチューナ１２０で放送の視聴継続しており、テレビ１０に対して一定時間経過しても操作がないとき、テレビ１０が他の機器を制御するための制御コマンドをＤＶＤレコーダ２０及びセットトップボックス３０に送信すればよい。その場合、ＤＶＤレコーダ２０及びセットトップボックス３０は、受信した制御コマンドに基づいて、さらに消費電力が少ない電源オフの状態に切り換えればよい。
【０１７８】
また、ＤＶＤレコーダ２０及びセットトップボックス３０が＜Ａｃｔｉｖｅ  Ｓｏｕｒｃｅ＞コマンドを受信した際に、電源オフする動作は直ちに動作する必要はなく、一定時間操作がなかったときに電源オフするようにしてもよい。
【０１７９】
以上の動作により、ユーザの視聴操作に対応して、ＤＶＤレコーダ２０及び、セットトップボックス３０が電源オフすることができ、機器を視聴していないときに不要な機能を終了することで、消費電力を削減することができる。
【０１８０】
（消費電力量を記録する）
テレビ１０、ＤＶＤレコーダ２０及びセットトップボックス３０は、それぞれの機器が消費した消費電力量と、前記動作モード切り換えタイマーの動作とによって動作状態が変化したことによる効果である消費電力節約量を記録する。
【０１８１】
また、テレビ１０、ＤＶＤレコーダ２０及びセットトップボックス３０のそれぞれにおいて、各動作状態とその状態における機器の消費電力との組み合わせの表を消費電力記憶部（１０４、２０４及び３０４）に予め記憶しておく。ただし、複数の機能の動作の組み合わせに対して、消費電力が大きく変わらない場合は、ひとつの状態としてまとめてもよい。
【０１８２】
以下、ＤＶＤレコーダ２０の動作を例に、消費電力量及び、消費電力節約量をテレビ１０が得る動作について説明する。
【０１８３】
図１０は、ＤＶＤレコーダ２０の動作状態と消費電力との組み合わせの表の一例を示す図である。図１０では、ＤＶＤレコーダ２０の動作状態と消費電力の組み合わせを動作状態Ｅ１のとき４０Ｗ、動作状態Ｅ２のとき１０Ｗ、動作状態Ｅ３のとき０．５Ｗであるということを示している。
【０１８４】
ＤＶＤレコーダ２０は、ユーザによる入力手段（図示せず）による操作、ＣＥＣコマンドの受信、または、録画タイマー２１７や動作モード切換タイマー２０１を含むＤＶＤレコーダ２０に具備するタイマーの動作により、機器の動作状態が変化したとき、当該動作状態を開始した時刻、及び、当該動作状態を示す情報を動作状態記憶部２２２に記憶する。
【０１８５】
また、ＤＶＤレコーダ２０は、動作状態の変化が、動作モード切換タイマー２０１によって発生した場合は、動作モード切換タイマー２０１による状態変化であることを示すフラグを、動作状態記憶部２２２に記憶する。
【０１８６】
次に、ＤＶＤレコーダ２０の動作状態が変化したとき、変化前の動作状態における消費電力量及び、消費電力節約量を計算する。以下詳細に説明する。
【０１８７】
まず、ＤＶＤレコーダ２０は、動作状態記憶部２２２を参照し、動作状態を開始した時刻と現在の時刻との差を、動作状態を継続した時間として求める。
【０１８８】
次に、動作状態記憶部２２２から、変化前の動作状態を参照し、当該動作状態における消費電力を、消費電力記憶部２０４を参照して取得する。
【０１８９】
次に、取得した動作状態を継続した時間と該動作状態における消費電力との積を、該動作状態による消費電力量として求め、消費電力量記憶部２０２の当日分記憶部に記憶されている値に当該消費電力量を加算して記憶する。同時に、現在の時刻及び、動作状態変化後の動作状態を動作状態記憶部２２２に記憶する。
【０１９０】
再び動作状態が変化したときも同様に、動作状態を継続した時間と、消費電力との積から、消費電力量を計算し、消費電力量記憶部２０２の当日分記憶部に記憶されている値に当該消費電力量を加算して記憶する。以上の一連の動作を繰り返す。
【０１９１】
また、動作状態記憶部２２２を参照して、動作モード切換タイマー２０１による状態変化であった場合には、消費電力節約量を計算する。消費電力節約量は、次の手順で求める。
【０１９２】
すなわち、動作状態記憶部２２２に記憶されている動作状態における消費電力と、通常の状態における消費電力の差を求め、該消費電力の差と動作状態を継続した時間との積を消費電力節約量とする。
【０１９３】
ここで、通常の状態における消費電力とは、動作モード切換タイマー２０１をセットしなかった場合の動作状態における消費電力であって、消費電力節約量は動作モード切換タイマー２０１の動作によって減らした消費電力量を示している。当該消費電力節約量も、消費電力量と同様に、消費電力節約量記憶部２０３の当日分記憶部の値に加算して記憶する。
【０１９４】
また、消費電力量記憶部２０２は、一定時間、例えば２４時間ごとに、当日分の値と、記録する日付及び時刻とを、対にして、消費電力量記憶部２０２のログ記録部に格納し、消費電力量記憶部２０２の当日分記憶部の値を消去して０にする。
【０１９５】
消費電力節約量記憶部２０３も同様に、一定時間、例えば２４時間ごとに、当日分の値と、記録する日付及び時刻とを、対にして、消費電力節約量記憶部２０３のログ記録部に格納し、消費電力節約量記憶部２０３の当日分記憶部の値を消去して０にする。
【０１９６】
なお、消費電力量及び、消費電力節約量のログを記録する間隔は、２４時間に限らず、一定の時間ごとであればよい。
【０１９７】
また、各ログ記録部は、例えば３０日分のみ記録し、３０日を越える場合は、古い値から削除するように記録する。
【０１９８】
また、ＤＶＤレコーダ２０は、上記の動作に加えて、予め設定した一定時間ごとに、ＤＶＤレコーダ２０の動作状態に変化がなかったことを、現在時刻とともに、動作状態記憶部２２２の動作継続時刻記憶部に記録する。
【０１９９】
ところで、ユーザが、ＤＶＤレコーダ２０の電源ケーブルをコンセントから外すなど、ＤＶＤレコーダ２０への電源供給が途絶えて停止することがある。その場合、ＤＶＤレコーダ２０は、ＤＶＤレコーダ２０が再び電源供給を受けて、動作開始するとともに、動作状態記憶部２２２を参照して、動作状態と、動作状態を開始した時刻と、動作状態を継続した時刻を取得する。ＤＶＤレコーダ２０は、さらに、該動作状態を開始した時刻及び動作状態を継続した時刻の間の時間と、該動作状態における消費電力との積を、消費電力量記憶部２０２の当日分記憶部に加算して記憶する。
【０２００】
図１１は、ＤＶＤレコーダ２０の動作と、消費電力の変化の一例である。以下、図１１を用いて消費電力量と、消費電力節約量とを記録する例を示す。なお、図１１は、横軸が時刻を示し、縦軸に時刻における消費電力を示す。
【０２０１】
まず、０時にＤＶＤレコーダ２０のコンセント（図示せず）を接続し、動作状態Ｅ３で動作を開始すると、動作状態記憶部２２２には、動作状態Ｅ３を０時から開始したことが記憶される。
【０２０２】
次に、１時にユーザが電源オンすると（図１１で電源オンＡ）、動作状態Ｅ３を０時から１時までの１時間継続したため、動作状態Ｅ３の消費電力０．５Ｗ×１時間＝０．５Ｗｈが消費電力量記憶部２０２の当日分記憶部に記憶される。また、動作状態Ｅ１になったため、動作状態記憶部２２２には動作状態Ｅ１が１時から開始したことが記憶される。
【０２０３】
次に、２時にユーザがＤＶＤレコーダ２０を電源オフ（図１１で電源オフ）すると、動作状態Ｅ１を１時から２時までの１時間継続したため、動作状態Ｅ１の消費電力４０Ｗ×１時間＝４０Ｗｈを消費電力記憶部２０４の当日分記憶部に加算する。その結果、当日分の消費電力量は４０．５Ｗｈとなる。そして、動作状態記憶部２２２では動作状態Ｅ２を２時から開始したことが記憶される。
【０２０４】
次に、３時に動作モード切換タイマー２０１が働いて、動作状態Ｅ３に変化する（図１１で動作状態切り換えタイマー）と、動作状態Ｅ２を２時から３時までの１時間継続したため、動作状態Ｅ２の消費電力１０Ｗ×１時間＝１０Ｗｈを消費電力量記憶部２０２の当日分記憶部に加算する。その結果、当日分の消費電力量は５０．５Ｗｈとなる。そして、動作状態記憶部２２２には動作状態Ｅ３を３時から開始したことと、動作モード切換タイマー２０１によって動作状態が変化したことが記憶される。
【０２０５】
次に、６時にユーザがＤＶＤレコーダ２０を電源オンすると、動作状態Ｅ１に変化する。動作状態Ｅ３が３時から６時まで継続したため、動作状態Ｅ３の消費電力０．５Ｗ×３時間＝１．５Ｗｈを消費電力記憶部２０４の当日分記憶部に加算する。その結果、当日分の消費電力量は５２Ｗｈとなる。
【０２０６】
また、動作モード切換タイマー２０１によって動作状態Ｅ３になっているため、消費電力節約量の計算を行う。ユーザが電源オフしたときの通常の動作状態である動作状態Ｅ２に対して、動作モード切換タイマー２０１の動作によって動作状態Ｅ３になっている。そのため、動作状態Ｅ２の消費電力と動作状態Ｅ３の消費電力の差９．５Ｗ×３時間＝２８．５Ｗｈを消費電力節約量記憶部２０３の当日分記憶部に記憶される。そして、動作状態記憶部２２２には、動作状態Ｅ１を６時から開始したことが記憶される。
【０２０７】
以上の動作により、ＤＶＤレコーダ２０は消費電力量及び消費電力節約量を計算することができる。
【０２０８】
また、テレビ１０及びセットトップボックス３０も同様に、動作状態記憶部１２２及び３２２と、消費電力記憶部１０４及び３０４と、消費電力量記憶部１０２及び３０２と、消費電力節約量記憶部１０３及び３０３とによって、消費電力量と消費電力節約量とを取得することができる。
【０２０９】
（テレビ１０が消費電力量を表示する）
次に、ユーザがテレビ１０のリモコン４０または、テレビ１０が備えるメニューを操作して、消費電力量及び消費電力節約量の表示を開始する場合について説明する。
【０２１０】
まず、テレビ１０は、接続されている機器に対して、消費電力量の情報を要求する消費電力量要求コマンドと、消費電力節約量の情報を要求する消費電力節約量要求コマンドとを送信する。
【０２１１】
次に、ＤＶＤレコーダ２０及びセットトップボックス３０は、当該消費電力量要求コマンドをそれぞれ受信し、それぞれ消費電力量記憶部２０２及び３０２のログ記録部のなかの情報を参照して、テレビ１０に対して記録した日付・時刻と消費電力量との対をパラメタとして、消費電力量通知コマンドを送信する。
【０２１２】
また、ＤＶＤレコーダ２０及びセットトップボックス３０は、当該消費電力節約量要求コマンドを受信し、それぞれ消費電力節約量記憶部２０３及び３０３のログ記録部のなかの情報を参照して、テレビ１０に対して記録した日付・時刻と消費電力節約量との対をパラメタとして、消費電力節約量通知コマンドを送信する。
【０２１３】
次に、テレビ１０は、当該消費電力量通知コマンドを受信したら、各機器の消費電力量を合計し、１日ごとの消費電力量を表示する。
【０２１４】
図１２は、本発明の実施の形態１に係るテレビ１０におけるＡＶシステムの各機器の動作状態及び、消費電力量の合計を表示する一例である。
【０２１５】
例えば、図１２のＯＳＤ表示２００２に示すように横軸に時間、縦軸に消費電力量として、３０日前から１日前までの消費電力量を表示することができる。
【０２１６】
また、テレビ１０が、当該消費電力節約量通知コマンドを受信した場合も同様に、１日ごとの消費電力節約量の合計を計算し、映像出力部１０６に表示することができる。さらに、消費電力量及び消費電力節約量の表示は、テレビ１０の消費電力量記憶部１０２及び、消費電力節約量記憶部１０３に記録されている値を加えて表示することもできる。
【０２１７】
なお、消費電力量及び、消費電力節約量の表示は、それぞれの電力量に比例した数のアイコンを表示してもよい。
【０２１８】
また、消費電力量または消費電力節約量の表示は、ユーザがテレビ１０を電源オンして、テレビ１０が映像の出画を開始したときに、ＯＳＤ表示するとしてもよい。
【０２１９】
以上の動作により、テレビ１０、ＤＶＤレコーダ２０及びセットトップボックス３０の消費電力量及び消費電力節約量をユーザに表示することができる。
【０２２０】
以上のように、実施の形態１によれば、マスターとなる機器（ここではテレビ１０）が他の機器を制御するための制御コマンドを他の機器に送信することにより、他の機器は、受信した制御コマンドに基づいて、動作状態を切り換えることができる。そのため、ＡＶシステムにおける電力消費を効率化することができる。
【０２２１】
それにより、ＨＤＭＩなどの通信ネットワークを介して接続され、それぞれ消費電力の異なる複数の動作状態を持つ複数の機器に対して、ＡＶシステムにおける消費電力が効率化するように、複数の機器における複数の動作状態を制御することができる。
【０２２２】
（実施の形態２）
なお、実施の形態２は、上述の実施の形態１の構成及び機能をそのまま備えるものであり、図面において実施の形態１と同様の構成には同一の符号を付し、その説明を省略する。
【０２２３】
＜構成＞
図１３は、実施の形態２に係るＡＶシステムの概略構成を示す図である。図１４は、実施の形態２に係るテレビ５０の機能ブロック図である。図１５は、実施の形態２に係るＤＶＤレコーダ６０の機能ブロック図である。図１６は、実施の形態２に係るセットトップボックス７０の機能ブロック図である。なお、図１４、図１５及び図１６において、図２、図３及び図５と同様の要素には同一の符号を付しており、以下で詳細な説明は省略する。
【０２２４】
テレビ５０は、実施の形態２における本発明に係る第一の機器の一例であり、実施の形態２におけるＤＶＤレコーダ６０及び、セットトップボックス７０は本発明に係る第二の機器の一例である。
【０２２５】
図１３に示すように、実施の形態２に係るＡＶシステムは、テレビ５０と、ＤＶＤレコーダ６０と、セットトップボックス７０とから構成されている。また、ＡＶシステムは、例えばリモコン４０を備える。
【０２２６】
ＡＶシステムにおいて、ＤＶＤレコーダ６０と、セットトップボックス７０は、ＨＤＭＩケーブルで、テレビ５０と接続されている。また、ＨＤＭＩにおけるＣＥＣラインは、テレビ５０のＣＥＣ通信部５１１内で接続されている。テレビ５０と、ＤＶＤレコーダ６０と、セットトップボックス７０とは、前記制御コマンドとして、ＣＥＣコマンドを相互に送受信することができる。
【０２２７】
テレビ５０は、ＨＤＭＩケーブルを介して接続された機器から出力される映像・音声とアンテナ（図示せず）を介して受信した放送信号とを出力する機器である。
【０２２８】
テレビ５０は、動作モード切換タイマー５０１、消費電力量記憶部５０２、消費電力節約量記憶部５０３、消費電力記憶部１０４、リモコン受信部１０５、映像出力部１０６、音声出力部１０７、アクティブソース機器記憶部１０８、接続機器一覧記憶部１０９、マイコン５１０、ＣＥＣ通信部５１１、ＴＭＤＳデコード部１１２、ＴＭＤＳ入力部１１３、ＨＤＭＩ入力部１１４及び１１５、チューナ１２０並びに動作機能設定記憶部１２１から構成される。
【０２２９】
動作モード切換タイマー５０１は、タイマーと、動作モード切換時刻記憶部とから構成される。
【０２３０】
動作モード切換タイマー５０１は、マイコン５１０を介して、動作モード１へ切り換える時刻１と動作モード２へ切り換える時刻２とを記憶し、時刻１または、時刻２になると、それぞれ設定した時刻になったことをマイコン５１０へ通知する。
【０２３１】
消費電力量記憶部５０２、当日分の消費電力量を一時的に記憶する当日分記憶部と、過去一定期間の消費電力量を記憶するログ記録部とから構成される。消費電力量記憶部５０２において、当日分記憶部と、ログ記録部は、ＣＥＣで接続され、ＬＡ及びＰＡが異なる機器ごとに記録される。なお、消費電力量記憶部５０２のログ記憶部は、不揮発性記憶装置から構成される。
【０２３２】
消費電力節約量記憶部５０３、当日分の消費電力節約量を一時的に記憶する当日分記憶部と、過去一定期間の消費電力量を記憶するログ記録部とから構成される。消費電力節約量記憶部５０３において、当日分記憶部とログ記録部とは、ＣＥＣで接続され、ＬＡ及びＰＡが異なる機器ごとに記録される。なお、消費電力節約量記憶部５０３のログ記憶部は、不揮発性記憶装置から構成される。
【０２３３】
ＤＶＤレコーダ６０は、アンテナ（図示せず）を介して受信した放送信号を録画し、録画した映像・音声信号を、ＨＤＭＩケーブルを介して出力する機器である。ＤＶＤレコーダ６０は、図１５に示すように、消費電力記憶部２０４、リモコン受信部２０５、マイコン６１０、ＣＥＣ通信部６１１、デコード部２１２、ＴＭＤＳ出力部２１３、ＨＤＭＩ出力部２１４、録画タイマー２１７、ＩＰ通信部２１８、録画部２１９、チューナ２２０及び動作機能設定記憶部２２１から構成される。
【０２３４】
セットトップボックス７０は、放送信号ケーブル（図示せず）を介して受信した放送信号をデコードし、映像・音声信号を、ＨＤＭＩケーブルを介して出力する機器である。セットトップボックス７０は、図１６に示すように、消費電力記憶部３０４、リモコン受信部３０５、マイコン７１０、ＣＥＣ通信部７１１、デコード部３１２、ＴＭＤＳ出力部３１３、ＨＤＭＩ出力部３１４、チューナ３２０及び動作機能設定記憶部３２１から構成される。
【０２３５】
＜動作＞
実施の形態２に係るテレビ５０、ＤＶＤレコーダ６０及びセットトップボックス７０の動作を詳細に説明する。
【０２３６】
（時間に応じた動作モードの切り換え）
まず、ユーザは、テレビ５０が備える入力手段によって電源オン動作モード１及び電源オフ動作モード１で動作開始する時刻１と、電源オン動作モード２及び電源オフ動作モード２で動作開始する時刻２とを予め指定する。これをテレビ５０が記憶する。
【０２３７】
次に、テレビ５０の動作モード切換タイマー５０１は、ユーザが予め指定した時刻２になると、時刻２になったことをマイコン５１０に通知する。
【０２３８】
次に、マイコン５１０は、この通知を受信し、ＣＥＣ通信部５１１によって、動作モード１から動作モード２への切換の指示を意味する動作モード切換コマンド２を送信する。
【０２３９】
次に、ＤＶＤレコーダ６０、及び、セットトップボックス７０は、当該動作モード切換コマンドを受信し、自身の動作モードが電源オン動作モード１であった場合は、動作モードを電源オン動作モード２へ切り換える。一方、ＤＶＤレコーダ６０、及び、セットトップボックス７０が、当該動作モード切換コマンドを受信し、自身の動作モードが電源オフ動作モード１であった場合には、動作モードを電源オフ動作モード２へ切り換える。
【０２４０】
ＤＶＤレコーダ６０は、動作モードを切り換える際に、ＤＶＤレコーダ６０の動作機能設定記憶部２２１を参照する。ＤＶＤレコーダ６０は、さらに、切り換え後の動作モードにおいて動作しないように設定されている機能についてプログラムを終了させるかまたは通電しないようにし、切り換え後の動作モードにおいて動作するように設定されている機能についてプログラムを開始させるか通電開始する。
【０２４１】
セットトップボックス７０は、ＤＶＤレコーダ６０と同様に、動作モードを切り換える際に、セットトップボックス７０の動作機能設定記憶部３２１を参照する。セットトップボックス７０はさらに、切り換え後の動作モードにおいて動作しないように設定されている機能についてプログラムを終了させるかまたは通電しないようにする。また、セットトップボックス７０は、切り換え後の動作モードにおいて動作するように設定されている機能についてプログラムを開始させるか通電開始する。
【０２４２】
また、テレビ５０は、自身の動作モードが電源オン動作モード１であった場合には、自身の動作モードを電源オン動作モード２へ切り換える。一方、テレビ５０は、自身の動作モードが電源オフ動作モード１であった場合には、自身の動作モードを電源オフ動作モード２へ切り換えて動作開始する。
【０２４３】
次に、テレビ５０の動作モード切換タイマー５０１は、指定した時刻１になると、指定した時刻１になったことをマイコン５１０に通知する。この通知を受信したマイコン５１０は、ＣＥＣ通信部５１１に対して、動作モード２から１への切換の指示を意味する動作モード切換コマンド１を送信するように制御する。
【０２４４】
次に、ＤＶＤレコーダ６０、及び、セットトップボックス７０は、当該動作モード切換コマンドを受信し、自身の動作モードが電源オン動作モード２であった場合は、自身の動作モードを電源オン動作モード１へ切り換える。また、ＤＶＤレコーダ６０、及び、セットトップボックス７０は、当該動作モード切換コマンドを受信し、自身の動作モードが電源オフ動作モード２であった場合には、自身の動作モードを電源オフ動作モード１へ切り換えて、動作開始する。
【０２４５】
ＤＶＤレコーダ６０は、動作モードを切り換える際に、ＤＶＤレコーダ６０の動作機能設定記憶部２２１を参照する。ＤＶＤレコーダ６０は、さらに、切り換え後の動作モードで動作しないように設定されている機能についてプログラムを終了させるかまたは通電しないようにする。そして、ＤＶＤレコーダ６０は、切り換え後の動作モードにおいて動作するように設定されている機能についてプログラムを開始させるか通電開始する。
【０２４６】
セットトップボックス７０は、ＤＶＤレコーダ６０と同様に、動作モードを切り換える際に、セットトップボックス７０の動作機能設定記憶部３２１を参照する。セットトップボックス７０は、さらに、切り換え後の動作モードにおいて動作しないように設定されている機能についてプログラムを終了させるかまたは通電しないようにする。そしてセットトップボックス７０は、切り換え後の動作モードにおいて動作するように設定されている機能についてプログラムを開始させるか通電開始する。
【０２４７】
また、テレビ５０も自身の動作モードを、電源オン動作モード２であった場合には、電源オン動作モード１へ切り換え、自身の動作モードが電源オフ動作モード２であった場合には、動作モードを電源オフ動作モード１へ切り換える。
【０２４８】
なお、テレビ５０が電源オンである場合には、前記動作モード切換コマンドを送信しなくても良い。ただし、テレビ５０が電源オフする際に、動作モード２で動作するように設定されている時刻、即ち、時刻２と翌時刻１の間であった場合、テレビ５０は＜Ｓｔａｎｄｂｙ＞コマンドを送信して電源オフするとともに、前記動作モード切換コマンド２を送信する。
【０２４９】
また、ＤＶＤレコーダ６０またはセットトップボックス７０において、例えば番組を録画中であるなど、優先度が高い機能が動作中である場合には、前記動作モード切換コマンドをＣＥＣ通信部６１１または７１１にバッファリングし、当該動作中の機能が終了するとともに、該動作モード切換コマンドに対応する動作を行う。
【０２５０】
以上のように、テレビ５０、ＤＶＤレコーダ６０及びセットトップボックス７０は、動作モード切換タイマー５０１によって、ユーザが予め指定した時刻または時間に応じて、動作モードの切り換えを行うことができる。
【０２５１】
（電源オン／オフに連動した動作モードの切り換え）
テレビ５０、ＤＶＤレコーダ６０及びセットトップボックス７０は、動作モード１と動作モード２との切換を、上述した動作モード切換タイマー５０１によらないでユーザのテレビ５０に対する操作に連動させることもできる。以下、それについて説明する。
【０２５２】
まず、ユーザは、テレビ５０が前記動作モード２で動作中にテレビ５０のリモコン４０またはテレビ５０の筺体に備える動作モード切換ボタン（図示せず）を押す。すると、テレビ５０のマイコン５１０は、ＤＶＤレコーダ６０及びセットトップボックス７０に対して動作モード１へ切り換わるように指示する動作モード切換コマンド３を、ＣＥＣ通信部５１１に対して送信するように制御する。
【０２５３】
次に、ＤＶＤレコーダ６０及びセットトップボックス７０は、当該動作モード切換コマンド３を受信し、それぞれ機器の動作モードを、電源オン動作モード１または電源オフ動作モード１へ切り換えて動作開始する。
【０２５４】
また、ユーザは、テレビ５０が前記動作モード１で動作中に、テレビ５０のリモコン４０またはテレビ５０の筺体に備える動作モード切換ボタン（図示せず）を押すとする。すると、テレビ５０のマイコン５１０は、接続されたＤＶＤレコーダ６０、及び、セットトップボックス７０機器に対して動作モード２へ切り換わるように指示する動作モード切換コマンド４を、ＣＥＣ通信部５１１に対して、送信するように制御する。
【０２５５】
なお、テレビ５０が動作モード１から動作モード２へ切り換わる際に、テレビ５０が電源オフするとともに、ＣＥＣにおける接続された機器の電源をオフする＜Ｓｔａｎｄｂｙ＞コマンドを、動作モード切換コマンド４とともに送信しても良い。
【０２５６】
次に、ＤＶＤレコーダ６０及び、セットトップボックス７０は、当該動作モード切換コマンド４を受信し、それぞれ機器の動作モードを、電源オン動作モード２か、電源オフ動作モード２へ切り換えて動作開始する。
【０２５７】
なお、テレビ５０により＜Ｓｔａｎｄｂｙ＞コマンドが動作モード切換コマンド４とともに送信された場合は、ＤＶＤレコーダ６０及びセットトップボックス７０は、電源オフして、電源オフ動作モード２へ切り換わる。
【０２５８】
以上のように、テレビ５０、ＤＶＤレコーダ６０及びセットトップボックス７０は、動作モード切換タイマー５０１によらないで動作モード１及び動作モード２への切換を行うことができる。
【０２５９】
なお、テレビ５０が動作モード切換コマンド３、または、動作モード切換コマンド４を送信して動作モードの切換を行うためにユーザが行う操作は、テレビ５０のリモコン４０の動作モード切換専用ボタンに限らない。具体的には、テレビ５０のメニューに動作モードの切換を行うためのメニュー項目が設けられ、ユーザが該メニュー項目を選択する操作を行った際に動作モードの切換を行うとしてもよい。
【０２６０】
また、テレビ５０は、所定の時間が経過してもユーザによる操作がなかった場合に、電源オフするとともに、動作モード切換コマンドを送信してもよい。さらに、テレビ５０がユーザが操作した時間帯の傾向を学習し、ユーザの操作が少ない時間帯においては、電源オフするまでの時間を短くなどしてもよい。そのようにすると、より省電力化が可能となる。
【０２６１】
（ユーザの操作による動作モードの切り換え）
また、テレビ５０、ＤＶＤレコーダ６０及びセットトップボックス７０の動作モードの切換を、動作モード切換タイマー５０１によらないでユーザのテレビ５０に対する操作に連動させることもできる。また、動作モード３は、前記動作モード切換タイマー５０１がセットされていても、タイマーによる動作モード切換を行わずにユーザの操作にのみ連動して切り換えるとすることができる。
【０２６２】
以下に動作モード１または動作モード２から動作モード３への切り換え、及び、動作モード３から動作モード１または動作モード２への切り換えの動作について説明する。
【０２６３】
まず、ユーザは、テレビ５０が動作モード１または動作モード２で動作中にテレビ５０のリモコン４０またはテレビ５０の筺体に備える動作モード切換ボタン（図示せず）を押す。すると、テレビ５０のマイコン５１０は、接続されたＤＶＤレコーダ６０、及び、セットトップボックス７０機器に対して、動作モード３へ切り換わるように指示する動作モード切換コマンド５を、ＣＥＣ通信部５１１に対して送信するように制御する。
【０２６４】
なお、テレビ５０が動作モード１または、動作モード２から動作モード３へ切り換わる際に、テレビ５０が電源オフするとともに、ＣＥＣにおける接続された機器の電源をオフする＜Ｓｔａｎｄｂｙ＞コマンドを、動作モード切換コマンド５とともに送信しても良い。
【０２６５】
次に、ＤＶＤレコーダ６０及び、セットトップボックス７０は、当該動作モード切換コマンド５を受信し、それぞれ機器の動作モードを、電源オフ動作モード３へ切り換える。
【０２６６】
なお、テレビ５０が前記＜Ｓｔａｎｄｂｙ＞コマンドを動作モード切換コマンド５とともに送信した場合は、ＤＶＤレコーダ６０及び、セットトップボックス７０は電源オフして、動作モード３へ切り換わる。
【０２６７】
また、ユーザは、テレビ５０が動作モード３で動作中に、テレビ５０のリモコン４０またはテレビ５０の筺体に備える動作モード切換ボタン（図示せず）を押すとする。すると、テレビ５０のマイコン５１０は、ＣＥＣ通信部５１１を制御して、接続されたＤＶＤレコーダ６０、及び、セットトップボックス７０機器に対して、動作モード３を解除するように指示する動作モード切換コマンド６を送信する。
【０２６８】
テレビ５０は、当該動作モード切換コマンド６に動作モード３を解除後に、動作モード１か、動作モード２かいずれかの動作モードになるようにパラメタを付加して送信する。例えば、動作モード切換コマンド６を送信する時刻が、時刻１から時刻２の間であった場合には、動作モード１になるようにパラメタを付加し、時刻２から翌時刻１の間であった場合には、動作モード２になるようにパラメタを付加する。
【０２６９】
ＤＶＤレコーダ６０及び、セットトップボックス７０は、当該動作モード切換コマンド６を受信し、それぞれ機器の動作モードを、電源オン動作モード２か、電源オフ動作モード２へ切り換えて動作開始する。
【０２７０】
以上のように、テレビ５０、ＤＶＤレコーダ６０及び、セットトップボックス７０は、動作モード切換タイマー５０１によらず、受信した制御コマンドに基づいて動作モード１または動作モード２から、動作モード３への切換を行うことができる。
【０２７１】
なお、テレビ５０が、動作モード切換コマンド５、または、動作モード切換コマンド６を送信して、動作モードの切換を行うためにユーザが行う操作は、テレビ５０のリモコン４０の動作モード切換ボタンを押すことに限らない。リモコン４０の電源ボタンを押した際に動作モードの切換を行うとしてもよい。また、ユーザの操作により、テレビ５０のメニューに動作モードの切換を行うためのメニュー項目を設けて、ユーザがメニュー項目を選択した際に動作モードの切換を行うとしてもよい。また、ユーザがテレビ５０を電源オフした後に、例えば２４時間の所定の時間内に、ユーザによる操作がなかった場合に、前記動作モード３への切り換えされるとしてもよい。さらに、テレビ５０においてユーザが操作した時間帯の傾向を学習し、ユーザの操作が少ない時間帯においては、前記動作モード３へ切り換えるまでの時間を短くするとしてもよい。
【０２７２】
図１７は、本発明に係るテレビ５０において、動作モード３で動作する機能を設定するとともに、動作モード３に切り換える動作を行うＯＳＤメニューの一例である。
【０２７３】
例えば、テレビ５０は、図１７のＯＳＤメニュー３１００に示すような、メニューを表示する。そして、ユーザが所望のメニュー項目を選択する。すると、メニュー項目に対応する機能の組み合わせを、動作モード３において動作する機能とする情報を含む動作機能設定更新コマンドを、テレビ５０のＣＥＣ通信部５１１を利用してＤＶＤレコーダ６０及びセットトップボックス７０に対して送信する。それとともに、動作モード３への切り換えを行う指示を含む動作モード切換コマンド５を、ＤＶＤレコーダ６０及びセットトップボックス７０に対して送信する。そして、ＤＶＤレコーダ６０及びセットトップボックス７０は、当該動作機能設定更新コマンドを受信すると、各機器における動作機能設定記憶部２２１及び３２１の動作モード３において動作する機能を、当該動作機能設定更新コマンドに示す機能の組み合わせと一致するように更新する。
【０２７４】
また、ＤＶＤレコーダ６０及び、セットトップボックス７０は、該動作モード切換コマンド５を受信し、動作モード３へ切り換えて、動作モード３で動作開始する。
【０２７５】
以上のように、テレビ５０、ＤＶＤレコーダ６０及びセットトップボックス７０を、ユーザの操作に連動して、動作モードの切り換えを行うことができる。
【０２７６】
（テレビ５０電源オンの時のＤＶＤレコーダ６０及びセットトップボックス７０の動作）
ＤＶＤレコーダ６０は、動作モード１または動作モード２の場合、例えばテレビ５０でセットトップボックス７０からの映像・音声を視聴中の場合、かつ、ＤＶＤレコーダ６０が出力する映像・音声データを、テレビ５０で再生することができない場合には、ＤＶＤレコーダ６０を電源オフする。
【０２７７】
また、セットトップボックス７０も同様に、テレビ５０の入力がＤＶＤレコーダ６０であった場合など、セットトップボックス７０が出力する映像・音声データを、テレビ５０で再生できない場合には、セットトップボックス７０を電源オフする。
【０２７８】
図１８は、本発明の実施の形態２に係るユーザの操作に対応してＤＶＤレコーダ６０及び、セットトップボックス７０が動作するときにおけるＣＥＣコマンドの送受信の流れの一例である。以下、図１８を参照しつつ、ユーザのテレビ５０の視聴操作に対応して、ＤＶＤレコーダ６０及び、セットトップボックス７０が電源オフする動作について説明する。
【０２７９】
まず、ユーザがテレビ５０のリモコン４０等の入力手段より入力操作をすることで電源オンする（ステップＳ２０１）。
【０２８０】
次に、テレビ５０が電源オン後に、テレビ５０に内蔵するチューナ１２０からの映像・音声を再生する場合には、テレビ５０は、＜Ａｃｔｉｖｅ  Ｓｏｕｒｃｅ＞コマンドをＤＶＤレコーダ６０及びセットトップボックス７０に向けてブロードキャストする。
【０２８１】
また、テレビ５０は、ＤＶＤレコーダ６０及びセットトップボックス７０に対して、起動通知コマンドをＣＥＣ通信部５１１より送信する。
【０２８２】
次に、ＤＶＤレコーダ６０及びセットトップボックス７０は、起動通知コマンドをＣＥＣ通信部６１１及び７１１より受信すると、各機器マイコン（６１０及び７１０）は、それぞれ動作機能設定記憶部２２１及び３２１を参照する。そして、ＤＶＤレコーダ６０及びセットトップボックス７０は、機器が動作モード１のときは電源オフ動作モード１でＴＶ電源オンのときに動作する機能を起動し、機器が動作モード２のときは電源オフ動作モード２でＴＶ電源オンのときに動作する機能を起動する。
【０２８３】
次に、ユーザは、セットトップボックス７０の視聴を開始するため、テレビ５０が表示するメニューの選択または、テレビ５０のリモコン４０上のボタンを押して選択する（ステップＳ２０４）。
【０２８４】
その場合には、テレビ５０は、セットトップボックス７０に対して、電源オンコマンドを送信する（ステップＳ２０５）。
【０２８５】
次に、セットトップボックス７０は、その電源オンコマンドを受信して、電源オン状態に遷移し、映像・音声の出力を開始する。また、セットトップボックス７０は、映像・音声の出力を開始するときに＜Ａｃｔｉｖｅ  Ｓｏｕｒｃｅ＞コマンドをテレビ５０及びＤＶＤレコーダ６０に送信する。
【０２８６】
次に、テレビ５０は、＜Ａｃｉｔｖｅ  Ｓｏｕｒｃｅ＞コマンドを受信すると、テレビ５０のアクティブソース機器記憶部１０８に、当該コマンドの送信元ＬＡ及びＰＡを記憶する。
【０２８７】
次に、ユーザは、ＤＶＤレコーダ６０の視聴を開始するために、テレビ５０が表示するメニューの選択または、テレビ５０のリモコン４０上のボタンを押して選択するとする（ステップＳ２０７）。
【０２８８】
その場合には、テレビ５０は、ＤＶＤレコーダ６０に対して、電源オンコマンドを送信する（ステップＳ２０８）。
【０２８９】
次に、ＤＶＤレコーダ６０は、電源オンコマンドを受信して、電源オン状態に遷移し、映像・音声の出力を開始する。このとき、ＤＶＤレコーダ６０は映像・音声の出力を開始するときに＜Ａｃｔｉｖｅ  Ｓｏｕｒｃｅ＞コマンドをテレビ５０及びセットトップボックス７０に送信する。
【０２９０】
次に、テレビ５０は、＜Ａｃｔｉｖｅ  Ｓｏｕｒｃｅ＞コマンドを受信して、テレビ５０のアクティブソース機器記憶部１０８を参照する。そして、テレビ５０は、当該受信したコマンドの送信元ＰＡとアクティブソース機器記憶部１０８のＰＡとが一致しない場合には、アクティブソースが変化したと判断する。テレビ５０は、アクティブソース機器記憶部１０８のＬＡ、本例ではセットトップボックス７０を宛先として、電源オフコマンドを送信する（ステップＳ２０９）。
【０２９１】
また、このときテレビ５０は、＜Ａｃｔｉｖｅ  Ｓｏｕｒｃｅ＞コマンドの送信元のＬＡ及びＰＡをアクティブソース機器記憶部１０８に記録する。
【０２９２】
次に、セットトップボックス７０は、電源オフコマンドを受信して、電源オフ状態に遷移する。ここで、ステップＳ２０９において、セットトップボックス７０のマイコン７１０は、動作機能設定記憶部３２１を参照している。
【０２９３】
そして、マイコン７１０は、機器が動作モード１のとき、電源オフ動作モード１でＴＶ電源オンのときに動作する機能のみ動作するように不要な機能を終了する。マイコン７１０は、機器が動作モード２のとき、電源オフ動作モード２でＴＶ電源オンのときに動作する機能動作するように不要な機能を終了する。
【０２９４】
次に、ユーザがセットトップボックス７０のリモコン４０を操作して映像・音声の出力を開始するとする。すると、セットトップボックス７０は＜Ａｃｔｉｖｅ  Ｓｏｕｒｃｅ＞コマンドをＣＥＣ通信部７１１よりテレビ５０及びＤＶＤレコーダ６０に送信する（ステップＳ２１３）。
【０２９５】
次に、テレビ５０は、セットトップボックス７０からの＜Ａｃｔｉｖｅ  Ｓｏｕｒｃｅ＞コマンドを受信した場合、テレビ５０は、アクティブソース機器記憶部１０８を参照する。そして、テレビ５０は、アクティブソースが変化した場合には、アクティブソース機器記憶部１０８のＬＡ即ちＤＶＤレコーダ６０を宛先として電源オフコマンドを送信する（ステップＳ２１４）。
【０２９６】
次に、ＤＶＤレコーダ６０は、当該電源オフコマンドを受信して、電源オフ状態に遷移する。
【０２９７】
ここで、ＤＶＤレコーダ６０のマイコン６１０は、動作機能設定記憶部２２１を参照する。そして、マイコン６１０は、ＤＶＤレコーダ６０が動作モード１のとき、電源オフ動作モード１で、ＴＶ電源オンのときに動作する機能のみ動作するように不要な機能を終了する。一方、機器が動作モード２のとき、電源オフ動作モード２でＴＶ電源オンのときに動作する機能のみ動作するように不要な機能を終了する。
【０２９８】
なお、テレビ５０は、電源オフコマンドを送信する際に、ユーザに対して、接続機器の電源をオフしたことを通知することができる。例えば、ＤＶＤレコーダ６０を視聴中に、ユーザがセットトップボックス７０に切り換える操作を行ったときには、ＤＶＤレコーダ６０に対して電源オフコマンドを送信するとともに、図１９のＯＳＤ表示３２０１のような表示を映像出力装置で行うことによって、ユーザに電源オフしたことを通知する。
【０２９９】
ところで、ユーザがテレビ５０の入力切換ボタンを押したとき、テレビ５０は指定された入力に接続されている機器のＰＡをパラメタとして、＜Ｓｅｔ  Ｓｔｒｅａｍ  Ｐａｔｈ＞コマンドを送信する。
【０３００】
そのため、ＤＶＤレコーダ６０またはセットトップボックス７０は、＜Ｓｅｔ  Ｓｔｒｅａｍ  Ｐａｔｈ＞コマンドのパラメタに示されるＰＡが、当該機器のＰＡと同じである場合には、電源オンして、＜Ａｃｔｉｖｅ  Ｓｏｕｒｃｅ＞コマンドを送信し、映像・音声データの送出を開始する。
【０３０１】
なお、ＤＶＤレコーダ６０またはセットトップボックス７０は、例えば番組を録画中であるなど、優先度が高い機能が動作中である場合には、電源オフコマンドをＣＥＣ通信部６１１または７１１にバッファし、当該動作中の機能が終了するとともに、電源オフコマンドに対応する動作を行う。
【０３０２】
以上の動作により、ユーザのテレビ５０の視聴操作に対応して、ＤＶＤレコーダ６０及び、セットトップボックス７０が電源オフすることができ、機器を視聴していないときに不要な機能を終了することで、消費電力を削減することができる。
【０３０３】
（消費電力量を記録する）
テレビ５０、ＤＶＤレコーダ６０及びセットトップボックス７０は、それぞれの機器が消費した消費電力量と、前記動作モード切り換えタイマーの動作とによって動作状態が変化したことによる効果である消費電力節約量を記録する。
【０３０４】
また、テレビ５０、ＤＶＤレコーダ６０及びセットトップボックス７０のそれぞれにおいて、各動作状態とその状態における機器の消費電力との組み合わせの表を消費電力記憶部（１０４、２０４及び３０４）に予め記憶しておく。ただし、複数の機能の動作の組み合わせに対して、消費電力が大きく変わらない場合は、ひとつの状態としてまとめてもよい。
【０３０５】
以下、テレビ５０がＤＶＤレコーダ６０における、消費電力量及び消費電力節約量をテレビ５０が得る動作について説明する。なお、ＤＶＤレコーダ６０の動作状態と消費電力の組み合わせは、実施の形態１におけるＤＶＤレコーダ２０と同様である。
【０３０６】
まず、テレビ５０は、例えば１時間ごとのような一定時間ごとにＤＶＤレコーダ６０に対して、動作状態消費電力要求コマンドを送信する。
【０３０７】
次に、ＤＶＤレコーダ６０は、当該動作状態消費電力要求コマンドを受信すると、消費電力記憶部２０４を参照して現在の動作状態における消費電力を取得する。そして、ＤＶＤレコーダ６０は、現在の動作状態を示す情報及び現在の消費電力をパラメタとして、動作状態消費電力通知コマンドをテレビ５０に送信する。
【０３０８】
次に、テレビ５０は、該動作状態消費電力通知コマンドを受信して、当該動作状態消費電力通知コマンドのパラメタに記載のＤＶＤレコーダ６０の消費電力と、前記動作状態消費電力要求コマンド送信の時間間隔との積を消費電力量記憶部５０２に記憶されている値にさらに加算する。それにより、消費電力量記憶部５０２には、ＤＶＤレコーダ６０の消費電力量が記憶される。
【０３０９】
また、テレビ５０は、例えば１時間ごとのような一定時間ごとにＤＶＤレコーダ６０に対して、動作状態節約電力要求コマンドを送信する。
【０３１０】
そして、ＤＶＤレコーダ６０は、当該動作状態節約電力要求コマンドを受信すると、現在の動作状態が、前記動作モード切換によって動作している状態であれば、通常の動作状態における消費電力と現在の動作状態における消費電力の差をパラメタとして、動作状態節約電力通知コマンドをテレビ５０に送信する。
【０３１１】
次に、テレビ５０は、該動作状態節約電力通知コマンドを受信して、当該コマンドのパラメタに記載の電力と、前記動作状態節約電力要求コマンド送信の時間間隔との積を消費電力節約量記憶部５０３に記憶されている値にさらに加算する。それにより、消費電力節約量記憶部５０３には、ＤＶＤレコーダ６０の節約電力が記憶される。
【０３１２】
また、テレビ５０は、動作状態消費電力通知コマンド及び、動作状態節約電力通知コマンドを受信して、当該コマンドの送信元の機器の現在の動作状態を、例えば図２０のＯＳＤ表示３３０１のように、テレビ５０の画面上に表示する。
【０３１３】
また、テレビ５０の消費電力量記憶部５０２は、一定時間、例えば２４時間ごとに、当日分の値と記録する日付及び時刻とを対にして、消費電力量記憶部５０２のログ記録部に格納する。そして、消費電力量記憶部５０２は、一定時間毎の消費電力量と記録した時刻とを対にして記憶装置に記憶し、消費電力量記憶部５０２の当日分記憶部の値を消去して０にする。
【０３１４】
なお、消費電力量及び、消費電力節約量のログを記録する間隔は、２４時間に限らず、一定の時間ごとであればよい。また、ログ記録部は、例えば３０日分のみ記録し、３０日を越える場合は、古い値から削除するように記録する。
【０３１５】
また、テレビ５０が動作状態消費電力通知コマンド及び、動作状態節約電力通知コマンドを受信した際には、機器の動作状態だけでなく、現在の消費電力を表示することもできる。
【０３１６】
なお、消費電力または節約電力の表示は、電力の数値で表示しても良いし、その機器における最大消費電力に対する比で表示しても良いし、これらを電力または電力の比に比例して変化するアイコンで表示してもよい。
【０３１７】
以上の動作により、テレビ５０は、ＤＶＤレコーダ６０は消費電力量及び、消費電力節約量を取得することができる。
【０３１８】
また、テレビ５０は、セットトップボックス７０に対しても同様に、動作状態消費電力通知コマンドと、動作状態節約電力量通知コマンドを送信することで、消費電力量及び、消費電力節約量を取得することができる。
【０３１９】
（テレビ５０が消費電力量を表示する）
次に、ユーザがテレビ５０のリモコン４０または、テレビ５０が備えるメニューを操作して、消費電力量及び、消費電力節約量の表示を開始する場合について説明する。
【０３２０】
まず、テレビ５０は、テレビ５０の消費電力量記憶部５０２と、消費電力節約量記憶部５０３とを参照する。そして、テレビ５０は、消費電力節約量の情報と、消費電力節約量とを取得して各機器の消費電力量を合計することで１日ごとの消費電力量を表示する。例えば、テレビ５０は、図１２のＯＳＤ表示２００２に示すように横軸に時間、縦軸に消費電力量として、３０日前から１日前までの消費電力量を表示する。消費電力節約量も同様に１日ごとの消費電力節約量の合計を計算し、それを画面に表示する。
【０３２１】
また、消費電力量及び、消費電力節約量の表示は、テレビ５０の消費電力量記憶部５０２及び、消費電力節約量記憶部５０３に記録されている値を加えて表示することもできる。
【０３２２】
また、消費電力量または、消費電力節約量の表示は、ユーザがテレビ５０を電源オンして、テレビ５０が映像の出画を開始したときに、ＯＳＤ表示することもできる。
【０３２３】
以上の動作により、テレビ５０、ＤＶＤレコーダ６０及びセットトップボックス７０の消費電力量及び消費電力節約量をユーザに表示することができる。
【０３２４】
なお、各部の電源制御は上記実施の形態で示したマイコンなどに限定されず、別に電源制御のみを担う電源制御部により行うように構成しても構わない。
【０３２５】
また、実施の形態１及び２において、テレビをＡＶシステムのマスター機器として、ＤＶＤレコーダ及びセットトップボックスに制御コマンドを送信することで、ＤＶＤレコーダ及びセットトップボックスの動作モードを切り換える例について説明したが、それに限らない。ＡＶシステムのマスターをＤＶＤレコーダまたはセットトップボックスとしてもよい。
【０３２６】
また、ＡＶシステムとして、テレビ、ＤＶＤレコーダ及びセットトップボックスが接続された場合について説明したが、それに限らない。例えば、図２１に示すように、ＡＶシステムとしてテレビ５０、ＡＶアンプ６５及びセットトップボックス７０が接続されるＡＶシステムであってもよい。その場合、例えば、ＡＶアンプ６５は、図２２に示すような複数の動作モードを持ち、電源オフの状態において、少なくとも電源オフ動作モード１及び電源オフ動作モード２を持てばよい。なお、構成及び動きについては、実施の形態１及び実施の形態２の場合と同様のため説明を省略する。
【０３２７】
以上のように、ＨＤＭＩなどの通信ネットワークを介して接続され、それぞれ消費電力の異なる複数の動作状態を持つ複数の機器に対して、ＡＶシステムの消費電力が効率化するように動作状態を制御することができる。すなわち、例えば、ある機器が、電源オフ状態でも一部には電源が供給されている電源オフ動作モード１と電源オフ動作モード１よりも動作する機能が少ないため消費電力が低い電源オフ動作モード２を持つとする。そして、例えば電源オフ動作モード１である機器が、マスター機器から受信した制御コマンド等に基づいて、さらに省電力である電源オフ動作モード２の動作状態に切り換える。このような制御により、その機器の電力消費を効率化することができる。
【０３２８】
以上のように、本発明によれば、他の機器の制御コマンド等により接続された機器の動作状態を切り換えて電力消費を効率化することができるので、通信ネットワークを介して接続される機器の電力消費を効率化する省電力システムを実現することができる。
【０３２９】
なお、上記のＡＶシステムにおけるテレビは、映像が表示できる機器である映像表示機器の一態様であり、映像表示機器は、本発明に係る第一の機器の具体的態様の一つである。また、同様に、ＤＶＤレコーダ及びセットトップボックスは、映像を録画再生できる映像録画機器の一態様であり、映像録画機器は、本発明に係る第二の機器の具体的態様の一つである。
【０３３０】
以上、本発明の省電力システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０３３１】
本発明は、省電力システムに利用でき、特に、例えばＡＶシステムなど通信ネットワークで接続された機器の間で、相互に制御コマンドの送受信を行い動作モードの切換を行う省電力システムに利用できる。
【符号の説明】
【０３３２】
１０、５０    テレビ
２０、６０    ＤＶＤレコーダ
３０、７０    セットトップボックス
４０    リモコン
６５    ＡＶアンプ
１０１、２０１、３０１、５０１    動作モード切換タイマー
１０２、２０２、３０２、５０２    消費電力量記憶部
１０３、２０３、３０３、５０３    消費電力節約量記憶部
１０４、２０４、３０４    消費電力記憶部
１０５、２０５、３０５    リモコン受信部
１０６    映像出力部
１０７    音声出力部
１０８    アクティブソース機器記憶部
２０８、３０８    アクティブソース状態記憶部
１０９    接続機器一覧記憶部
１１０、２１０、３１０、５１０、６１０、７１０    マイコン
１１１、２１１、３１１、５１１、６１１、７１１    ＣＥＣ通信部
１１２    ＴＭＤＳデコード部
２１２、３１２    デコード部
１１３    ＴＭＤＳ入力部
１１４、１１５    ＨＤＭＩ入力部
２１４、３１４    ＨＤＭＩ出力部
１２０、２２０、３２０    チューナ
１２１、２２１、３２１    動作機能設定記憶部
１２２、２２２、３２２    動作状態記憶部
２１６、３１６    ＴＶ電源状態判定部
２１７    録画タイマー
２１８    ＩＰ通信部
２１９    録画部
【手続補正２】
【補正対象書類名】特許請求の範囲
【補正対象項目名】全文
【補正方法】変更
【補正の内容】
【特許請求の範囲】
【請求項１】
通信ネットワークを介して互いに接続される第１の機器と第２の機器と第３の機器とを少なくとも備え、前記第２の機器及び前記第３の機器から前記第１の機器に対して映像音声信号を送信する省電力システムであって、
前記第１の機器と前記第２の機器と前記第３の機器とはそれぞれ、
前記通信ネットワークを介して他の機器を制御するための制御コマンドを互いに送受信する送受信部と、
前記制御コマンドに基づいて、動作状態を切り換える動作状態切換部とを備え、
前記第１の機器と前記第２の機器と前記第３の機器とはそれぞれ、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記第２の機器では、
当該第２の機器が前記第１のオフ動作モードである場合に、前記第２の機器における前記送受信部が前記第１の機器から動作状態の切り換えを指示する制御コマンドまたは前記第３の機器から当該第３の機器が前記第１の機器へ映像を出力することを示す制御コマンドを受信すると、当該第２の機器における前記動作状態切換部は、前記第１のオフ動作モードから前記第２のオフ動作モードに動作状態を切り換え、
前記第３の機器では、
当該第３の機器が前記第１のオフ動作モードである場合に、前記第３の機器における前記送受信部が前記第１の機器から動作状態の切り換えを指示する制御コマンドまたは前記第２の機器から当該第２の機器が前記第１の機器へ映像を出力することを示す制御コマンドを受信すると、当該第３の機器における前記動作状態切換部は、前記第１のオフ動作モードから前記第２のオフ動作モードに動作状態を切り換え、
前記第１の機器では、
当該第１の機器における前記送受信部が前記第２の機器または前記第３の機器に対して動作状態の切り換えを指示する制御コマンドを送信する
ことを特徴とする省電力システム。
【請求項２】
前記第２の機器または前記第３の機器は、さらに、
予め定められた時間の経過をカウントするタイマー部を備え、
前記第２の機器では、
当該第２の機器が前記第１のオフ動作モードであった時間が前記予め定められた時間経過したことを当該第２の機器の前記タイマー部がカウントするとき、当該第２の機器の前記動作状態切換部は、前記第１のオフ動作モードから前記第２のオフ動作モードに動作状態を切り換え、
前記第３の機器では、
当該第３の機器が前記第１のオフ動作モードであった時間が前記予め定められた時間経過したことを当該第３の機器の前記タイマー部がカウントするとき、当該第３の機器の前記動作状態切換部は、前記第１のオフ動作モードから前記第２のオフ動作モードに動作状態を切り換える
ことを特徴とする請求項１記載の省電力システム。
【請求項３】
前記第１の機器は、さらに、
前記第１の機器と前記第２の機器と前記第３の機器とがそれぞれ持つ動作状態の組み合わせを示す状態表を保持する保持部と、
前記状態表を利用者に表示する表示部と、
前記表示が表示した前記状態表の中から所望する組み合わせを前記利用者に選択させる入力部とを備え、
前記第１の機器は、
選択された当該所望する組み合わせに従って、動作状態の切り換えを指示する制御コマンドを前記第２の機器及び前記第３の機器に対して送信する
ことを特徴とする請求項１記載の省電力システム。
【請求項４】
通信ネットワークを介して接続される少なくとも映像表示機器と映像録画機器と映像再生機器とを備え、前記映像録画機器及び前記映像再生機器から前記映像表示機器に対して映像音声信号を送信する省電力システムであって、
前記映像表示機器と前記映像録画機器と前記映像再生機器とはそれぞれ、
前記通信ネットワークを介して他の機器を制御するための制御コマンドを互いに送受信する送受信部と、
前記制御コマンドに基づいて、動作状態を切り換える動作状態切換部とを備え、
前記映像表示機器と前記映像録画機器と前記映像再生機器とはそれぞれ、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記映像録画機器では、
当該映像録画機器が前記第１のオフ動作モードである場合に、当該映像録画機器における前記送受信部が前記映像表示機器から動作状態の切り換えを指示する制御コマンドまたは前記映像再生機器から当該映像再生機器が前記映像表示機器へ映像を出力することを示す制御コマンドを受信するとき、当該映像録画機器における前記動作状態切換部は、前記第１のオフ動作モードから前記第２のオフ動作モードに動作状態を切り換え、
前記映像再生機器では、
当該映像再生機器が前記第１のオフ動作モードである場合に、当該映像再生機器における前記送受信部が前記第１の機器から動作状態の切り換えを指示する制御コマンドまたは前記映像録画機器から当該映像録画機器が前記映像表示機器へ映像を出力することを示す制御コマンドを受信すると、当該映像再生機器における前記動作状態切換部は、前記第１のオフ動作モードから前記第２のオフ動作モードに動作状態を切り換え、
前記映像表示機器における前記送受信部は、
前記映像録画機器と前記映像再生機器とに対し、前記動作状態の切り換えを指示する制御コマンドを同時に送信する
ことを特徴とする省電力システム。
【請求項５】
通信ネットワークを介して接続される少なくとも第１の機器と第２の機器と第３の機器との省電力の方法であって、
前記通信ネットワークを介して他の機器を制御するための制御コマンドを互いに送受信する送受信部と、前記制御コマンドに基づいて動作状態を切り換える動作状態切換部とをそれぞれ備える前記第１の機器と前記第２の機器と第３の機器とは、消費電力の異なる動作状態として、電源オフの動作状態であるが一部には電源が供給されている第１のオフ動作モードと前記第１のオフ動作モードより消費電力の低い第２のオフ動作モードとを少なくとも持ち、
当該第２の機器が前記第１のオフ動作モードである場合に、当該第２の機器の前記送受信部が前記第１の機器から動作状態の切り換えを指示する制御コマンドを受信するステップと、当該第２の機器の前記動作状態切換部が前記第１のオフ動作モードから前記第２のオフ動作モードに動作状態を切り換えるステップと、
当該第３の機器が前記第１のオフ動作モードである場合に、当該第３の機器の前記送受信部が前記第１の機器から動作状態の切り換えを指示する制御コマンドを受信するステップと、当該第３の機器の前記動作状態切換部が前記第１のオフ動作モードから前記第２のオフ動作モードに動作状態を切り換えるステップと、
前記第１の機器の前記送受信部が動作状態の切り換えを指示する制御コマンドを前記第２の機器と前記第３の機器とに対し、同時に送信するステップとを含む
ことを特徴とする方法。
【請求項６】
通信ネットワークを介して互いに接続される第１の機器と第２の機器と第３の機器とを少なくとも備え、前記第２の機器及び前記第３の機器から前記第１の機器に対して映像音声信号を送信する省電力システムであって、
前記第１の機器と前記第２の機器と前記第３の機器とはそれぞれ、
前記通信ネットワークを介して他の機器を制御するための制御コマンドを互いに送受信する送受信部と、
前記制御コマンドに基づいて、動作状態を切り換える動作状態切換部とを備え、
前記第２の機器と前記第３の機器とはそれぞれ、
消費電力の異なる動作状態として、電源オフの動作状態であるが一部には電源が供給されている第１のオフ動作モードと前記第１のオフ動作モードより消費電力の低い第２のオフ動作モードとを少なくとも持ち、
前記第２の機器では、
当該第２の機器が前記第１のオフ動作モードである場合に、前記第２の機器における前記送受信部が前記第１の機器から動作状態の切り換えを指示する制御コマンドを受信すると、当該第２の機器における前記動作状態切換部は、前記第１のオフ動作モードから前記第２のオフ動作モードに動作状態を切り換え、
前記第３の機器では、
当該第３の機器が前記第１のオフ動作モードである場合に、前記第３の機器における前記送受信部が前記第１の機器から動作状態の切り換えを指示する制御コマンドを受信すると、前記第３の機器における前記動作状態切換部は、前記第１のオフ動作モードから前記第２のオフ動作モードに動作状態を切り換え、
前記第１の機器では、
前記第２の機器または前記第３の機器のいずれか一方から映像音声信号を送信することを示す制御コマンドを受信した場合には、前記第２の機器または前記第３の機器の他方に対して動作状態の切り換えを指示する制御コマンドを送信する
ことを特徴とする省電力システム。
【手続補正３】
【補正対象書類名】図面
【補正対象項目名】全図
【補正方法】変更
【補正の内容】
【図１】
2009101804.tif 000027
【図２】
2009101804.tif 000028
【図３】
2009101804.tif 000029
【図４】
2009101804.tif 000030
【図５Ａ】
2009101804.tif 000031
【図５Ｂ】
2009101804.tif 000032
【図５Ｃ】
2009101804.tif 000033
【図６】
2009101804.tif 000034
【図７】
2009101804.tif 000035
【図８】
2009101804.tif 000036
【図９】
2009101804.tif 000037
【図１０】
2009101804.tif 000038
【図１１】
2009101804.tif 000039
【図１２】
2009101804.tif 000040
【図１３】
2009101804.tif 000041
【図１４】
2009101804.tif 000042
【図１５】
2009101804.tif 000043
【図１６】
2009101804.tif 000044
【図１７】
2009101804.tif 000045
【図１８】
2009101804.tif 000046
【図１９】
2009101804.tif 000047
【図２０】
2009101804.tif 000048
【図２１】
2009101804.tif 000049
【図２２】
2009101804.tif 000050
【国際調査報告】
2009101804.tif 000051
2009101804.tif 000052